(57)【特許請求の範囲】
【請求項１】
電場成分を有するマイクロ波信号を発生させるように適合された信号発生器（３０４）；
該信号発生器（３０４）に接続され、該マイクロ波信号を皮膚に適用するように適合されたアプリケータ（３２０）であって、該アプリケータ（３２０）は、１つ以上のマイクロ波アンテナ（３５８）および１つの組織インターフェース（３６２）を備え、ここで、該マイクロ波信号は、電場成分を有する、アプリケータ（３２０）；
組織チャンバに接続された減圧源（３０８）；
該組織インターフェース内の冷却プレート（３４０）と熱接触するように皮膚表面（１３０６）を移動させるように適合された組織チャンバであって、該冷却プレートは該マイクロ波アンテナに対して配向し、その結果、該マイクロ波信号の該電場成分に対して平行である、組織チャンバ；
該組織インターフェース（３６２）に接続され、そして、該組織インターフェースと熱接触して皮膚を冷却するように適合された、冷却剤源（３１０）；ならびに
該信号発生器（３０４）、該減圧源（３０８）、および該冷却剤源（３１０）を制御するように適合された制御器（３０２）、
を備える、マイクロ波エネルギーを皮膚に適用するためのシステムであって、
ここで、該１つ以上のマイクロ波アンテナ（３５８）は、該皮膚中に該マイクロ波信号を放射するように構成され、該マイクロ波信号は、該皮膚の皮膚層（１３０５）の下部内の組織構造内に強め合う干渉ピークを有する定常波パターンを生じる周波数および電場配向を有し、それによって、該組織構造においてピーク温度を生じ、外傷コア（１３２１）を生じ；
ここで、該冷却剤源は、該皮膚表面（１３０６）、そして、該皮膚層（１３０５）の上部の少なくとも一部分から熱を除去して、該熱が、該皮膚層（１３０５）の上部に広がることを防止し；
ここで、該制御器（３０２）は、該組織構造の温度を上昇させるのに十分な所定の時間の後、該マイクロ波信号の適用を止めるように構成され；
そして、ここで、該マイクロ波信号は、４ＧＨｚ〜１０ＧＨｚの範囲の周波数を有するか、または、５ＧＨｚ〜６．５ＧＨｚの範囲の周波数を有するか、または、５．８ＧＨｚの周波数を有する、
システム。
【請求項２】
電力損失密度ピークが前記組織構造内において生じるように、前記システムがエネルギーを送達するように、前記制御器（３０２）が構成されている、請求項１に記載のシステム。
【請求項３】
前記皮膚層（１３０５）と皮下層（１３０３）との間の界面（１３０８）からの前記マイクロ波信号の少なくとも一部の反射によって、前記定常波パターンが生じる、請求項１に記載のシステム。
【請求項４】
前記組織構造が腺層（１３３１）内にあり、そして、前記定常波パターンが該腺層（１３３１）と皮下層（１３０３）との間の界面（１３３３）からの前記マイクロ波信号の少なくとも一部の反射によって生じる、請求項１に記載のシステム。
【請求項５】
前記腺層（１３３１）が、汗腺を含む、請求項４に記載のシステム。
【請求項６】
前記組織構造が、汗腺を含む、請求項１に記載のシステム。
【請求項７】
前記組織構造が、毛包を含む、請求項１に記載のシステム。
【発明の詳細な説明】
【技術分野】
【０００１】
本願は、米国特許法第１１９条第（ｅ）項のもとで、米国仮出願番号６０／９１２，８９９（２００７年４月１９日出願、発明の名称「ＭＥＴＨＯＤＳ  ＡＮＤ  ＡＰＰＡＲＡＴＵＳ  ＦＯＲ  ＲＥＤＵＣＩＮＧ  ＳＷＥＡＴ  ＰＲＯＤＵＣＴＩＯＮ」、その全体が本明細書中に参考として明白に援用され、そしてその開示は、本願の明細書の一部とみなされる添付の付録１に含まれる）；米国仮出願番号６１／０１３，２７４（２００７年１２月１２日出願、発明の名称「ＭＥＴＨＯＤＳ，ＤＥＶＩＣＥＳ  ＡＮＤ  ＳＹＳＴＥＭＳ  ＦＯＲ  ＮＯＮ−ＩＮＶＡＳＩＶＥ  ＤＥＬＩＶＥＲＹ  ＯＦ  ＭＩＣＲＯＷＡＶＥ  ＴＨＥＲＡＰＹ」、これもまた、その全体が本明細書中に参考として明白に援用され、そしてその開示は、これもまた本願の明細書の一部とみなされる添付の付録２に含まれる）；および米国仮出願番号６１／０４５，９３７（２００８年４月１７日出願、発明の名称「ＳＹＳＴＥＭＳ  ＡＮＤ  ＭＥＴＨＯＤＳ  ＦＯＲ  ＣＲＥＡＴＩＮＧ  ＡＮ  ＥＦＦＥＣＴ  ＵＳＩＮＧ  ＭＩＣＲＯＷＡＶＥ  ＥＮＥＲＧＹ  ＩＮ  ＳＰＥＣＩＦＩＥＤ  ＴＩＳＳＵＥ」、これもまた、その全体が本明細書中に参考として明白に援用される）に対する優先権を主張する。同時に出願された、国際出願番号がまだ付与されていない、代理人事件番号ＦＯＵＮＤＲＹ．００１ＶＰＣ（発明の名称「ＭＥＴＨＯＤＳ  ＡＮＤ  ＡＰＰＡＲＡＴＵＳ  ＦＯＲ  ＳＷＥＡＴ  ＰＲＯＤＵＣＴＩＯＮ」、２００８年４月１８日出願）；および国際出願番号がまだ付与されていない、代理人事件番号ＦＯＵＮＤＲＹ．００７ＶＰＣ（発明の名称「ＭＥＴＨＯＤＳ，ＤＥＶＩＣＥＳ，ＡＮＤ  ＳＹＳＴＥＭＳ  ＦＯＲ  ＮＯＮ−ＩＮＶＡＳＩＶＥ  ＤＥＬＩＶＥＲＹ  ＯＦ  ＭＩＣＲＯＷＡＶＥ  ＴＨＥＲＡＰＹ」、２００８年４月１８日出願）もまた、その全体が本明細書中に参考として援用される。
【０００２】
（背景）
（発明の分野）
本願は、マイクロ波治療の非侵襲性送達のための方法、装置およびシステムに関する。特に、本願は、種々の治療的結果および／または美的結果を達成するために、患者の表皮組織、皮膚組織および皮下組織にマイクロ波エネルギーを非侵襲的に送達するための方法、装置およびシステムに関する。
【背景技術】
【０００３】
（関連技術の説明）
エネルギーベースの治療は、身体全体の組織に適用されて、多数の治療的結果および／または美的結果を達成し得ることが公知である。
【発明の概要】
【発明が解決しようとする課題】
【０００４】
有害な副作用または不快さを最小にして、これらのエネルギーベースの治療の有効性を改善し、そして有利な病理学的変化を提供することが、引き続き必要とされるままである。
【課題を解決するための手段】
【０００５】
皮膚が電磁放射線（例えば、マイクロ波エネルギー）で照射される場合、この電磁放射線が組織を通過するにつれて、エネルギーが組織の各層により吸収される。各組織層により吸収されるエネルギーの量は、多数の変数の関数である。各組織層に吸収されるエネルギーの量を制御する変数のうちのいくつかとしては、各層に達する電磁放射線の電力；各層が照射される時間の量；各層における組織の導電率または正接；および電磁放射エネルギーを放射するアンテナからの電力蓄積パターンが挙げられる。組織の特定の層に達する電力は、多数の変数の関数である。組織の特定の層に達する電力を制御する変数のうちのいくつかとしては、皮膚の表面に影響を及ぼす電力、および電磁放射線の周波数が挙げられる。例えば、より高い周波数において、電磁信号の貫入深さは浅く、そしてほとんどの電力は、組織の上層に蓄積する。より低い周波数において、より大きい侵入深さは、組織の上層と下層との両方における電力の蓄積を生じる。
【０００６】
多数の機構によって、組織に熱が発生し得る。組織において熱を発生させる機構のうちのいくつかとしては、抵抗加熱、誘電加熱および熱伝導が挙げられる。抵抗加熱は、電流が組織において発生し、抵抗損失を生じる場合に起こる。組織は、例えば、単極ＲＦエネルギーまたは双極ＲＦエネルギーを使用して、抵抗加熱され得る。誘電加熱は、電磁エネルギーが極性分子の増加した物理的回転（これは、マイクロ波エネルギーを熱に変換する）を誘導する場合に起こる。組織は、例えば、組織をマイクロ波周波数帯域の電磁エネルギーで照射することによって、誘電加熱され得る。本明細書中で使用される場合、マイクロ波周波数帯域またはマイクロ波周波数とは、例えば、組織が外部アンテナを使用して照射されて電磁放射線を伝達する場合に、組織において誘電加熱を誘導するために適切な周波数の電磁エネルギーをいい得る。このような周波数は、例えば、約１００メガヘルツ（ＭＨｚ）〜３０ギガヘルツ（ＧＨｚ）の範囲であり得る。組織が抵抗加熱により加熱されても誘導加熱により加熱されても、組織の１つの領域において発生する熱は、例えば、熱伝導、熱放射または熱対流によって、隣接組織に伝達され得る。
【０００７】
マイクロ波信号が失われやすい誘電材料（例えば、水）に放射される場合、この信号のエネルギーは、このエネルギーがこの材料に貫入するにつれて吸収されて熱に変換される。この熱は主として、マイクロ波信号に曝露される場合に誘導される分子の物理的回転により発生する。所定の材料についての、マイクロ波エネルギーの熱への変換効率は、エネルギー消失係数（すなわち、正接（ｔａｎδ））により定量化され得る。正接は、材料組成およびマイクロ波信号の周波数の関数として変動する。水は、大きい正接を有するので、マイクロ波エネルギーで照射される場合に効率的に発熱する。全ての生物学的組織はいくらかの含水量を有し、従って失われやすいので、マイクロ波エネルギーを使用して加熱され得る。様々な組織型は、様々な量の含水量を有する。筋肉および皮膚は、比較的高い含水量を有し、そして脂肪および骨は、かなり低い含水量を有する。マイクロ波加熱は一般に、高い含水量の組織においてより効率的である。
【０００８】
ＲＦエネルギー（これは、皮膚の表面を通って伝導する）またはマイクロ波エネルギー（これは、皮膚の表面を通って放射される）を適用して皮膚表面より下の組織を加熱することは、一般に、温度勾配を生じ、この温度勾配は、皮膚の表面にピークを有し、そして組織内への深さの増加とともに低下する。すなわち、最も熱い点は、一般に、皮膚の表面またはその近くに見出される。この温度勾配は、電磁放射線が組織を通って移動する際に電磁放射線により失われる電力から生じる。電力損失密度プロフィールは、一般に、電磁放射線の放射される電力とも周波数とも無関係に、皮膚表面の組織においてピークを有し、そして電磁放射線が組織を通って移動するにつれて低下する。電力損失密度は、１立方メートルあたりのワット数として測定される。組織における電力蓄積の等価な特徴付けは、比吸収率（ＳＡＲ）であり、これは１キログラムあたりのワット数で測定される。組織における比吸収率は、例えば、組織内の電場の大きさの二乗に比例し得る。一定の放射電力レベルについて、侵入深さは、一般に、周波数が増加するにつれて減少する。従って、一般的な最も重要なこととして、より深い組織層への損傷なしで皮膚表面の近くの組織（例えば、表皮）を加熱するためには、一般に、より高い周波数が選択される。さらに、一般的に最も重要なこととして、皮膚内の深部の組織（例えば、皮下組織）または皮膚表面より下の組織（例えば、筋肉組織）を加熱するためには、一般に、より低い周波数が選択され、充分なエネルギーが深部組織に達することを確実にする。
【０００９】
電磁エネルギーが皮膚表面より下の組織の構造を加熱するために使用され、そして皮膚表面または皮膚表面に隣接する組織に対する損傷を制限または防止することが望ましい場合、ピーク温度を組織内の深部に移動させるように、温度勾配を改変することが可能である。組織内の温度勾配は、例えば、外部機構を使用して熱を皮膚表面の近くの組織から除去することによって、皮膚表面より下の組織内にピーク温度を移動させるように改変され得る。熱を皮膚表面から除去する外部機構としては、例えば、皮膚表面および隣接する層を冷却する熱だめが挙げられ得る。外部機構が皮膚の表面から熱を除去するために使用される場合、この熱は、電磁放射線がエネルギーをその組織に蓄積させるにつれて、除去され得る。従って、外部機構が使用されて熱を皮膚の表面および隣接する層から除去する場合、エネルギーは依然として、皮膚表面に隣接する組織により実質的に同じ速度で吸収され（そして冷却される組織の電力損失密度およびＳＡＲは実質的に一定なままであり、冷却により影響を受けない）が、熱が蓄積し得るより速く熱を除去することによって損傷が防止され、冷却される組織（例えば、皮膚表面に隣接する組織）の温度が、組織損傷が起こるかまたは外傷が形成され得る温度に達することを防止する。
例えば、本発明は以下の項目を提供する。
（項目１）
所定の特性を有するマイクロ波信号を発生させるように適合された信号発生器；
該発生器に接続され、マイクロ波エネルギーを組織に適用するように適合されたアプリケータであって、該アプリケータは、１つ以上のマイクロ波アンテナおよび１つの組織インターフェースを備える、アプリケータ；
該組織インターフェースに接続された減圧源；
該組織インターフェースに接続された冷却剤源；ならびに
該信号発生器、該減圧源、および該冷却剤源を制御するように適合された制御器、
を備える、マイクロ波エネルギーを組織に適用するためのシステム。
（項目２）
上記マイクロ波信号が、約４ＧＨｚ〜約１０ＧＨｚの範囲の周波数を有する、項目１に記載のシステム。
（項目３）
上記マイクロ波信号が、約５ＧＨｚ〜約６．５ＧＨｚの範囲の周波数を有する、項目２に記載のシステム。
（項目４）
上記マイクロ波信号が、約５．８ＧＨｚの周波数を有する、項目３に記載のシステム。
（項目５）
上記マイクロ波アンテナが、電磁放射線の電場成分が上記組織の外側表面に対して実質的に平行になるように偏光した電磁放射線を放射するように構成されたアンテナを備える、項目１に記載のシステム。
（項目６）
上記組織が第一の層および第二の層を備え、該第二の層は該第一の層より下にあり、上記制御器は、ピーク電力損失密度プロフィールが該第二の層において生じるように、該システムがエネルギーを送達するように構成されている、項目１に記載のシステム。
（項目７）
組織インターフェース；
マイクロ波エネルギー送達デバイス；
該組織インターフェースと該マイクロ波エネルギーデバイスとの間に配置された冷却要素であって、該冷却要素は、該組織インターフェースに配置された冷却プレートを備える、冷却要素；および
該冷却要素と該マイクロ波送達デバイスとの間に配置された冷却流体であって、該冷却流体は、該冷却要素の誘電率より大きい誘電率を有する、冷却流体、
を備える、標的組織にマイクロ波エネルギーを送達するための装置。
（項目８）
組織収集チャンバを有する組織インターフェース；
冷却プレートを有する冷却要素；および
マイクロ波アンテナを有するマイクロ波エネルギー送達デバイス、
を備える、組織標的領域にマイクロ波エネルギーを送達するための装置。
（項目９）
標的領域を含む組織を上昇させて該組織を冷却プレートと接触させるように適合された減圧チャンバであって、該冷却プレートは、該標的領域の上の皮膚表面と接触し、該皮膚表面を冷却し、そして該皮膚組織を該マイクロ波エネルギー送達デバイスから物理的に分離するように適合されている、減圧チャンバ；および
熱効果を生じさせるために充分なエネルギーを該標的領域に送達するように構成されたマイクロ波アンテナ、
を備える、組織の標的領域にマイクロ波エネルギーを送達するための装置。
（項目１０）
マイクロ波アンテナ；
該マイクロ波アンテナと該組織との間に配置された流体チャンバ；および
該冷却チャンバと該組織との間に配置された冷却プレート、
を備える、マイクロ波エネルギーを組織内にカップリングさせるためのシステム。
（項目１１）
標的組織層および第一の組織層を、皮膚表面を通して、所定の周波数および電場特性を有する電磁エネルギーで照射する工程であって、該第一の組織層は該標的組織層の上にあり、該第一の組織層は該皮膚の表面に隣接している、工程；ならびに
電力損失密度プロフィールを生じさせる工程であって、該電力損失密度プロフィールは、該標的組織層の領域においてピーク電力損失密度を有する、工程、
を包含する、標的組織層において組織効果を生じさせる方法。
（項目１２）
冷却の非存在下で標的組織層に外傷を作製する方法であって、該標的組織層は、第一の組織層より下にあり、該第一の組織層は、皮膚表面に隣接しており、該方法は、
該標的組織層および第一の組織層を、皮膚表面を通して、所定の周波数および電場特性を有する電磁エネルギーで照射する工程であって、該第一の組織層は、該標的組織層の上にあり、該第一の組織層は、該皮膚の表面に隣接している、工程；ならびに
電力損失密度プロフィールを生じさせる工程であって、該電力損失密度プロフィールは、該標的組織層の領域においてピーク電力損失密度を有する、工程、
を包含する、方法。
（項目１３）
標的組織層において熱を発生させる方法であって、該熱は、該標的組織層の内部または近くに外傷を作製するために充分であり、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１４）
冷却の非存在下で標的組織層に熱を発生させる方法であって、該熱は、該標的組織層の内部または近くで組織効果を生じさせるために充分であり、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１５）
組織において温度プロフィールを生じさせる方法であって、該温度プロフィールは、標的組織層においてピークを有し、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１６）
冷却の非存在下で組織において温度プロフィールを生じさせる方法であって、該温度プロフィールは、標的組織層においてピークを有し、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目１７）
組織の第一の層において外傷を作製する方法であって、該第一の層は、皮膚の外側表面に隣接する上部分、および該皮膚の第二の表面に隣接する下部分を有し、該方法は、
該皮膚の外側表面を、所定の電力、周波数、および電場配向を有するマイクロ波エネルギーに曝露する工程；
該第一の層の該下部分にピークを有するエネルギー密度プロフィールを生じさせる工程；ならびに
該皮膚の外側表面の該マイクロ波エネルギーへの曝露を、外傷を作製するために充分な時間にわたって継続する工程であって、該外傷は、ピークエネルギー密度領域において開始する、工程、
を包含する、方法。
（項目１８）
皮膚において外傷を作製する方法であって、該皮膚は、少なくとも外側表面、該外側表面より下の第一の層、および第二の層を有し、該方法は、
電磁エネルギーを放射するように適合されたデバイスを該外側表面に隣接させて配置する工程；
電磁エネルギーを該デバイスから放射する工程であって、該マイクロ波エネルギーは、該外側表面の領域に対して実質的に平行な電場成分を有する、工程；および
該第一の層において定常波パターンを生じさせる工程であって、該定常波パターンは、該第一の層において強め合う干渉ピークを有し、該強め合う干渉ピークから該皮膚表面までの距離は、該強め合う干渉ピークから該第一の層と該第二の層との間の界面までの距離より大きい、工程、
を包含する、方法。
（項目１９）
皮膚において温度勾配を生じさせる方法であって、該皮膚は、少なくとも外側表面、該外側表面より下の第一の層、および第二の層を有し、該方法は、
電磁エネルギーを放射するように適合されたデバイスを該外側表面に隣接させて配置する工程；
電磁エネルギーを該デバイスから放射する工程であって、該マイクロ波エネルギーは、該外側表面の領域に対して実質的に平行な電場成分を有する、工程；および
該第一の層において定常波パターンを生じさせる工程であって、該定常波パターンは、該第一の層において強め合う干渉ピークを有し、該強め合う干渉ピークから該皮膚表面までの距離は、該強め合う干渉ピークから該第一の層と該第二の層との間の界面までの距離より大きい、工程、
を包含する、方法。
（項目２０）
皮膚の皮膚層において外傷を作製する方法であって、該皮膚層は、該皮膚の外側表面に隣接する上部分、および該皮膚の皮下層に隣接する下部分を有し、該方法は、
該外側表面を、所定の電力、周波数、および電場配向を有するマイクロ波エネルギーに曝露する工程；
該皮膚層の該下部分においてピークエネルギー密度領域を生じさせる工程；ならびに
該マイクロ波エネルギーでの該皮膚の放射を、外傷を作製するために充分な時間にわたって継続する工程であって、該外傷は、該ピークエネルギー密度領域において開始する、工程、
を包含する、方法。
（項目２１）
皮膚の皮膚層において外傷を作製する方法であって、該皮膚は、少なくとも皮膚層および皮下層を有し、該方法は、
マイクロ波エネルギーを放射するように適合されたデバイスを該皮膚の外側表面に隣接させて配置する工程；および
該皮膚層の上の該皮膚の外側表面の領域に対して実質的に平行な電場成分を有するマイクロ波エネルギーを放射する工程であって、該マイクロ波エネルギーは、該皮膚層において定常波パターンを生じさせる周波数を有し、該定常波パターンは、該皮膚層において、該皮膚層と該皮下層との間の界面の近くに強め合う干渉ピークを有する、工程、
を包含する、方法。
（項目２２）
皮膚の皮膚層において外傷を作製する方法であって、該皮膚は、少なくとも皮膚層および皮下層を有し、該方法は、
マイクロ波エネルギーを放射するように適合されたデバイスを該皮膚の外側表面に隣接させて配置する工程；
該皮膚層の上の該皮膚の外側表面の領域に対して実質的に平行な電場成分を有するマイクロ波エネルギーを放射する工程であって、該マイクロ波エネルギーは、該皮膚層において定常波パターンを生じさせる周波数を有し、該定常波パターンは、該皮膚層において、該皮膚層と該皮下層との間の界面の近くに強め合う干渉ピークを有する、工程；および
該放射されたマイクロ波エネルギーを使用して、該皮膚領域の下部分を加熱し、該外傷を作製する工程、
を包含する、方法。
（項目２３）
標的組織層の内部または近くに位置する組織構造を加熱する方法であって、該標的組織層は、第一の組織層より下にあり、該第一の組織層は、皮膚表面に隣接しており、該方法は、
該標的組織層および該第一の組織層を、該皮膚表面を通して、所定の周波数および電場特性を有する電磁エネルギーで照射する工程；ならびに
電力損失密度プロフィールを生じさせる工程であって、該電力損失密度プロフィールは、該標的組織層の領域においてピーク電力損失密度を有する、工程、
を包含する、方法。
（項目２４）
皮膚の皮膚層と皮下層との間の界面より下に位置する組織構造の少なくとも一部分の温度を上昇させる方法であって、該皮膚層は、該皮膚の外側表面に隣接する上部分、および該皮膚の皮下領域に隣接する下部分を有し、該方法は、
該皮膚に、所定の電力、周波数および電場配向を有するマイクロ波エネルギーを放射する工程；
ピークエネルギー密度領域を該皮膚層の下部分において生じさせる工程；
該ピークエネルギー密度領域における組織の誘導加熱によって、該ピークエネルギー密度領域において外傷を開始する工程；
該外傷を拡大する工程であって、該外傷は、少なくとも部分的に、該ピークエネルギー密度領域から周囲組織への熱の伝導によって拡大する、工程；
熱を、該皮膚表面および該皮膚層の上部分の少なくとも一部分から除去する工程；ならびに
該皮膚への該マイクロ波エネルギーの放射を、該外傷が該界面を越えて該皮下層内まで延びるために充分な時間にわたって継続する工程、
を包含する、方法。
（項目２５）
皮膚の皮膚層と皮下層との間の界面より下に位置する組織構造の少なくとも一部分の温度を上昇させる方法であって、該皮膚層は、該皮膚の外側表面に隣接する上部分、および該皮膚の皮下領域に隣接する下部分を有し、該方法は、
マイクロ波エネルギーを放射するように適合されたデバイスを該皮膚の外側表面に隣接させて配置する工程；
該皮膚層の上の外側表面の領域に対して実質的に平行な電場成分を有するマイクロ波エネルギーを放射する工程であって、該マイクロ波エネルギーは、該皮膚層において定常波パターンを生じさせる周波数を有し、該定常波パターンは、該皮膚層の下部分において強め合う干渉ピークを有する、工程；
該皮膚領域の下部分の組織を、該放射されたマイクロ波エネルギーを使用して加熱することにより、該皮膚領域の下部分において外傷を作製する工程；
熱を、該皮膚表面および該皮膚層の上部分の少なくとも一部分から除去して、該外傷が該皮膚層の上部分内まで広がることを防止する工程；ならびに
第一の所定の時間後に放射を止める工程であって、該所定の時間は、該組織構造の温度を上昇させるために充分である、工程、
を包含する、方法。
（項目２６）
組織へのマイクロ波エネルギーの適用を制御する方法であって、該方法は、
所定の特性を有するマイクロ波信号を発生させる工程；
該マイクロ波エネルギーを、マイクロ波アンテナおよび該マイクロ波アンテナに作動可能に接続された組織インターフェースを介して組織に適用する工程；
減圧を該組織インターフェースに供給する工程；ならびに
冷却流体を該組織インターフェースに供給する工程、
を包含する、方法。
（項目２７）
放射された電磁エネルギーを使用して組織を処置する前に該組織を配置する方法であって、該方法は、
組織インターフェースを皮膚表面に隣接させて配置する工程；
該皮膚表面を該組織インターフェースの組織チャンバ内に係合させる工程；
該皮膚の少なくとも１層を含む層を該皮膚より下の筋肉層から実質的に分離する工程；および
該皮膚表面を該組織チャンバ内に保持する工程、
を包含する、方法。
【図面の簡単な説明】
【００１０】
【図１】図１は、ヒト組織構造の断面の図示である。
【図２】図２は、本発明の１つの実施形態によるマイクロ波エネルギーを発生および制御するためのシステムを図示する。
【図３】図３は、本発明の１つの実施形態によるマイクロ波エネルギーを送達するためのシステムを図示する。
【図４】図４は、本発明の１つの実施形態によるマイクロ波アプリケータの側面斜視図である。
【図５】図５は、本発明の１つの実施形態によるマイクロ波アプリケータの上面斜視図である。
【図６】図６は、本発明の１つの実施形態によるマイクロ波アプリケータの正面図である。
【図７】図７は、本発明の１つの実施形態によるマイクロ波アプリケータと共に使用するための組織ヘッドの正面図である。
【図８】図８は、本発明の１つの実施形態による組織ヘッドの切り取り図である。
【図９】図９は、本発明の１つの実施形態によるマイクロ波アプリケータの側面切り取り図である。
【図１０】図１０は、本発明の１つの実施形態によるマイクロ波アプリケータの上面斜視部分切り取り図である。
【図１１】図１１は、本発明の１つの実施形態によるマイクロ波アプリケータの側面部分切り取り図である。
【図１２】図１２は、本発明の１つの実施形態による組織ヘッドおよびアンテナの切り取り図である。
【図１３】図１３は、本発明の１つの実施形態による組織ヘッドおよびアンテナの切り取り図である。
【図１４】図１４は、本発明の１つの実施形態による組織ヘッド、アンテナ、およびフィールドスプレッダの切り取り図である。
【図１５】図１５は、本発明の１つの実施形態による組織ヘッド、アンテナおよびフィールドスプレッダの切り取り図である。
【図１６】図１６は、本発明の１つの実施形態による組織ヘッド、アンテナおよびフィールドスプレッダの切り取り図である。
【図１７】図１７は、本発明の１つの実施形態による組織ヘッド、アンテナおよびフィールドスプレッダの切り取り図である。
【図１８】図１８は、本発明の１つの実施形態による組織ヘッド、アンテナおよびフィールドスプレッダの切り取り図である。
【図１９】図１９は、本発明の１つの実施形態による、組織が係合した組織ヘッド、アンテナおよびフィールドスプレッダの切り取り図である。
【図２０】図２０は、本発明の１つの実施形態による、組織が係合した組織ヘッドおよびアンテナの切り取り図である。
【図２１】図２１は、本発明の１つの実施形態による複数の導波管アンテナを備える組織ヘッドを図示する。
【図２２】図２２は、本発明の１つの実施形態による複数の導波管アンテナを備える組織ヘッドを図示する。
【図２３】図２３は、本発明の１つの実施形態による複数の導波管アンテナを備える組織ヘッドを図示する。
【図２４】図２４は、本発明の１つの実施形態によるアプリケータと共に使用するための使い捨て組織ヘッドを図示する。
【図２５】図２５は、本発明の１つの実施形態によるアプリケータと共に使用するための使い捨て組織ヘッドを図示する。
【図２６】図２６は、本発明の１つの実施形態による組織プロフィールを図示する。
【図２７】図２７は、本発明の１つの実施形態による組織プロフィールを図示する。
【図２８】図２８は、本発明の１つの実施形態による組織プロフィールを図示する。
【図２９】図２９は、本発明の１つの実施形態による組織プロフィールを図示する。
【図３０】図３０は、本発明の１つの実施形態による組織プロフィールを図示する。
【図３１】図３１は、本発明の１つの実施形態による組織プロフィールを図示する。
【図３２】図３２は、本発明の１つの実施形態による組織プロフィールを図示する。
【図３３】図３３は、本発明の１つの実施形態による組織プロフィールを図示する。
【図３４】図３４は、本発明の１つの実施形態による組織プロフィールを図示する。
【図３５】図３５は、本発明の１つの実施形態による組織プロフィールを図示する。
【図３６】図３６は、本発明の１つの実施形態による組織プロフィールを図示する。
【図３７】図３７は、本発明の１つの実施形態による組織プロフィールを図示する。
【図３８】図３８は、本発明の１つの実施形態による組織プロフィールを図示する。
【図３９】図３９は、本発明の１つの実施形態による組織プロフィールを図示する。
【図４０】図４０は、本発明の１つの実施形態による組織プロフィールを図示する。
【図４１】図４１は、本発明の１つの実施形態による組織プロフィールを図示する。
【図４２】図４２は、本発明の１つの実施形態による組織プロフィールを図示する。
【図４３】図４３は、本発明の１つの実施形態による組織プロフィールを図示する。
【図４４】図４４は、本発明の１つの実施形態による組織プロフィールを図示する。
【図４５】図４５は、本発明の１つの実施形態による組織プロフィールを図示する。
【図４６】図４６は、本発明の１つの実施形態による組織プロフィールを図示する。
【図４７】図４７は、本発明の１つの実施形態による組織プロフィールを図示する。
【図４８】図４８は、本発明の１つの実施形態による組織プロフィールを図示する。
【図４９】図４９は、本発明の１つの実施形態による組織プロフィールを図示する。
【図５０】図５０は、本発明の１つの実施形態による組織プロフィールを図示する。
【図５１】図５１は、本発明の１つの実施形態による組織プロフィールを図示する。
【発明を実施するための形態】
【００１１】
（発明の実施形態の説明）
【００１２】
図１は、ヒト組織構造の図示である。図１に図示される本発明の実施形態において、筋肉組織１３０１が結合組織１３０２により皮下組織１３０３に結合される。皮下組織１３０３は、界面１３０８において真皮１３０５に結合される。表皮１３０４は、真皮１３０５の上にある。皮膚表面１３０６は、表皮１３０４の上にあり、そして扁平上皮細胞１３４５および汗孔１３４７を含む。組織構造１３２５（例えば、汗腺１３４１、皮脂腺１３４２および毛包１３４４）は、真皮１３０５および皮下組織１３０３の全体に位置し得る。さらに、組織構造１３２５は、界面１３０８を横切るかまたは分断するように位置し得る。図１は、動脈１３４９、静脈１３５１および神経１３５３をさらに含む。毛包１３４４は、毛幹１３４３に付着する。組織構造（例えば、アポクリン腺、エクリン汗腺または毛包）は、例えば、約０．１ミリメートル〜２ミリメートルの範囲のサイズを有すると考えられ得、そして一緒になって、より大きいサイズを有する群または構造を形成し得る。図１に図示されるように、界面１３０８は、非直線の不連続な粗い表面であると考えられ得、これもまた、界面１３０８を横切るかまたは分断する多くの組織構造および組織構造の群を含む。組織層（例えば、真皮）をモデル化する場合、組織層の誘電特性および／または伝導特性を正確にモデル化することは、困難である。これは、ヒトごとの変動、および個体の身体領域内での変動に起因する。さらに、組織構造および組織構造の群の存在は、さらなる複雑さを生じさせる。特定の層についての平均誘電率を仮定することは、一般に、実際の組織の複雑さを反映しないが、出発点として使用され得る。例えば、１００ＭＨｚにおいて皮膚組織について約６６の誘電率を仮定すると、マイクロ波範囲の低い端における電磁エネルギーは、約３７０ミリメートルの波長を有する。例えば、６．０ＧＨｚにおいて皮膚組織について約３８の誘電率を仮定すると、電磁エネルギーは、皮膚組織において約８ミリメートルの波長を有する。例えば、３０ＧＨｚにおいて皮膚組織について約１８の誘電率を仮定すると、マイクロ波範囲の高い端における電磁エネルギーは、皮膚組織において約２．５ミリメートルの波長を有する。従って、周波数が増加するにつれて、組織領域間の粗い不連続な界面の存在、および組織構造の存在は、信号が組織構造または不連続な組織界面に遭遇する場合に、この信号のうちの少なくともいくらかの散乱を生じさせる。一定サイズの組織構造または不連続性について、散乱は一般に、波長が減少するにつれて増加し、そして波長が組織構造、組織構造の群または界面の不連続性のサイズとほぼ同じ大きさである場合、より顕著になる。
【００１３】
電磁エネルギーが構造および界面（組織層の間の界面を含む）を有する媒体を通って伝達する場合、この電磁エネルギーは、これらの構造および界面の電気的特性および物理的特性、ならびにこのような構造および界面および周囲の組織の電気的特性および物理的特性の間の差に依存して、これらの構造および／または界面によって散乱および／または反射される。反射した電磁波が入射電磁波と相互作用する場合、これらの電磁波は、特定の状況下で一緒になって、１つ以上の強め合う干渉ピーク（例えば、電場ピーク）および１つ以上の干渉の最小値（弱め合う干渉の領域ともまた称される）を有する定常波を形成し得る。
【００１４】
本議論の目的で組織をモデル化する際に、皮膚組織は、真皮および表皮を含むようにモデル化され得る。本議論の目的で組織をモデル化する際に、皮膚組織は、約６ＧＨｚにおいて１メートルあたり約４．５ジーメンスの伝導率を有するようにモデル化され得る。本議論の目的で組織をモデル化する際に、皮膚組織は、約６ＧＨｚにおいて約４０の誘電率を有するようにモデル化され得る。本議論の目的で組織をモデル化する際に、皮下組織は、約６ＧＨｚにおいて１メートルあたり約０．３ジーメンスの伝導率を有するようにモデル化され得る。本議論の目的で組織をモデル化する際に、皮下組織は、約６ＧＨｚにおいて約５の誘電率を有するようにモデル化され得る。
【００１５】
（システムおよび装置）
図２〜図２５および図４８〜図５１は、選択された組織領域において熱を発生させるために使用され得る、本発明によるシステムの実施形態および実施形態の構成要素を図示する。図２〜図２５および図４８〜図５１は、選択された組織領域において所定の比吸収率プロフィールを生じさせるために使用され得る、本発明によるシステムの実施形態および実施形態の構成要素を図示する。図２〜図２５および図４８〜図５１は、所定の比吸収率プロフィール（例えば、図２６〜図５１に図示される比吸収率プロフィール）を生じさせるために使用され得る、本発明によるシステムの実施形態および実施形態の構成要素を図示する。図２〜図２５および図４８〜図５１は、選択された組織領域において所定の電力損失密度プロフィールを生じさせるために使用され得る、本発明によるシステムの実施形態および実施形態の構成要素を図示する。図２〜図２５および図４８〜図５１は、所定の電力損失密度プロフィール（例えば、図２６〜図５１に図示される電力損失密度プロフィール）を生じさせるために使用され得る、本発明によるシステムの実施形態および実施形態の構成要素を図示する。
【００１６】
図２〜図２５および図４８〜図５１は、選択された組織領域において所定の温度プロフィールを生じさせるために使用され得る、本発明によるシステムの実施形態および実施形態の構成要素を図示する。図２〜図２５および図４８〜図５１は、所定の温度プロフィール（例えば、図２６〜図５１に図示される温度プロフィール）を生じさせるために使用され得る、本発明によるシステムの実施形態および実施形態の構成要素を図示する。
【００１７】
図２〜図２５および図４８〜図５１は、選択された組織領域において外傷を作製するために使用され得る、本発明によるシステムの実施形態および実施形態の構成要素を図示する。図２〜図２５および図４８〜図５１は、選択された組織領域においてピークを有する比吸収率プロフィールを生じさせることによって、選択された領域に外傷を作製するために使用され得る、本発明によるシステムの実施形態および実施形態の構成要素を図示する。図２〜図２５および図４８〜図５１は、比吸収率プロフィール（例えば、図２６〜図５１に図示される非吸収率プロフィール）を生じさせることによって、選択された組織において外傷を作製するために使用され得る、本発明によるシステムの実施形態および実施形態の構成要素を図示し、ここでこの外傷は、ピーク比吸収率に対応する組織の領域において作製される。図２〜図２５および図４８〜図５１は、選択された組織領域においてピークを有する電力損失密度プロフィールを生じさせることによって、選択された領域において外傷を作製するために使用され得る、本発明によるシステムの実施形態および実施形態の構成要素を図示する。図２〜図２５および図４８〜図５１は、電力損失密度プロフィール（例えば、図２６〜図５１に図示される電力損失密度プロフィール）を生じさせることによって、選択された組織において外傷を作製するために使用され得る、本発明によるシステムの実施形態および実施形態の構成要素を図示し、ここでこの外傷は、ピーク電力損失密度に対応する組織の領域において作製される。図２〜図２５および図４８〜図５１は、選択された組織領域においてピークを有する温度プロフィールを生じさせることによって、選択された領域において外傷を作製するために使用され得る、本発明によるシステムの実施形態および実施形態の構成要素を図示する。図２〜図２５および図４８〜図５１は、温度プロフィール（例えば、図２６〜図５１に図示される温度プロフィール）を生じさせることによって、選択された組織において外傷を作製するために使用され得る、本発明によるシステムの実施形態および実施形態の構成要素を図示し、ここでこの外傷は、ピーク温度に対応する組織の領域において作製される。上記のように使用および構成され得るマイクロ波システムおよび装置の実施形態のさらなる非限定的な例は、例えば、米国仮出願番号６０／９１２，８９９の図３〜図７Ｃおよび第８頁〜第１３頁；ならびに米国仮出願番号６１／０１３，２７４の図３〜図９および図２０〜図２６、ならびに第３４頁〜第４８頁および図２０〜図２６に見出され得、これらの両方は、その全体が参考として援用される。
【００１８】
図２は、本発明の１つの実施形態に従ってマイクロ波エネルギーを発生および制御するためのシステムの１つの実施形態を図示する。図２に図示される実施形態において、制御器３０２は、例えば、信号発生器３０４により発生され増幅器３０６により増幅されたマイクロ波エネルギーの送達を制御する、カスタムデジタルロジックタイマーコントローラモジュールであり得る。制御器３０２はまた、電磁弁を制御して、減圧源３０８からの減圧の適用を制御し得る。本発明の１つの実施形態において、信号発生器３０４は、例えば、Ｍｏｄｅｌ  Ｎ５１８１Ａ  ＭＸＧ  Ａｎａｌｏｇ  Ｓｉｇｎａｌ  Ｇｅｎｅｒａｔｏｒ  １００ＫＨｚ−６ＧＨｚ（Ａｇｉｌｅｎｔ  Ｔｅｃｈｎｏｌｏｇｉｅｓから入手可能）であり得る。本発明の１つの実施形態において、増幅器３０６は、例えば、Ｍｏｄｅｌ  ＨＤ１８２８８ＳＰ  Ｈｉｇｈ  Ｐｏｗｅｒ  ＴＷＴ  Ａｍｐｌｉｆｉｅｒ  ５．７−１８ＧＨｚ（ＨＤ  Ｃｏｍｍｕｎｉｃａｔｉｏｎｓ  Ｃｏｒｐｏｒａｔｉｏｎから入手可能）であり得る。本発明の１つの実施形態において、減圧源３０８は、例えば、Ｍｏｄｅｌ  ０３７１２２４  Ｂａｓｉｃ  ３０  Ｐｏｒｔａｂｌｅ  Ｖａｃｕｕｍ  Ｐｕｍｐ（Ｍｅｄｅｌａから入手可能）であり得る。本発明の１つの実施形態において、冷却剤源３１０は、例えば、０Ｐ９ＴＮＡＮ００１  ＮａｎｏＴｈｅｒｍ  Ｉｎｄｕｓｔｒｉａｌ  Ｒｅｃｉｒｃｕｌａｔｉｎｇ  Ｃｈｉｌｌｅｒ（ＴｈｅｒｍｏＴｅｋ，Ｉｎｃ．から入手可能）であり得る。
【００１９】
図３は、本発明の１つの実施形態による、マイクロ波エネルギーを送達するシステムを図示する。図３に図示される本発明の実施形態において、電力は、電源３１８により供給され、この電源は、例えば、ＡＣ主電力線であり得る。図３に図示される本発明の実施形態において、絶縁変圧器３１６は、電源３１８により提供される主電力を分離し、そして制御器３０２、減圧源３０８、信号発生器３０４、増幅器３０６、温度データ収集システム３１４および冷却剤源３１０に、分離された電力を供給する。本発明の１つの実施形態において、減圧ケーブル３７２は、減圧源３０８をアプリケータ３２０に接続する。図３に図示される本発明の実施形態において、信号発生器３０４は信号を発生させ、この信号は例えば、持続波（ＣＷ）信号（例えば、５．８ＧＨｚの範囲の周波数を有する）であり得、そしてこの信号は、制御器３０２により制御される増幅器３０６に供給される。図３に図示される本発明の実施形態において、増幅器３０６からの出力信号は、信号ケーブル３２２によってアプリケータ３２０に伝達され得る。本発明の１つの実施形態において、信号ケーブル３２２は、例えば、光ファイバーリンクであり得る。本発明の１つの実施形態において、アプリケータ３２０は、例えば、マイクロ波エネルギーデバイスであり得る。図３に図示される本発明の実施形態において、冷却剤源３１０は、冷却剤（例えば、冷却された脱イオン水）を、冷却剤配管３２４に通してアプリケータ３２０に供給し得、そしてより具体的には、冷却剤は、流入配管３２６を通してアプリケータ３２０に供給され得、そして流出配管３２８を通して冷却剤源３１０に戻され得る。図３に図示される本発明の実施形態において、アプリケータ３２０は、温度測定デバイスを備え、これらの温度測定デバイスは、温度信号３３０を温度データ収集システム３１４に中継し、この温度データ収集システムは次に、温度信号を光ファイバーリンク３３２によって温度表示コンピュータ３１２に中継する。本発明の１つの実施形態において、絶縁変圧器３１６は、ＩＳＢ−１００Ｗ  Ｉｓｏｂｏｘ（ＭａｒｙｌａｎｄのＴｏｒｏｉｄ  Ｃｏｒｐｏｒａｔｉｏｎから入手可能）であり得る。本発明の１つの実施形態において、温度表示コンピュータ３１２は、例えば、多数の市販品のタイマー中継構成要素およびカスタム制御回路から開発された、カスタムタイマー制御器であり得る。本発明の１つの実施形態において、温度データ収集システム３１４は、例えば、ＯＰＴ−１  Ｏｐｔｉｃａｌ  Ｌｉｎｋを備えるＴｈｅｒｍｅｓ−ＵＳＢ  Ｔｅｍｐｅｒａｔｕｒｅ  Ｄａｔａ  Ａｃｑｕｉｓｉｔｉｏｎ  Ｓｙｓｔｅｍ（Ｐｈｙｓｉｔｅｍｐ  Ｉｎｓｔｒｕｍｅｎｔｓ  Ｉｎｃ．から入手可能）であり得る。
【００２０】
図４は、本発明の１つの実施形態によるマイクロ波アプリケータの側面斜視図である。図５は、本発明の１つの実施形態によるマイクロ波アプリケータの上面斜視図である。図６は、本発明の１つの実施形態によるマイクロ波アプリケータの正面図である。図４〜図６に図示される本発明の実施形態において、アプリケータ３２０は、アプリケータケーブル３３４、アプリケータハンドル３４４、アプリケータヘッド３４６、および組織ヘッド３６２を備える。図４〜図６に図示される本発明の実施形態において、組織ヘッド３６２は、減圧ポート３４２、冷却プレート３４０、組織チャンバ３３８、および組織インターフェース３３６を備える。図５に図示される本発明の実施形態において、組織ヘッド３６２は、整列フィーチャー３５２を備える整列ガイド３４８を備える。図６に図示される本発明の実施形態において、組織ヘッド３６２は、アプリケータ３２０のアプリケータヘッド３４６に設置される。図６に図示される本発明の実施形態において、組織ヘッド３６２は、整列ガイド３４８、整列フィーチャー３５２、および組織チャンバ３３８を備える。図６に図示される本発明の実施形態において、組織チャンバ３３８は、組織壁３５４および組織インターフェース３３６を備える。図６に図示される本発明の実施形態において、組織インターフェース３３６は、冷却プレート３４０、減圧ポート３４２、および減圧チャネル３５０を備える。
【００２１】
図７は、本発明の１つの実施形態によるマイクロ波アプリケータと共に使用するための組織ヘッドの正面図である。図７に図示される本発明の実施形態において、組織ヘッド３６２は、整列ガイド３４８、整列フィーチャー３５２、および組織チャンバ３３８を備える。図７に図示される本発明の実施形態において、組織チャンバ３３８は、組織壁３５４および組織インターフェース３３６を備える。図７に図示される本発明の実施形態において、組織インターフェース３３６は、冷却プレート３４０、減圧ポート３４２、および減圧チャネル３５０を備える。本発明の１つの実施形態において、組織ヘッド３６２は、取り外し可能であり、そしてマイクロ波アプリケータ（例えば、アプリケータ３２０）の使い捨て要素として使用され得る。
【００２２】
図８は、本発明の１つの実施形態による組織ヘッドの切り取り図である。図８は、本発明の１つの実施形態による組織ヘッド３６２およびアンテナ３５８の切り取り図である。本発明の１つの実施形態において、アンテナ３５８は例えば、導波管３６４であり得、この導波管は例えば、導波管配管３６６および誘電フィルタ３６８を備え得る。図８に図示される本発明の実施形態において、アンテナ３５８は、隔離部３７６によって、冷却剤チャンバ３６０内の冷却流体３６１から隔離される。図８に図示される本発明の実施形態において、チャンバ壁３５４は、組織の収集を容易にするチャンバ角度Ｚを有する。図８に図示される本発明の実施形態において、冷却プレート３４０を備え得る組織インターフェース３３６は、最小の寸法Ｘを有し、そして組織チャンバ３３８は、深さＹを有する。
【００２３】
図９は、本発明の１つの実施形態によるマイクロ波アプリケータの側面切り取り図である。図１０は、本発明の１つの実施形態によるマイクロ波アプリケータの上面斜視部分切り取り図である。図１１は、本発明の１つの実施形態によるマイクロ波アプリケータの側面部分切り取り図である。図９〜図１１に図示される本発明の実施形態において、アプリケータ３２０は、アプリケータハウジング３５６および組織ヘッド３６２を備える。図９〜図１１に図示される本発明の実施形態において、アプリケータハウジング３５６は、アプリケータハンドル３４４およびアプリケータヘッド３４６の少なくとも一部分を囲む。図９〜図１１に図示される本発明の実施形態において、アプリケータケーブル３３４は、冷却剤配管３２４、流入配管３２６、流出配管３２８、信号ケーブル３２２および減圧ケーブル３７２を備える。図９〜図１１に図示される本発明の実施形態において、減圧ケーブル３７２は、減圧スプリッタ３７４に接続される。図９〜図１１に図示される本発明の実施形態において、アプリケータ３２０は、アンテナ２５８を備える。図９〜図１１に図示される本発明の実施形態において、アンテナ３５８は、導波管アンテナ３６４を備え得る。図９〜図１１に図示される本発明の実施形態において、導波管アンテナ３６４は、誘電フィルタ３６８および導波管配管３６６を備え得る。本発明の実施形態において、冷却チャンバ３６０は、冷却プレート３４０の１つの表面を横切る冷却流体３６１の連続的な流れを容易にするように構成され得る。図９〜図１１に図示される本発明の実施形態において、信号ケーブル３２２は、アンテナフィード３７０によりアンテナ３５８に接続され、このアンテナフィードは、例えば、半剛性の同軸ケーブルまたはパネルマウントコネクタの遠位端であり得、そしてこのケーブルまたはコネクタの中心導線を備える。図９〜図１１に図示される本発明の実施形態において、アプリケータ３２０は、組織ヘッド３６２を備える。図９〜図１１に図示される本発明の実施形態において、組織ヘッド３６２は、組織チャンバ３３８、チャンバ壁３５４、冷却プレート３４０および冷却チャンバ３６０を備える。図９〜図１１に図示される本発明の実施形態において、冷却チャンバ３６０は、流入配管３２６および流出配管３２８に接続される。図１０に図示される本発明の実施形態において、減圧ケーブル３７２は、二次減圧ケーブル３７５に接続される。図１０に図示される本発明の実施形態において、二次減圧ケーブル３７５は、組織ヘッド３６２内の減圧ポート３４２（図示せず）に接続される。
【００２４】
図１１に図示される本発明の実施形態において、減圧ケーブル３７２は、二次減圧ケーブル３７５に接続される。図１１に図示される本発明の実施形態において、二次減圧ケーブル３７５は、組織ヘッド３６２内の減圧ポート３４２（図示せず）に接続される。
【００２５】
図１２は、本発明の１つの実施形態による組織ヘッドおよびアンテナの切り取り図である。図１３は、本発明の１つの実施形態による組織ヘッドおよびアンテナの切り取り図である。図１４は、本発明の１つの実施形態による組織ヘッド、アンテナおよびフィールドスプレッダの切り取り図である。図１５は、本発明の１つの実施形態による組織ヘッド、アンテナおよびフィールドスプレッダの切り取り図である。図１６は、本発明の１つの実施形態による組織ヘッド、アンテナおよびフィールドスプレッダの切り取り図である。図１７は、本発明の１つの実施形態による組織ヘッド、アンテナおよびフィールドスプレッダの切り取り図である。図１８は、本発明の１つの実施形態による組織ヘッド、アンテナおよびフィールドスプレッダの切り取り図である。図１９は、組織が係合した、本発明の１つの実施形態による組織ヘッド、アンテナおよびフィールドスプレッダの切り取り図である。図１２〜図１９に図示される本発明の実施形態において、アンテナ３５８は、例えば、導波管アンテナ３６４であり得る。図１２〜図１９に図示される本発明の実施形態において、導波管アンテナ３６４は、例えば、導波管配管３６６、導波管フィルタ３６８を備え得、そして例えばアンテナフィード３７０によって、信号ケーブル３２２に接続され得る。図１２〜図１９に図示される本発明の実施形態において、組織ヘッド３６２は、例えば、組織チャンバ３３８、チャンバ壁３５４、冷却プレート３４０および冷却チャンバ３６０を備え得る。図１２〜図１９に図示される本発明の実施形態において、冷却チャンバ３６０は、冷却流体３６１を含み得る。
【００２６】
図１２に図示される本発明の実施形態において、アンテナ３５８は、隔離部３７６によって、冷却剤チャンバ３６０内の冷却流体３６１から隔離される。図１３に図示される本発明の実施形態において、アンテナ３５８の少なくとも一部分は、冷却剤チャンバ３６０内に配置される。図１３に図示される本発明の実施形態において、導波管アンテナ３６４の少なくとも一部分は、冷却剤チャンバ３６０内に配置される。図１３に図示される本発明の実施形態において、導波管アンテナ３６４は、導波管配管３６６と誘電フィルタ３６８との少なくとも一部分が冷却剤チャンバ３６０内の冷却流体３６１と接触するように、冷却剤チャンバ３６０内に配置される。
【００２７】
図１４に図示される本発明の実施形態において、フィールドスプレッダ３７８は、導波管アンテナ３６４の出力に配置される。図１４に図示される本発明の１つの実施形態において、フィールドスプレッダ３７８は、誘電フィルタ３６８の延長部であり、そして導波管アンテナ３６４の出力に配置される。図１４に図示される本発明の１つの実施形態において、フィールドスプレッダ３７８は、冷却剤チャンバ３６０内に延びる誘電フィルタ３６８の延長部である。図１４に図示される本発明の１つの実施形態において、フィールドスプレッダ３７８は、冷却剤チャンバ３６０を通って冷却プレート３４０まで延びる、誘電フィルタ３６８の延長部である。
【００２８】
図１５に図示される本発明の１つの実施形態において、フィールドスプレッダ３８０は、導波管アンテナ３６４の誘電フィルタ３６８内に統合される。図１５に図示される本発明の１つの実施形態において、フィールドスプレッダ３８０は、誘電フィルタ３６８の残りの部分の誘電率とは異なる誘電率を有する、誘電フィルタ３６８の領域である。図１５に図示される本発明の１つの実施形態において、フィールドスプレッダ３８０は、約１〜１５の範囲の誘電率を有する領域である。
【００２９】
図１６に図示される本発明の１つの実施形態において、フィールドスプレッダ３８２は、導波管アンテナ３６４の誘電フィルタ３６８内に統合され、そして冷却剤チャンバ３６０内に延びる。図１６に図示される本発明の１つの実施形態において、フィールドスプレッダ３８２は、導波管アンテナ３６４の誘電フィルタ３６８内に統合され、そして冷却剤チャンバ３６０を通って冷却プレート３４０まで延びる。図１６に図示される本発明の１つの実施形態において、フィールドスプレッダ３８２は、誘電フィルタ３６８の誘電率とは異なる誘電率を有する。図１５に図示される本発明の１つの実施形態において、フィールドスプレッダ３８０は、約１〜１５の範囲の誘電率を有する領域である。図１７に図示される本発明の１つの実施形態において、フィールドスプレッダは、誘電フィルタ３６８内の切り欠き３８４からなり得る。図１７に図示される本発明の１つの実施形態において、切り欠き３８４は、誘電フィルタ３６８内の円錐形の切り欠きである。図１７に図示される本発明の１つの実施形態において、切り欠き３８４は、冷却チャンバ３６０内の冷却流体３６１が切り欠き３８４を少なくとも部分的に満たすように、冷却チャンバ３６０に接続される。図１７に図示される本発明の１つの実施形態において、切り欠き３８４は、冷却チャンバ３６０内の冷却流体３６１が切り欠き３８４を満たすように、冷却チャンバ３６０に接続される。
【００３０】
図１８に図示される本発明の１つの実施形態において、フィールドスプレッダ３８２は、冷却プレート３４０内に統合されるか、または冷却プレート３４０から突出する。図１８に図示される本発明の１つの実施形態において、フィールドスプレッダ３８２は、組織インターフェース３３６において、冷却プレート３４０内に統合されるか、または冷却プレート３４０から突出する。図１８に図示される本発明の１つの実施形態において、フィールドスプレッダ３８２は、冷却プレート３４０内に統合されるか、または冷却プレート３４０から突出して、組織チャンバ３３８に入る。
【００３１】
図１９に図示される本発明の実施形態において、皮膚１３０７は、組織チャンバ３３８内に係合する。図１９に図示される本発明の実施形態において、真皮１３０５および皮下組織１３０３は、組織チャンバ３３８内に係合する。図１９に図示される本発明の実施形態において、皮膚表面１３０６は、皮膚表面１３０６がチャンバ壁３５４および冷却プレート３４０の少なくとも一部分に接触するように、組織チャンバ３３８内に係合する。図１９に図示されるように、真皮１３０５および皮下組織１３０３を上昇させるために減圧が使用され得、真皮１３０５および皮下組織１３０３を筋肉１３０１から分離する。図１９に図示されるように、真皮１３０５および皮下組織１３０３を上昇させるために減圧が使用され得、真皮１３０５および皮下組織１３０３を筋肉１３０１から分離し、例えば、筋肉１３０１に達する電磁エネルギーを制限または排除することによって、筋肉１３０１を保護する。
【００３２】
図２０は、本発明の１つの実施形態による、組織が係合した組織ヘッドおよびアンテナの切り取り図である。図２０に図示される本発明の実施形態において、アプリケータ３２０は、アプリケータハウジング３５６、アンテナ３５８、減圧チャネル３５０および組織ヘッド３６２を備える。図２０に図示される本発明の実施形態において、組織ヘッド３６２は、減圧導管３７３、冷却要素３８６および冷却プレート３４０を備える。本発明の実施形態において、冷却要素３８６は、例えば、固体冷却剤；熱だめ；液体スプレー、気体スプレー、冷却プレート、電熱クーラー；またはこれらの任意の組み合わせであり得る。図２０に図示される本発明の実施形態において、減圧チャネル３５０は、減圧導管３７３および減圧ポート３４２に接続される。図２０に図示される本発明の実施形態において、皮膚表面１３０６は、皮膚表面１３０６がチャンバ壁３５４および冷却プレート３４０の少なくとも一部分と接触するように、例えば、減圧ポート３４２における減圧によって、組織チャンバ３３８内に係合する。図２０に図示されるように、減圧ポート３４２における減圧は、真皮１３０５および皮下組織１３０３を上昇させるために使用され得、真皮１３０５および皮下組織１３０３を筋肉１３０１から分離する。図２０に図示されるように、減圧ポート３４２における減圧は、真皮１３０５および皮下組織１３０３を上昇させるために使用され得、真皮１３０５および皮下組織１３０３を筋肉１３０１から分離し、例えば、筋肉１３０１に達する電磁エネルギーを制限または排除することによって、筋肉１３０１を保護する。
【００３３】
図２１〜図２３は、本発明の１つの実施形態による、複数の導波管アンテナを備える組織ヘッドを図示する。図２１〜図２３に図示される本発明の実施形態において、組織ヘッド３６２は、本発明の実施形態による複数の導波管アンテナ３６４を備える。図２１に図示される本発明の実施形態において、２つの導波管アンテナ３６４が組織ヘッド３６２内に配置されている。図２１〜図２３に図示される本発明の実施形態において、導波管３６４は、供給コネクタ３８８および調整ねじ３９０を備える。図２２に図示される本発明の実施形態において、４つの導波管アンテナ３６４が組織ヘッド３６２内に配置されている。図２３に図示される本発明の実施形態において、６つの導波管アンテナ３６４が組織ヘッド３６２内に配置されている。
【００３４】
図２４は、本発明の１つの実施形態によるアプリケータ３２０と共に使用するための使い捨て組織ヘッド３６３を図示する。図２４に図示される本発明の実施形態において、使い捨て組織ヘッド３６３は、アンテナ３６４を使い捨て組織ヘッド３６３内に配置して、アプリケータハウジング３５６と係合する。図２５は、本発明の１つの実施形態によるアプリケータ３２０と共に使用するための使い捨て組織ヘッド３６３を図示する。図２５に図示される本発明の実施形態において、使い捨て組織ヘッド３６３は、アプリケータハウジング３５６と係合し、そしてラッチ３６５で適所に保持される。
【００３５】
（組織プロフィール）
図２６〜図５１は、本発明の実施形態による一連の組織プロフィール（例えば、組織における電力蓄積プロフィール）を図示する。図２６〜図５１に図示される本発明の実施形態において、図示される組織プロフィールは、例えば、ＳＡＲプロフィール、電力損失密度プロフィールまたは温度プロフィールを表し得る。本発明のいくつかの実施形態において、図２〜図２５に図示されるシステムの実施形態および実施形態の構成要素、ならびに例えば、米国仮出願番号６０／９１２，８９９の図３〜図７Ｃおよび第８頁〜第１３頁；ならびに米国仮出願番号６１／０１３，２７４の図３〜図９および図２０〜図２６、ならびに第３４頁〜第４８頁および図２０〜図２６（これらの両方は、その全体が本明細書中に参考として援用される）に図示および記載されるものは、図２６〜図５１に図示される組織プロフィールを生じさせるために使用され得る。
【００３６】
図２６〜図３５は、本発明の実施形態による一連の組織プロフィールを図示する。図２６〜図３５に図示される本発明の実施形態において、アンテナ３５８は、例えば、単純な双極アンテナまたは導波管アンテナであり得る。図２６〜図３５に図示される本発明の実施形態において、アンテナ３５８は、媒体１３１８内に配置され得る。図２６〜図３５に図示される本発明の実施形態において、アンテナ３５８は、媒体１３１８を通して組織内に電磁信号を放射し、図２６〜図３５に図示されるパターンを生じさせる。本発明の１つの実施形態において、媒体１３１８は、例えば、約１０の誘電率（これは、透過率ともまた称され得る）を有する誘電材料であり得る。
【００３７】
図２６に図示される本発明の実施形態において、アンテナ３５８は、例えば、約３．０ＧＨｚの周波数のエネルギーを放射し得る。図２７に図示される本発明の実施形態において、アンテナ３５８は、例えば、約３．５ＧＨｚの周波数のエネルギーを放射し得る。図２８に図示される本発明の実施形態において、アンテナ３５８は、例えば、約４．０ＧＨｚの周波数のエネルギーを放射し得る。図２９に図示される本発明の実施形態において、アンテナ３５８は、例えば、約４．５ＧＨｚの周波数のエネルギーを放射し得る。図３０に図示される本発明の実施形態において、アンテナ３５８は、例えば、約５．０ＧＨｚの周波数のエネルギーを放射し得る。図３１に図示される本発明の実施形態において、アンテナ３５８は、例えば、約５．８ＧＨｚの周波数のエネルギーを放射し得る。図３２に図示される本発明の実施形態において、アンテナ３５８は、例えば、約６．５ＧＨｚの周波数のエネルギーを放射し得る。図３３に図示される本発明の実施形態において、アンテナ３５８は、例えば、約７．５ＧＨｚの周波数のエネルギーを放射し得る。図３４に図示される本発明の実施形態において、アンテナ３５８は、例えば、約８．５ＧＨｚの周波数のエネルギーを放射し得る。図３５に図示される本発明の実施形態において、アンテナ３５８は、例えば、約９．０ＧＨｚの周波数のエネルギーを放射し得る。本発明の１つの実施形態において、組織プロフィール（例えば、図３４および図３５に図示されるプロフィール）は、少なくとも２つの強め合う干渉ピークを含み得、これらのうちの第一の強め合う干渉ピークは、第二の強め合う干渉ピークより下の組織中に位置する。本発明の１つの実施形態において、組織プロフィール（例えば、図３４および図３５に図示されるプロフィール）は、少なくとも２つの強め合う干渉ピークを含み得、これらのうちの第二の強め合う干渉ピークは、皮膚表面の近くに位置する。
【００３８】
アンテナ３５８が、例えば組織インターフェースを備える組織ヘッドの少なくとも一部分を通して放射する導波管アンテナ（例えば、図４８に図示される導波管アンテナ）である、本発明の実施形態において、特定の組織プロフィール（例えば、ＳＡＲプロフィール、電力損失プロフィールまたは温度プロフィール）が生じる周波数は、このようなプロフィールが双極アンテナにより生じる周波数とは異なり得る。本発明の１つの実施形態において、導波管アンテナと皮膚表面との間に配置された組織ヘッドは、例えば、隔離部３７６、冷却流体３６１（例えば、脱イオン水）で満たされた冷却チャンバ３６０、および冷却プレート３４０を備え得る。アンテナ３５８が導波管である本発明の１つの実施形態において、アンテナ３５８は、皮膚表面１３０６から約１．５ミリメートルの距離に配置され得る。本発明の１つの実施形態において、図３４は、アンテナ３５８が例えば約１０ＧＨｚの周波数で組織ヘッドを通してエネルギーを放射する導波管アンテナである場合に得られるプロフィールを図示する。本発明の１つの実施形態において、図３５は、アンテナ３５８が例えば、約１２ＧＨｚの周波数で組織ヘッドを通してエネルギーを放射する導波管アンテナである場合に得られるプロフィールを図示する。
【００３９】
図２６〜図３５に図示される本発明の実施形態において、アンテナ３５８は、例えば、波長（作動的周波数において測定される）の約半分の長さを有し得る。図２６〜図３５に図示される本発明の実施形態において、アンテナ３５８は、例えば、皮膚表面１３０６に関して放射近距離場領域に配置され得る。図２６〜図３５に図示される本発明の実施形態において、アンテナ３５８は、例えば、皮膚表面１３０６から約１０ミリメートルの距離に配置され得る。図２６〜図３０に図示される本発明の実施形態において、アンテナ３５８は、例えば、約１２ミリメートルのアンテナ高を有する双極アンテナであり得る。図３１に図示される本発明の１つの実施形態において、アンテナ３５８は、例えば、約８．５ミリメートルのアンテナ高を有する双極アンテナであり得る。図２７〜３５に図示される本発明の１つの実施形態において、アンテナ３５８は、例えば、約７ミリメートルのアンテナ高を有する双極アンテナであり得る。
【００４０】
図２６〜図３５に図示される本発明の実施形態において、アンテナ３５８からの電力は、皮膚表面１３０６を通して伝達され、プロフィール（例えば、ＳＡＲプロフィール、電力損失密度プロフィールまたは温度プロフィール）を、真皮１３０５において生じさせる。図２６〜図３５に図示される本発明の実施形態において、アンテナ３５８から皮膚表面１３０６を通して伝達される電力は、第一の組織領域１３０９にピークを有するプロフィールを生じさせる。図２６〜図３５に図示される本発明の実施形態において、アンテナ３５８から皮膚表面１３０６を通して伝達される電力は、第一の組織領域１３０９から第二の組織領域１３１１へと大きさが減少するプロフィールを生じさせる。図２６〜図３５に図示される本発明の実施形態において、アンテナ３５８から皮膚表面１３０６を通して伝達される電力は、第二の組織領域１３１１から第三の組織領域１３１３へと大きさが減少するＳＡＲプロフィールを生じさせる。図２６〜図３５に図示される本発明の実施形態において、アンテナ３５８から皮膚表面１３０６を通して伝達される電力は、第三の組織領域１３１３から第四の組織領域１３１５へと大きさが減少するプロフィールを生じさせる。
【００４１】
例えば図２６〜図３９に図示される、本発明の１つの実施形態において、アンテナ３５８から皮膚表面１３０６を通して伝達される電力は、界面１３０８から少なくとも部分的に反射し、その結果、例えばＳＡＲ、電力損失密度または温度のピークの大きさが、皮膚表面１３０６より下の第一の組織領域１３０９において生じる。図２６〜図３９に図示される本発明の実施形態において、界面１３０８は、実質的に直線として理想化されるが、実際の組織においては、界面１３０８は非直線の不連続な粗い界面であると予測され得、これはまた、界面１３０８を横断および分断する組織構造および組織構造の群を含む。本発明の１つの実施形態において、例えばＳＡＲ、電力損失密度または温度のピークの大きさは、入射電力と反射電力との間の強め合う干渉が皮膚組織の第一の層より下の第一の組織領域１３０９に位置する結果として形成される。本発明の１つの実施形態において、例えばＳＡＲ、電力損失密度または温度の最小の大きさは、入射電力と反射電力との間の弱め合う干渉が皮膚表面１３０６の近くの皮膚組織の第一の層に位置することの結果として形成される。本発明の１つの実施形態において、界面１３０８は、例えば、皮膚１３０５と皮下組織１３０３との間の界面であり得る。本発明の１つの実施形態において、第一の組織領域１３０９は、皮膚の下半分において形成され得る。本発明の１つの実施形態において、界面１３０８は、例えば、高誘電率／高伝導率の組織層と、低誘電率／低伝導率の組織との間の界面であり得る。本発明の１つの実施形態において、界面１３０８は、例えば、腺層と皮下組織との間の界面であり得る。
【００４２】
本発明の１つの実施形態において、皮膚表面１３０６を通して伝達されるエネルギーは、第一の領域１３０９においてピーク温度を生じさせる。本発明の１つの実施形態において、皮膚表面１３０６を通して伝達されるエネルギーは、第一の領域１３０９の温度を、領域１３０９における組織において高熱を誘導するために充分な温度まで上昇させる。本発明の１つの実施形態において、皮膚表面１３０６を通して伝達されるエネルギーは、第一の領域１３０９の温度を、領域１３０９における組織を切除するために充分な温度まで上昇させる。本発明の１つの実施形態において、皮膚表面１３０６を通して伝達されるエネルギーは、第一の領域１３０９の温度を、領域１３０９における組織において細胞死を引き起こすために充分な温度まで上昇させる。本発明の１つの実施形態において、皮膚表面１３０６を通して伝達されるエネルギーは、第一の領域１３０９の温度を、第一の領域１３０９において外傷コアを形成するために充分な温度まで上昇させる。本発明の１つの実施形態において、皮膚表面１３０６を通して伝達されるエネルギーは、第一の領域１３０９の温度を、領域１３０９における組織に外傷を作製するために充分な温度まで上昇させる。本発明の１つの実施形態において、皮膚表面１３０６を通して伝達されるエネルギーは、領域１３０９における組織の温度を、誘導加熱により上昇させる。本発明の１つの実施形態において、皮膚表面１３０６を通して伝達されるエネルギーは、領域１３０９における組織の温度を優先的に、周囲の領域の温度より高温に上昇させる。
【００４３】
本発明の１つの実施形態において、皮膚表面１３０６を通して伝達されるエネルギーは、第一の領域１３０９において、第一の領域１３０９の周囲の組織を加熱するために充分な温度を、例えば伝導加熱により発生させる。本発明の１つの実施形態において、皮膚表面１３０６を通して伝達されるエネルギーは、第一の領域１３０９において、第一の領域１３０９の周囲の組織内の組織構造（例えば、汗腺または毛包）を加熱するために充分な温度を、例えば伝導加熱により発生させる。本発明の１つの実施形態において、皮膚表面１３０６を通して伝達されるエネルギーは、第一の領域１３０９において、第一の領域１３９の周囲の組織において高温を生じさせるために充分な温度を、例えば伝導加熱により発生させる。本発明の１つの実施形態において、皮膚表面１３０６を通して伝達されるエネルギーは、第一の領域１３０９において、第一の領域１３０９の周囲の組織の切除を引き起こすために充分な温度を、例えば伝導加熱により発生させる。本発明の１つの実施形態において、皮膚表面１３０６を通して伝達されるエネルギーは、第一の領域１３０９において、第一の領域１３０９の周囲の組織において外傷を作製するために充分な温度を、例えば伝導加熱により発生させる。本発明の１つの実施形態において、皮膚表面１３０６を通して伝達されるエネルギーは、第一の領域１３０９において、第一の領域１３０９の周囲の組織内に外傷を拡張させるために充分な温度を、例えば、伝導加熱により発生させる。
【００４４】
（近距離場）
図３６〜図３９は、本発明の１つの実施形態による一連の組織プロフィールを図示する。図３６〜図３９に図示される本発明の実施形態において、アンテナ３５８は、例えば、単純な双極アンテナまたは導波管アンテナであり得る。図３６〜図３９に図示される本発明の実施形態において、アンテナ３５８は、例えば、約５．８ＧＨｚの所定の周波数で励起し得る。図３６〜図３８に図示される本発明の実施形態において、アンテナ３５８は、例えば、皮膚表面１３０６に関して放射近距離場領域に配置され得る。図３９に図示される本発明の実施形態において、アンテナ３５８は、例えば、皮膚表面１３０６に関して放射近距離場領域に配置され得る。図３６〜図３９に図示される本発明の実施形態において、アンテナ３５８は、例えば、皮膚表面１３０６から約１０ミリメートルと約２ミリメートルとの間の距離Ａに配置され得る。図３６〜図３９に図示される本発明の実施形態において、アンテナ３５８は、媒体１３１８内に配置され得る。図３６〜図３９に図示される本発明の実施形態において、アンテナ３５８は、約８．５ミリメートルのアンテナ高を有する双極アンテナであり得る。図３６〜図３９に図示される本発明の実施形態において、アンテナ３５８は、例えば、約５．８ＧＨｚの周波数のエネルギーを放射し得る。
【００４５】
図３６〜図３９に図示される本発明の実施形態において、アンテナ３５８からの電力は、皮膚表面１３０６を通して伝達され、皮膚１３０５においてＳＡＲプロフィールを生じさせる。図３６〜図３９に図示される本発明の実施形態において、アンテナ３５８から皮膚表面１３０６を通して伝達される電力は、第一の皮膚領域１３０９にピークを有するＳＡＲプロフィールを生じさせる。図３６〜図３９に図示される本発明の実施形態において、アンテナ３５８から皮膚表面１３０６を通して伝達される電力は、例えばＳＡＲ、電力損失密度または温度、例えばＳＡＲ、電力損失密度または温度の大きさ、第一の組織領域１３０９から第二の組織領域１３１１への減少、第二の組織領域１３１１から第三の組織領域１３１３への減少、および第三の組織領域１３１３から第四の組織領域１３１５への減少を表し得る、組織プロフィールを生じさせる。
【００４６】
例えば図３６に図示される、本発明の１つの実施形態において、アンテナ３５８から皮膚表面１３０６を通して伝達される電力は、界面１３０８から少なくとも部分的に反射し、その結果、例えばＳＡＲ、電力損失密度または温度のピークが、皮膚表面１３０６より下の第一の組織領域１３０９において生じる。例えば図３６に図示される、本発明の１つの実施形態において、入射電力と反射電力との間の強め合う干渉が結果として形成される、例えばＳＡＲ、電力損失密度または温度のピークは、皮膚組織の層より下の第一の組織領域１３０９に位置する。例えば図３６に図示される、本発明のつの実施形態において、入射電力と反射電力との間の強め合う干渉の結果として形成される、例えばＳＡＲ、電力損失密度または温度のピークは、皮膚の下半分の第一の組織領域１３０９に位置する。図３６に図示される本発明の１つの実施形態において、アンテナ３５８は、例えば、皮膚表面１３０６から約１０ミリメートルの距離Ａに位置し得る。図３７に図示される本発明の１つの実施形態において、アンテナ３５８は、例えば、皮膚表面１３０６から約５ミリメートルの距離Ａに位置し得る。図３８に図示される本発明の１つの実施形態において、アンテナ３５８は、例えば、皮膚表面１３０６から約３ミリメートルの距離Ａに位置し得る。図３９に図示される本発明の１つの実施形態において、アンテナ３５８は、例えば、皮膚表面１３０６から約２ミリメートルの距離Ａに位置し得る。図３６〜３８に図示される本発明の１つの実施形態において、領域１３０９内の組織は、第一の組織領域１３０９の上の層内の組織に対して優先的に加熱される。
【００４７】
図３６に図示される本発明の１つの実施形態において、アンテナ３５８は、皮膚表面１３０６の放射近距離場内の距離Ａに位置し得る。図３７に図示される本発明の１つの実施形態において、アンテナ３５８は、皮膚表面１３０６の放射近距離場内の距離Ａに位置し得る。図３８に図示される本発明の１つの実施形態において、アンテナ３５８は、皮膚表面１３０６の放射近距離場内の距離Ａに位置し得る。図３９に図示される本発明の１つの実施形態において、アンテナ３５８は、皮膚表面１３０６の反応性の近距離場内の距離Ａに位置し得る。図３９に図示されるように、本発明の１つの実施形態において、アンテナを反応性の近距離場に配置することによって、かなりの反応性カップリングが生じ、これは、上部皮膚層における電力蓄積を増加させ、そして図３６〜図３８に図示される優先加熱プロフィールを破壊する。
【００４８】
（優先加熱−真皮）
図４０〜図４３は、本発明の１つの実施形態による組織プロフィールを図示する。図４０〜図４３に図示される本発明の実施形態において、真皮１３０５および皮下組織１３０３は、組織構造１３２５を含み得、これらの組織構造は、例えば、汗腺（例えば、エクリン腺、アポクリン腺またはアポエクリン腺を含む）であり得る。図４０〜図４３に図示される本発明の実施形態において、真皮１３０５および皮下組織１３０３は、組織構造１３２５を含み得、これらの組織構造は、例えば、汗腺（例えば、エクリン腺、アポクリン腺またはアポエクリン腺を含む）であり得る。図４０〜図４３に図示される本発明の実施形態において、真皮１３０５および皮下組織１３０３は、組織構造１３２５を含み得、これらの組織構造は、例えば、毛包であり得る。図４０〜図４３に図示される本発明の実施形態において、組織構造１３２５は、組織構造１３２５から皮膚表面１３０６まで延びる管１３２９を含み得る。
【００４９】
図４０は、本発明の１つの実施形態による組織プロフィールを図示する。図４０に図示される本発明の実施形態において、外傷コア１３２１が、真皮１３０５の所定の部分において、例えば真皮１３０５を電磁放射線で照射して外傷コア１３２１において組織に誘導加熱を発生させることにより、作製される。本発明の１つの実施形態において、外傷コア１３２１は、例えば、外傷が成長し始める組織層内の点または領域であり得る。図４０に図示される本発明の実施形態において、外傷コア１３２１は、外傷コア１３２１の誘電加熱により皮膚組織中に発生する熱によって、作製される。図４０に図示される本発明の実施形態において、外傷コア１３２１は、エネルギーが真皮１３０５に加えられると拡張する。図４０に図示される本発明の実施形態において、外傷コア１３２１は、強め合う干渉ピークが皮膚表面１３０６を通して伝達される電磁エネルギーにより生じる真皮１３０５の領域に位置し得る。図４０に図示される本発明の実施形態において、外傷コア１３２１は、強め合う干渉ピークが皮膚表面１３０６を通して伝達される電磁エネルギーにより生じる真皮１３０５の領域に位置し得、ここで皮膚表面１３０６を通して伝達される電磁エネルギーの少なくとも一部分は、界面１３０８（これは例えば、高誘電率／高伝導性組織と低誘電率／低伝導性の組織との間の界面であり得る）から反射する。図４０に図示される本発明の実施形態において、外傷コア１３２１は、強め合う干渉ピークが皮膚表面１３０６を通して伝達される電磁エネルギーにより生じる真皮１３０５の領域に位置し得、ここで皮膚表面１３０６を通して伝達される電磁エネルギーの少なくとも一部分は、界面１３０８（これは例えば、真皮１３０５と皮下組織１３０３との間の界面であり得る）から反射する。
【００５０】
図４１は、本発明の１つの実施形態による組織プロフィールを図示する。図４１に図示される本発明の実施形態において、外傷コア１３２１は、エネルギーが真皮１３０５に加えられると拡張し、熱を発生させ、この熱が周囲の組織に伝導して拡張外傷１３２３を作製する。図４１に図示される本発明の実施形態において、外傷コア１３２１から拡張外傷１３２３に伝導する熱は、組織（組織構造１３２５が挙げられる）を損傷する。図４１に図示される本発明の実施形態において、外傷コア１３２１から拡張外傷１３２３内に伝導される熱は、界面１３０８を横断し、そして界面１３０８より下の組織（組織構造１３２５が挙げられる）を損傷する。
【００５１】
図４２は、本発明の１つの実施形態による組織プロフィールを図示する。図４２に図示される本発明の実施形態において、外傷コア１３２１は、真皮１３０５の所定の部分に、例えば真皮１３０５を電磁放射線で照射して外傷コア１３２１における組織内に誘電加熱を発生させることにより作製される。図４２に図示される本発明の実施形態において、外傷コア１３２１は、エネルギーが真皮１３０５に加えられると拡張する。図４２に図示される本発明の実施形態において、熱は、皮膚表面１３０６から除去される。図４２に図示される本発明の実施形態において、熱は、皮膚表面１３０６を通して真皮１３０５から除去される。図４２に図示される本発明の実施形態において、熱は、皮膚表面１３０６を冷却することによって、皮膚表面１３０６を通して真皮１３０５から除去される。図４２に図示される本発明の実施形態において、皮膚表面１３０６を通して真皮１３０５から除去される熱は、外傷コア１３２１が皮膚表面１３０６の方向に成長することを防止する。図４２に図示される本発明の実施形態において、皮膚表面１３０６を通して真皮１３０５から除去されることは、外傷コア１３２１が冷却される領域１３２７内に成長することを防止する。
【００５２】
図４３は、本発明の１つの実施形態による組織プロフィールを図示する。図４３に図示される本発明の実施形態において、外傷コア１３２１は、真皮１３０５の所定の部分において、例えば、真皮１３０５を電磁放射線で照射して外傷コア１３２１における組織において誘電加熱を発生させることにより作製され、そして拡張外傷１３２３は、外傷コア１３２１から伝導される熱により作製される。図４３に図示される本発明の実施形態において、外傷コア１３２１は、真皮１３０５にエネルギーが加えられると拡張し、そして拡張外傷１３２３は、熱が外傷コア１３２１から伝導されると拡張する。図４３に図示される本発明の実施形態において、熱は、皮膚表面１３０６から除去される。図４３に図示される本発明の実施形態において、熱は、皮膚表面１３０６を通して真皮１３０５から除去される。図４３に図示される本発明の実施形態において、熱は、皮膚表面１３０６を冷却することにより、皮膚表面１３０６を通して真皮１３０５から除去される。図４３に図示される本発明の実施形態において、皮膚表面１３０６を通して真皮１３０５から除去される熱は、外傷コア１３２１および拡張外傷１３２３が、皮膚表面１３０６の方向に成長することを防止する。図４３に図示される本発明の実施形態において、皮膚表面１３０６を通して真皮１３０５から除去されることは、外傷コア１３２１および拡張外傷１３２３が冷却される領域１３２７内に成長することを防止する。
【００５３】
（優先加熱−腺層）
図４４〜図４７は、本発明の１つの実施形態による組織プロフィールを図示する。図４４〜図４７に図示される本発明の実施形態において、真皮１３０５および皮下組織１３０３は、組織構造１３２５を含み得、これらの組織構造は、例えば、汗腺（例えば、エクリン腺、アポクリン腺またはアポエクリン腺を含む）であり得る。図４４〜図４７に図示される本発明の実施形態において、真皮１３０５および皮下組織１３０３は、組織構造１３２５を含み得、これらの組織構造は、例えば、汗腺（例えば、エクリン腺、アポクリン腺またはアポエクリン腺を含む）であり得る。図４４〜図４７に図示される本発明の実施形態において、真皮１３０５および皮下組織１３０３は、組織構造１３２５を含み得、これらの組織構造は、例えば、毛包であり得る。図４４〜図４７に図示される本発明の実施形態において、組織構造１３２５は、組織構造１３２５から皮膚表面１３０６まで延びる管１３２９を含み得る。図４４〜図４７に図示される本発明の実施形態において、組織構造１３２５は、腺層１３３１内に集中し得る。図４４〜図４７に図示される本発明の実施形態において、組織構造１３２５は、腺層１３３１内に集中し得、ここで腺層１３３１は、上界面１３３５および下界面１３３３を有する。図４４〜図４７に図示される本発明の実施形態において、腺層１３３１は、腺層１３３１と真皮１３０５との間の上界面１３３５を有し得る。図４４〜図４７に図示される本発明の実施形態において、腺層１３３１は、腺層１３３１と皮下組織１３０３との間の下界面１３３３を有し得る。図４４〜図４７に図示される本発明の実施形態において、界面１３３３は、実際の組織において、非直線の不連続な粗い界面であり得、これはまた、多くの組織構造および組織構造の群を含み、これらは、組織界面１３３３の粗さおよび非直線性を追加する。
【００５４】
図４４〜図４７に図示される本発明の実施形態において、組織構造１３２５は、少なくとも部分的に、高誘電率／高伝導性の組織（例えば、汗腺）からなり得る。図４４〜図４７に図示される本発明の実施形態において、組織構造１３２５は、少なくとも部分的に、高い含水量を有する組織（例えば、汗腺）からなり得る。図４４〜図４７に図示される本発明の実施形態において、腺層１３３１は、少なくとも部分的に、高誘電率／高伝導性の組織からなり得る。図４４〜図４７に図示される本発明の実施形態において、腺層１３３１は、腺層１３３１と高誘電率／高伝導性の組織（例えば、真皮１３０５）との間の上界面１３３５を有し得る。図４４〜図４７に図示される本発明の実施形態において、腺層１３３１は、腺層１３３１と低誘電率／低伝導性の組織（例えば、皮下組織１３０３）との間の下界面１３３３を有し得る。図４４〜図４７に図示される本発明の実施形態において、腺層１３３１は、腺層１３３１と低誘電率組織との間の下界面１３３３を有し得る。
【００５５】
図４４は、本発明の１つの実施形態による組織プロフィールを図示する。図４４に図示される本発明の実施形態において、外傷コア１３２１は、腺層１３３１の所定の部分に、例えば、腺層１３３１を電磁放射線で照射して外傷コア１３２１における組織内に誘電加熱を発生させることにより作製される。図４４に図示される本発明の実施形態において、外傷コア１３２１は、外傷コア１３２１の誘電加熱により腺層１３３１において発生する熱によって、作製される。図４４に図示される本発明の実施形態において、外傷コア１３２１は、エネルギーが腺層１３３１に加えられると拡張する。図４４に図示される本発明の実施形態において、外傷コア１３２１は、例えばＳＡＲ、電力損失密度または温度の強め合う干渉ピークが、皮膚表面１３０６を通して伝達される電磁エネルギーにより生じる、腺層１３３１の領域に位置し得る。図４４に図示される本発明の実施形態において、外傷コア１３２１は、皮膚表面１３０６を通して伝達される電磁エネルギーにより生じる、例えばＳＡＲ、電力損失密度または温度の強め合う干渉ピークが、腺層１３３１の領域に位置し得、ここで皮膚表面１３０６を通して伝達される電磁エネルギーの少なくとも一部分は、下界面１３３３から反射する。図４４に図示される本発明の実施形態において、外傷コア１３２１は、例えばＳＡＲ、電力損失密度または温度の強め合う干渉ピークが、皮膚表面１３０６を通して伝達される電磁エネルギーにより生じる、腺層１３３１の領域に位置し得、ここで皮膚表面１３０６を通して伝達される電磁エネルギーの少なくとも一部分は、下界面１３３３（これは例えば、腺層１３３１と皮下組織１３０３との間の界面であり得る）から反射する。
【００５６】
図４５は、本発明の１つの実施形態による組織プロフィールを図示する。図４５に図示される本発明の実施形態において、外傷コア１３２１は、エネルギーが腺層１３３１に加えられると拡張し、熱を発生させ、この熱が周囲の組織に伝導され、拡張外傷１３２３を作製する。図４５に図示される本発明の実施形態において、外傷コア１３２１から拡張外傷１３２３内へと伝導される熱は、組織（組織構造１３２５が挙げられる）を損傷する。図４５に図示される本発明の実施形態において、外傷コア１３２１から拡張外傷１３２３内へと伝導される熱は、下界面１３３３を横断し、そして下界面１３３３より下の組織を損傷する。
【００５７】
図４６および図４７は、本発明の１つの実施形態による組織プロフィールを図示する。図４６および図４７に図示される本発明の実施形態において、外傷コア１３２１は、腺層１３３１の一部分に、例えば、腺層１３３１を電磁放射線で照射して外傷コア１３２１における組織内に誘電加熱を発生させることにより作製される。図４６および図４７に図示される本発明の実施形態において、外傷コア１３２１は、エネルギーが腺層１３３１に加えられると拡張し、そして拡張外傷１３２３は、外傷コア１３２３から伝導される熱により作製される。図４６および図４７に図示される本発明の実施形態において、熱は、皮膚表面１３０６から除去される。図４６および図４７に図示される本発明の実施形態において、熱は、皮膚表面１３０６を通して皮膚層１３０５から除去される。図４６および図４７に図示される本発明の実施形態において、熱は、皮膚表面１３０６を冷却して冷却された領域１３０７を真皮１３０５に作製することにより、皮膚表面１３０６を通して皮膚層１３０５から除去される。図４７に図示される本発明の実施形態において、皮膚表面１３０６を通して皮膚層１３０５から除去される熱は、拡張外傷１３２３が皮膚表面１３０６の方向に成長することを防止する。図４６に図示される本発明の実施形態において、皮膚表面１３０６を通して腺層１３３１から除去される熱は、拡張外傷１３２３が冷却される領域１３２７内へと成長することを防止する。
【００５８】
図４８〜図５１は、本発明の実施形態による組織プロフィールおよび装置を図示する。図４８〜図５１において、アンテナ３５８は、例えば、導波管アンテナ３６４であり得る。図４８〜図４９に図示される本発明の実施形態において、導波管アンテナ３６４は、例えば、導波管配管３６６および誘電フィルタ３６８を備え得る。図４８および図４９に図示される本発明の実施形態において、電磁エネルギーは、組織ヘッド３６２を介して真皮１３０５内に放射され得、この組織ヘッドは、例えば、隔離部３７６、冷却剤チャンバ３６０および冷却プレート３４０を備え得る。図４８に図示される本発明の実施形態において、ピーク（これは例えば、ピークＳＡＲ、ピーク電力損失密度またはピーク温度であり得る）は、第一の組織領域１３０９において生じる。図４８に図示される本発明の実施形態において、低下したレベル（これは例えば、低下したＳＡＲ、低下した電力損失密度または低下した温度）は、第二の組織領域１３１１において生じ、さらに低下したレベルが、第三の組織領域１３１３および第四の組織領域１３１５において生じる。図４８に図示される本発明の実施形態において、真皮１３０５は、界面１３０８により皮下組織１３０３から分離される。図４８に図示される本発明の実施形態において、界面１３０８は、この議論の目的で実質的に直線として理想化されるが、実際の組織においては、界面１３０８は、非直線の不連続な粗い表面であり、これはまた、この組織界面を横断および分断する多くの組織構造を含む。図４８に図示される本発明の実施形態において、皮下組織１３０３は、筋肉組織１３０１の上にある。図４８に図示される本発明の実施形態において、電磁放射線は、例えば、５．８ＧＨｚの周波数で放射され得る。図４８に図示される本発明の実施形態において、真皮１３０５は、例えば３８．４の誘電率、および例えば１メートルあたり４．５４ジーメンスの伝導率を有すると仮定され得る。図４８に図示される本発明の実施形態において、皮下組織１３０３は、例えば４．９の誘電率、および例えば１メートルあたり０．３１ジーメンスの伝導率を有すると仮定され得る。図４８に図示される本発明の実施形態において、筋肉組織１３０１は、例えば４２．２２の誘電率、および例えば１メートルあたり５．２ジーメンスの伝導率を有すると仮定され得る。図４８に図示される本発明の実施形態において、隔離部３７６は、例えばポリカーボネートであり得、そして例えば、３．４の誘電率、および例えば１メートルあたり０．００５１ジーメンスの伝導率を有し得る。図４８に図示される本発明の実施形態において、冷却プレート３４０は、例えば、アルミナ（９９．５％）であり得、そして例えば９．９の誘電率、および例えば１メートルあたり３×１０−４ジーメンスの伝導率を有し得る。図４８に図示される本発明の実施形態において、冷却流体３６１は、例えば脱イオン水であり得、そして例えば８１の誘電率、および例えば１メートルあたり０．０００１ジーメンスの伝導率を有し得る。
【００５９】
図４９に図示される本発明の実施形態において、ピーク（これは例えば、ピークＳＡＲ、ピーク電力損失密度またはピーク温度であり得る）は、第一の組織領域１３０９において生じる。図４８に図示される本発明の実施形態において、低下したレベル（これは例えば、低下したＳＡＲ、低下した電力損失密度または低下した温度であり得る）は、第二の組織領域１３１１において生じ、さらに低下したレベルが、第三の組織領域１３１３および第四の組織領域１３１５において生じる。図４９に図示される本発明の実施形態において、真皮１３０５は、界面１３０８により皮下組織１３０３から分離される。図４９に図示される本発明の実施形態において、界面１３０８は、非直線の界面としてモデル化され、皮膚と皮下組織との間の実際の界面により近く類似する。図４９に図示される本発明の実施形態において、皮下組織１３０３は、筋肉組織１３０１の上にある。図４９に図示される本発明の実施形態において、電磁放射線は、例えば５．８ＧＨｚの周波数で放射され得る。図４９に図示される本発明の実施形態において、皮膚１３０５は、例えば３８．４の誘電率、および例えば１メートルあたり４．５４ジーメンスの伝導率を有すると仮定され得る。図４９に図示される本発明の実施形態において、皮下組織１３０３は、例えば４．９の誘電率、および例えば１メートルあたり０．３１ジーメンスの伝導率を有すると仮定され得る。図４９に図示される本発明の実施形態において、筋肉組織１３０１は、例えば４２．２２の誘電率、および例えば１メートルあたり５．２ジーメンスの伝導率を有すると仮定され得る。図４９に図示される本発明の実施形態において、隔離部３７６は、例えばプレキシガラスであり得、そして例えば３．４の誘電率、および例えば１メートルあたり０．００５１ジーメンスの伝導率を有し得る。図４９に図示される本発明の実施形態において、冷却プレート３４０は、例えばアルミナ（９９．５％）であり得、そして例えば９．９の誘電率、および例えば１メートルあたり３×１０−４ジーメンスの伝導率を有し得る。図４９に図示される本発明の実施形態において、冷却流体３６１は、例えば脱イオン水であり得、そして例えば８１の誘電率、および１メートルあたり０．０００１ジーメンスの伝導率を有し得る。
【００６０】
図５０は、本発明の１つの実施形態による組織プロフィールを図示する。図５１は、本発明の１つの実施形態による組織プロフィールを図示する。図５０および図５１に図示される本発明の実施形態において、アンテナ３５８は、例えば導波管アンテナ３６４であり得る。本発明の１つの実施形態において、導波管アンテナ３６４は、誘電フィルタ３６８を有し得る。本発明の１つの実施形態において、アンテナ３５８は、例えば、組織ヘッド３６２に配置され得、この組織ヘッドは、例えば、隔離部３７６、冷却剤チャンバ３６０、および冷却プレート３４０を備える。本発明の１つの実施形態において、冷却チャンバ３４０は、冷却流体３６１を含み得、この冷却流体は、例えば、脱イオン水であり得る。本発明の１つの実施形態において、組織ヘッド３６２は、組織インターフェース３３６に対して組織を配置するように適合された組織チャンバ（図示せず）を備え得る。本発明の１つの実施形態において、アンテナ３５８は、電磁放射線を皮膚表面１３０６を通して伝達して、組織プロフィール（これは例えば、ＳＡＲプロフィール、電力損失密度プロフィールまたは温度プロフィールを表し得る）を生じさせるように適合される。本発明の１つの実施形態において、この組織プロフィールは、第一の組織領域１３０９、第二の組織領域１３１１、第三の組織領域１３１３、および第四の組織領域１３１５を含む。本発明の１つの実施形態において、第一の組織領域１３０９は、例えば、ピークＳＡＲ、ピーク電力損失密度またはピーク温度を表し得る。本発明の１つの実施形態において、第一の組織領域１３０９は、例えば、真皮１３０５の、真皮１３０５と皮下組織１３０３との界面１３０８の近くに位置し得る。皮下組織１３０３は、筋肉組織１３０１の上に重なる。図５１に図示される本発明の実施形態において、フィールドスプレッダ３７９が、冷却剤チャンバ３６０内に配置される。図５１に図示される本発明の実施形態において、フィールドスプレッダ３７９は、例えば、第一の組織領域１３０９を広げて平坦にするために使用され得る。図５１に図示される本発明の実施形態において、フィールドスプレッダ３７９は、例えば、第一の組織領域１３０９に形成される外傷を広げて平坦にするために使用され得る。
【００６１】
（さらなる一般的実施形態）
（手順）
本発明の１つの実施形態において、電磁出力は、所定の時間にわたって皮膚に送達される。本発明の１つの実施形態において、皮膚は、例えば、エネルギーの送達前に組織チャンバ内に係合する。本発明の１つの実施形態において、皮膚は、電磁エネルギーの適用前に冷却される。本発明の１つの実施形態において、皮膚は、電磁エネルギーの適用中に冷却される。本発明の１つの実施形態において、皮膚は、電磁エネルギーの適用後に冷却される。本発明の１つの実施形態において、エネルギーは、所定の量の電力を、皮膚の表面の近くに配置されたアンテナに印加することによって、皮膚に送達される。本発明の１つの実施形態において、皮膚は、電磁エネルギーデバイスの近くに配置される。本発明の１つの実施形態において、皮膚は、皮膚を適所に保持するための減圧源を使用して、電磁エネルギー送達デバイスの近くに配置される。本発明の１つの実施形態において、処置されるべき領域は、処置前に麻酔される。本発明の１つの実施形態において、麻酔される領域は、皮膚の誘電特性を変化させる。本発明の１つの実施形態において、皮膚を通して照射される電磁放射線の特性は、処置に対する麻酔薬の影響を決定する変数（例えば、麻酔薬の誘電特性）を考慮するように改変される。処置に対する麻酔薬の影響を決定し得る変数としては、例えば、投与後の時間；麻酔薬の血管拡張特性；投与される麻酔薬の体積；麻酔薬の種類（注射される液体、局所）；麻酔薬が投与される組織の位置／深さ；麻酔の方法（例えば、１つの位置または多数の小さい位置）が挙げられ得る。本発明の１つの実施形態において、電磁エネルギーを組織に送達するように適合されたハンドピースを整列させるためにテンプレートが使用され得る。本発明の１つの実施形態において、テンプレートは、ハンドピースが例えば腋窩において、ある位置からある位置へと移動する場合に、ハンドピースを整列させるために使用される。本発明の１つの実施形態において、テンプレートは、例えば麻酔薬（これは例えば、リドカインであり得る）の送達のための注射部位を整列させるために使用される。本発明の１つの実施形態において、テンプレートは、以前に処置された領域を示すことによって、処置を容易にするために使用される。本発明の１つの実施形態において、テンプレートは、例えば、ヘンナ、シャーピーマーク（ｓｈａｒｐｉｅ  ｍａｒｋ）または入墨を使用することにより、整列され得る。
【００６２】
（組織構造）
（領域）
本発明の１つの実施形態において、組織は、特定の誘電特性および伝導特性を有する層から構築され得る。本発明の１つの実施形態において、高い誘電率を有する組織（高誘電性組織ともまた称される）は、約２５より大きい誘電率を有し得る。本発明の１つの実施形態において、低い誘電率を有する組織（低誘電性組織ともまた称される）は、約１０未満の誘電率を有し得る。本発明の１つの実施形態において、高い伝導率を有する組織（高伝導性組織ともまた称される）は、１メートルあたり約１．０ジーメンスより大きい伝導率を有し得る。本発明の１つの実施形態において、低い伝導率を有する組織（低伝導性組織ともまた称される）は、１メートルあたり約１．０ジーメンス未満の伝導率を有し得る。
【００６３】
（低／低）
本発明の１つの実施形態において、低誘電性／低伝導性組織は、例えば、皮下組織であり得る。本発明の１つの実施形態において、低誘電性組織、低伝導性組織は、皮下組織において見出される組織（例えば、脂肪）であり得る。本発明の１つの実施形態において、低誘電性／低伝導性の組織は、例えば、腺層より下の皮下組織の領域であり得る。
【００６４】
（高／高）
本発明の１つの実施形態において、高誘電性の高伝導性の組織は、例えば、真皮において見出される組織であり得る。本発明の１つの実施形態において、高誘電性の高伝導性の組織は、例えば、真皮において見出される組織であり得る。本発明の１つの実施形態において、高誘電性の高伝導性の組織は、例えば、腺層において見出される組織であり得る。本発明の１つの実施形態において、高誘電性の高伝導性の組織は、例えば、筋肉組織であり得る。
【００６５】
（腺）
本発明の１つの実施形態において、腺層は、例えば、高誘電性の高伝導性の組織の層であり得る。本発明の１つの実施形態において、腺層は、高い含水量を有する組織の層であり得る。本発明の１つの実施形態において、腺層は、真皮と皮下組織との間の界面の領域の組織層であり得、この界面は、腺層の誘電率および伝導率を、腺層内にピーク電場を有する定常波パターンを生じさせるために充分なレベルまで上昇させるために充分な腺組織を含む。本発明の１つの実施形態において、腺組織は、ヒトの皮膚の５ミリメートル厚の部分において、３ミリメートル〜５ミリメートルの平均厚さを占め得る。本発明の１つの実施形態において、腺層は、アポクリン腺小葉とエクリン腺小葉との両方を、腺層内に含み得る。本発明の１つの実施形態において、腺層は、実質的に全ての汗腺が局在しているヒトの腋窩内の層であり得る。腺層がアポクリン腺小葉とエクリン腺小葉との両方を含む本発明の１つの実施形態において、アポクリン腺モジュールは、エクリン腺小葉より数が多く、より大きくあり得る。本発明の１つの実施形態において、腺層は、腺を囲む組織の伝導率を上昇させるために充分に集中した腺（例えば、エクリン汗腺、アポエクリン汗腺および／またはアポクリン汗腺）を含む、組織の層であり得る。本発明の１つの実施形態において、腺層は、腺を囲む組織の誘電率を上昇させるために充分に集中した腺（例えば、エクリン汗腺、アポエクリン汗腺および／またはアポクリン汗腺）を含む、組織の層であり得る。本発明の１つの実施形態において、腺層は、誘電率を隣接する真皮の誘電率と一致させるように上昇させるために充分な腺組織を有する、皮下組織の領域であり得る。本発明の１つの実施形態において、腺層は、腺層の誘電率を周囲の皮下組織の誘電率と一致させるように上昇させるために充分な腺組織を有する、皮下組織の領域であり得る。本発明の１つの実施形態において、腺層は、腺層の誘電率を周囲の皮下組織の誘電率を超えるように上昇させるために充分な腺組織を有する、皮下組織の領域であり得る。本発明の１つの実施形態において、腺層は、約２０より大きい誘電率を有し得る。本発明の１つの実施形態において、腺層は、１メートルあたり約２．５ジーメンスより大きい伝導率を有し得る。
【００６６】
（界面）
本発明の１つの実施形態において、重要な界面（誘電性界面または誘電性不連続部ともまた称され得る）は、高い誘電率および高い伝導率を有する組織の層と、低い誘電率を有する組織の層との間の界面であり得る。本発明の１つの実施形態において、誘電性界面は、高い誘電率および高い伝導率を有する組織の層と、低い誘電率および低い伝導率を有する組織の層との間の界面であり得る。本発明の１つの実施形態において、重要な界面は、真皮と腺層との間の界面に存在する。本発明の１つの実施形態において、重要な界面は、真皮と皮下組織との間の界面であり得る。本発明の１つの実施形態において、重要な界面は、真皮と、制限された数の汗腺を有する皮下組織の部分との間の界面であり得る。本発明の１つの実施形態において、重要な界面は、真皮と、腺領域を含まない皮下組織の領域との間の界面であり得る。本発明の１つの実施形態において、重要な界面は、真皮と、有意な数の組織構造を含まない皮下組織の領域との間の界面であり得る。
【００６７】
（処置）
本発明の実施形態において、処置されるべき組織は、例えば、この組織の温度を上昇させることにより処置され得る。本発明の実施形態において、処置されるべき組織は、例えば、この組織の温度を、この組織に変化を起こすために充分な温度まで上昇させることにより処置され得る。本発明の実施形態において、処置されるべき組織は、例えば、この組織の温度を、この組織を損傷するために充分な温度まで上昇させることにより処置され得る。本発明の実施形態において、処置されるべき組織は、例えば、この組織の温度を、この組織を破壊するために充分な温度まで上昇させることにより処置され得る。本発明の実施形態において、電磁放射線が、組織を加熱して外傷を作製するために使用され、ここでこの外傷は、この組織を誘電加熱することにより発生する熱からの損傷の結果として開始し、そしてこの外傷は、少なくとも部分的に、誘電加熱により発生する熱の熱伝導の結果として拡大する。本発明の実施形態において、電磁放射線は、組織構造（例えば、毛包）の内容物（例えば、皮脂）を加熱するために使用され得る。本発明の実施形態において、電磁放射線は、組織構造（例えば、毛包）の内容物（例えば、皮脂）を、例えばこの内容物中の細菌を損傷または破壊するために充分な温度まで、加熱するために使用され得る。本発明の実施形態において、電磁放射線は、組織構造（例えば、毛包）の内容物（例えば、皮脂）を加熱するために使用され得る。本発明の実施形態において、電磁放射線は、組織を、周囲の組織または組織構造において二次的な効果を引き起こすために充分な温度まで加熱するために使用され得る。
【００６８】
（標的組織）
本発明の実施形態において、例えば組織の温度を上昇させることによって、処置されるべき組織は、標的組織と称され得る。
【００６９】
（処置されるべき組織）
（組織層）
本発明の実施形態において、標的組織は、皮膚／皮下組織界面に隣接する組織であり得る。本発明の実施形態において、標的組織は、皮膚層内の、皮膚／皮下組織界面の近くの組織であり得る。本発明の実施形態において、標的組織は、深部真皮組織であり得る。本発明の実施形態において、標的組織は、皮膚／脂肪界面に隣接する組織であり得る。
【００７０】
（物理的構造）
本発明の実施形態において、標的組織は、腋窩組織であり得る。本発明の実施形態において、標的組織は、毛を有する領域の組織であり得る。本発明の実施形態において、標的組織は、１平方センチメートルあたり少なくとも３０個の汗腺を有する領域に位置する組織であり得る。本発明の実施形態において、標的組織は、１平方センチメートルあたり平均１００個の汗腺を有する領域に位置する組織であり得る。本発明の実施形態において、標的組織は、皮膚の表面の約０．５ｍｍ〜６ｍｍ下方に位置する組織であり得る。本発明の実施形態において、標的組織は、汗腺（例えば、アポクリン腺およびエクリン腺が挙げられる）の領域に位置する組織であり得る。
【００７１】
（組織特性）
本発明の実施形態において、標的組織は、誘電加熱に供される組織であり得る。本発明の実施形態において、標的組織は、高い双極子モーメントを有する組織であり得る。本発明の実施形態において、処置されるべき組織は、例えば、外因性物質を含む組織であり得る。本発明の実施形態において、標的組織は、細菌を有する組織を含み得る。
【００７２】
（組織型）
本発明の実施形態において、標的組織は、ヒト組織であり得る。本発明の実施形態において、標的組織は、ブタ組織であり得る。本発明の実施形態において、標的組織は、例えば、コラーゲン、毛包、脂肪性浮腫、エクリン腺、アポクリン腺、皮脂腺、またはクモ状静脈（ｓｐｉｄｅｒ  ｖｅｉｎ）であり得る。本発明の実施形態において、標的組織は、例えば、毛包であり得る。本発明の実施形態において、標的組織は、例えば、下セグメント（球状体（ｂｕｌｂ）および球状体上部（ｓｕｐｒａｂｕｌｂ））、中間セグメント（峡）、ならびに上セグメント（漏斗）を含む、毛包の領域であり得る。本発明の実施形態において、標的組織は、例えば、毛包に関連する構造（例えば、幹細胞）であり得る。本発明の実施形態において、標的組織は、例えば、創傷組織であり得る。本発明の実施形態において、標的組織は、例えば、傷害されるべき組織（例えば、外科手術前の皮膚組織）であり得る。本発明の実施形態において、標的組織は、例えば、組織構造への血液供給であり得る。
【００７３】
（効果）
本発明の実施形態において、標的組織は、例えば、ピークＳＡＲの５０％に等しいＳＡＲを有する領域、ピークＳＡＲの少なくとも約３０％、４０％、５０％、６０％、７０％、８０％、またはそれより多くの百分率を有する領域、あるいは特定の実施形態において、ピークＳＡＲの約９０％、８０％、７０％、６０％、または５０％以下のＳＡＲを有する領域により規定される、組織の塊であり得る。
【００７４】
（方法）
（組織および構造）
本発明の１つの実施形態において、標的組織を処置する方法が記載される。本発明の１つの実施形態において、腺を損傷する方法が記載される。本発明の１つの実施形態において、毛包を損傷する方法が記載される。本発明の１つの実施形態において、組織を破壊する方法が記載される。本発明の１つの実施形態において、皮膚組織を処置する方法が記載される。本発明の１つの実施形態において、組織への損傷を防止する方法が記載される。本発明の１つの実施形態において、皮膚表面に向かう外傷の成長を防止する方法が記載される。本発明の１つの実施形態において、毛包に関連する幹細胞を損傷または破壊する方法が記載される。本発明の１つの実施形態において、組織を優先的に処置するために電磁場を整列させる方法が記載される。本発明の１つの実施形態において、より高い含水量を有する組織を優先的に処置するために電磁場を整列させる方法が記載される。本発明の実施形態において、電磁エネルギーは、皮脂を加熱するために使用される。
【００７５】
（放射）
本発明の１つの実施形態において、組織における電力蓄積を制御する方法が記載される。本発明の１つの実施形態において、組織における電場パターンを制御する方法が記載される。本発明の１つの実施形態において、組織において高電力蓄積の塊を生じさせる方法が記載される。本発明の１つの実施形態において、マイクロ波デバイスの出力を制御する方法が記載される。
【００７６】
（外傷）
本発明の１つの実施形態において、組織において外傷を作製する方法が記載される。本発明の１つの実施形態において、組織において皮下外傷を作製する方法が記載される。
【００７７】
（勾配）
本発明の１つの実施形態において、組織内に温度勾配を生じさせる方法が記載される。本発明の１つの実施形態において、皮膚／皮下組織界面にピークを有する温度勾配を生じさせる方法が記載される。本発明の１つの実施形態において、組織において逆電力勾配を生じさせる方法が記載される。
【００７８】
（臨床適応症）
本発明の１つの実施形態において、汗を減少させる方法が記載される。本発明の１つの実施形態において、患者における汗の産生を減少させる方法が記載される。本発明の１つの実施形態において、腋窩の発汗過多症を処置する方法が記載される。本発明の１つの実施形態において、発汗過多症を処置する方法が記載される。本発明の１つの実施形態において、毛を除去する方法が記載される。本発明の１つの実施形態において、毛の再成長を防止する方法が記載される。本発明の１つの実施形態において、臭汗症を処置する方法が記載される。本発明の１つの実施形態において、組織を脱神経させる方法が記載される。本発明の１つの実施形態において、火炎状母斑を処置する方法が記載される。本発明の１つの実施形態において、血管腫を処置する方法が記載される。本発明の１つの実施形態において、乾癬を処置する方法が記載される。本発明の１つの実施形態において、汗を減少させる方法が記載される。本発明の１つの実施形態において、汗を減少させる方法が記載される。本発明の実施形態において、電磁エネルギーが、挫瘡を処置するために使用される。本発明の実施形態において、電磁エネルギーが、皮脂腺を処置するために使用される。本発明の実施形態において、電磁エネルギーが、細菌を破壊するために使用される。本発明の実施形態において、電磁エネルギーが、プロピオン酸菌属を破壊するために使用される。本発明の実施形態において、電磁エネルギーが、毛包から皮脂を除去するために使用される。本発明の実施形態において、電磁エネルギーが、閉塞毛包をきれいにするために使用され得る。本発明の実施形態において、電磁エネルギーが、面皰形成（ｃｏｍｅｄｏｇｅｎｅｓｉｓ）を逆転させるために使用される。本発明の実施形態において、電磁エネルギーが、黒色面皰をきれいにするために使用される。本発明の実施形態において、電磁エネルギーが、白色面皰をきれいにするために使用される。本発明の実施形態において、電磁エネルギーが、炎症を減少させるために使用される。いくつかの実施形態において処置され得るさらなる状態および構造は、例えば、米国仮出願番号６０／９１２，８９９の第３頁〜第７頁；および米国仮出願番号６１／０１３，２７４の第１頁〜第１０頁に記載されており、これらの両方は、その全体が参考として援用される。
【００７９】
（配置）
本発明の１つの実施形態において、皮膚を配置する方法が記載される。本発明の１つの実施形態において、皮膚／脂肪界面を配置する方法が記載される。
【００８０】
（電力損失密度）
（皮膚）
本発明の１つの実施形態において、組織を皮膚の表面を通して電磁放射線で照射することにより、皮膚表面より下に局在した高電力損失密度の領域が生じる。本発明の１つの実施形態において、組織を皮膚の表面を通して電磁放射線で照射することにより、皮膚の上層より下の皮膚の領域に局在した高電力損失密度の領域が生じる。本発明の１つの実施形態において、組織を皮膚の表面を通して電磁放射線で照射することにより、重要な界面に隣接する皮膚の層に局在した高電力損失密度の領域が生じる。本発明の１つの実施形態において、組織を皮膚の表面を通して電磁放射線で照射することにより、重要な界面に隣接した、皮膚表面と重要な界面との間の皮膚の層に局在した高電力損失密度の領域が生じる。
【００８１】
（真皮）
本発明の１つの実施形態において、組織を皮膚の表面を通して電磁放射線で照射することにより、真皮の領域に局在した高電力損失密度の領域が生じる。本発明の１つの実施形態において、皮膚の表面に電磁放射線を放射することにより、真皮の上層より下の真皮の領域に局在した高電力損失密度の領域が生じる。本発明の１つの実施形態において、組織を皮膚表面を通して電磁放射線で照射することにより、真皮と上皮との間の界面に隣接した真皮の領域に局在した高電力損失密度の領域が生じる。本発明の１つの実施形態において、組織を皮膚の表面を通して電磁放射線で照射することにより、重要な界面に隣接する真皮の領域に局在した高電力損失密度の領域が生じる。
【００８２】
（腺層）
本発明の１つの実施形態において、組織を皮膚の表面を通して電磁放射線で照射することにより、腺層に局在した高電力損失密度の領域が生じる。本発明の１つの実施形態において、組織を皮膚の表面を通して電磁放射線で照射することにより、重要な界面に隣接する腺層に局在した高電力損失密度の領域が生じる。本発明の１つの実施形態において、組織を皮膚の表面を通して電磁放射線で照射することにより、重要な界面に隣接した、皮膚の第一の層より下の腺層に局在した高電力損失密度の領域が生じる。本発明の１つの実施形態において、組織を皮膚の表面を通して電磁放射線で照射することにより、重要な界面に隣接した、真皮の少なくとも一部分より下の腺層に局在した高電力損失密度の領域が生じる。
【００８３】
（温度勾配）
（皮膚）
本発明の１つの実施形態において、組織を皮膚の表面を通して電磁放射線で照射すると、皮膚表面より下の領域にピークを有する温度勾配が生じる。本発明の１つの実施形態において、組織を皮膚の表面を通して電磁放射線で照射すると、皮膚の上層より下の皮膚の領域にピークを有する温度勾配を生じさせる。本発明の１つの実施形態において、組織を皮膚の表面を通して電磁放射線で照射すると、重要な界面に隣接する皮膚の層にピークを有する温度勾配を生じさせる。本発明の１つの実施形態において、組織を皮膚の表面を通して電磁放射線で照射すると、重要な界面に隣接した、重要な界面と皮膚の表面との間の皮膚の層にピークを有する温度勾配を生じさせる。
【００８４】
（真皮）
本発明の１つの実施形態において、電磁放射線は、温度勾配を生じさせ、この温度勾配は、皮膚の表面より下の真皮の層にピークを有する。本発明の１つの実施形態において、電磁放射線は、温度勾配を生じさせ、この温度勾配は、真皮の上層より下の真皮の層にピークを有する。本発明の１つの実施形態において、電磁放射線は、温度勾配を生じさせ、この温度勾配は、真皮と皮下組織との間の界面に隣接する真皮の領域にピークを有する。本発明の１つの実施形態において、電磁放射線は、温度勾配を生じさせ、この温度勾配は、重要な界面に隣接する真皮の領域にピークを有する。
【００８５】
（腺層）
本発明の１つの実施形態において、組織を皮膚の表面を通して電磁放射線で照射すると、皮膚表面より下の腺層にピークを有する温度勾配が生じる。本発明の１つの実施形態において、組織を皮膚の表面を通して電磁放射線で照射すると、重要な界面に隣接する腺層にピークを有する温度勾配が生じる。本発明の１つの実施形態において、組織を皮膚の表面を通して電磁放射線で照射すると、重要な界面に隣接した、皮膚の第一の層より下の腺層にピークを有する温度勾配が生じる。
【００８６】
（逆電力勾配）
（皮膚）
本発明の１つの実施形態において、組織を皮膚の表面を通して電磁放射線で照射すると、皮膚表面より下の領域にピークを有する逆電力勾配が生じる。本発明の１つの実施形態において、組織を皮膚の表面を通して電磁放射線で照射すると、皮膚の上層より下の皮膚の領域にピークを有する逆電力勾配が生じる。本発明の１つの実施形態において、組織を皮膚の表面を通して電磁放射線で照射すると、重要な界面に隣接する皮膚の層にピークを有する逆電力勾配が生じる。本発明の１つの実施形態において、組織を皮膚の表面を通して電磁放射線で照射すると、重要な界面に隣接した、重要な界面と皮膚の表面との間の皮膚の層にピークを有する逆電力勾配が生じる。
【００８７】
（真皮）
本発明の１つの実施形態において、電磁放射線は逆電力勾配を生じさせ、この逆電力勾配は、皮膚の表面より下の真皮の層にピークを有する。本発明の１つの実施形態において、電磁放射線は、逆電力勾配を生じさせ、この逆電力勾配は、真皮の上層より下の真皮の層にピークを有する。本発明の１つの実施形態において、電磁放射線は、逆電力勾配を生じさせ、この逆電力勾配は、真皮と皮下組織との間の界面に隣接する真皮の領域にピークを有する。本発明の１つの実施形態において、電磁放射線は、逆電力勾配を生じさせ、この逆電力勾配は、重要な界面に隣接する真皮の領域にピークを有する。
【００８８】
（腺層）
本発明の１つの実施形態において、組織を皮膚の表面を通して電磁放射線で照射すると、皮膚表面より下の腺層にピークを有する逆電力勾配が生じる。本発明の１つの実施形態において、組織を皮膚の表面を通して電磁放射線で照射すると、重要な界面に隣接する腺層にピークを有する逆電力勾配が生じる。本発明の１つの実施形態において、組織を皮膚の表面を通して電磁放射線で照射すると、重要な界面に隣接した、皮膚の第一の層より下の腺層にピークを有する逆電力勾配が生じる。
【００８９】
（外傷）
（皮膚）
本発明の１つの実施形態において、電磁放射線は、皮膚表面より下の領域に外傷を作製するために使用される。本発明の１つの実施形態において、電磁放射線は、皮膚表面より下の領域に外傷を作製するために使用され、この外傷は、皮膚の上層より下の層で開始する。本発明の１つの実施形態において、電磁放射線は、皮膚に外傷を作製するために使用され、この外傷は、重要な界面に隣接する皮膚の層で開始する。本発明の１つの実施形態において、電磁放射線は、皮膚に外傷を作製するために使用され、この外傷は、重要な界面に隣接し、そして皮膚表面と重要な界面との間の皮膚の層で開始する。
【００９０】
（真皮）
本発明の１つの実施形態において、電磁放射線は、皮膚に外傷を作製するために使用され、この外傷は、皮膚の表面より下の真皮の層で開始する。本発明の１つの実施形態において、電磁放射線は、皮膚に外傷を作製するために使用され、この外傷は、真皮の上層より下の真皮の層で開始する。本発明の１つの実施形態において、電磁放射線は、皮膚に外傷を作製するために使用され、この外傷は、真皮と皮下組織との間の界面の近くの真皮の領域で開始する。本発明の１つの実施形態において、電磁放射線は、皮膚に外傷を作製するために使用され、この外傷は、重要な界面に隣接する真皮の領域で開始する。
【００９１】
（腺層）
本発明の１つの実施形態において、電磁放射線は、腺層で開始する外傷を作製するために使用される。本発明の１つの実施形態において、電磁放射線は、重要な界面に隣接する腺層で開始する外傷を作製するために使用される。本発明の１つの実施形態において、電磁放射線は、重要な界面に隣接した、皮膚の第一の層より下の腺層で開始する外傷を作製するために使用される。
【００９２】
（皮膚）
本発明の１つの実施形態において、電磁放射線は、熱を皮膚の表面から除去するための任意の外部機構の非存在下で、皮膚表面より下の領域に外傷を作製するために使用される。本発明の１つの実施形態において、電磁放射線は、皮膚表面より下の領域に外傷を作製するために使用され、この外傷は、熱を皮膚の表面から除去するための任意の外部機構の非存在下で、皮膚の上層より下の層で開始する。本発明の１つの実施形態において、電磁放射線は、皮膚に外傷を作製するために使用され、この外傷は、熱を皮膚の表面から除去するための任意の外部機構の非存在下で、重要な界面に隣接する皮膚の層で開始する。本発明の１つの実施形態において、電磁放射線は、皮膚に外傷を作製するために使用され、この外傷は、熱を皮膚の表面から除去するための任意の外部機構の非存在下で、重要な界面に隣接した、皮膚表面と重要な界面との間の皮膚の層で開始する。
【００９３】
（真皮）
本発明の１つの実施形態において、電磁放射線は、皮膚に外傷を作製するために使用され、この外傷は、熱を皮膚の表面から除去するための任意の外部機構の非存在下で、皮膚の表面より下の真皮の層で開始する。本発明の１つの実施形態において、電磁放射線は、皮膚に外傷を作製するために使用され、この外傷は、熱を皮膚の表面から除去するための任意の外部機構の非存在下で、真皮の上層より下の真皮の層で開始する。本発明の１つの実施形態において、電磁放射線は、皮膚に外傷を作製するために使用され、この外傷は、熱を皮膚の表面から除去するための任意の外部機構の非存在下で、真皮と皮下組織との間の界面の近くの真皮の領域で開始する。本発明の１つの実施形態において、電磁放射線は、皮膚に外傷を作製するために使用され、この外傷は、熱を皮膚の表面から除去するための任意の外部機構の非存在下で、重要な界面に隣接する真皮の領域で開始する。
【００９４】
（腺層）
本発明の１つの実施形態において、電磁放射線は、熱を皮膚の表面から除去するための任意の外部機構の非存在下で、腺層で開始する外傷を作製するために使用される。本発明の１つの実施形態において、電磁放射線は、熱を皮膚の表面から除去するための任意の外部機構の非存在下で、重要な界面に隣接する腺層で開始する外傷を作製するために使用される。本発明の１つの実施形態において、電磁放射線は、熱を皮膚の表面から除去するための任意の外部機構の非存在下で、重要な界面に隣接した、皮膚の第一の層より下の腺層で開始する外傷を作製するために使用される。
【００９５】
（外傷の始点）
本発明の１つの実施形態において、外傷の始点は、低誘電性組織に隣接する高誘電性の高伝導性の組織の点または領域に位置し得る。本発明の１つの実施形態において、外傷の始点は、重要な界面に隣接する高誘電性の高伝導性の組織の点または領域に位置し得る。本発明の１つの実施形態において、外傷の始点は、皮膚の表面を通して放射されるマイクロ波エネルギーがピーク電場を有する定常波パターンを生じさせる点または領域に位置し得る。本発明の１つの実施形態において、外傷の始点は、皮膚の表面を通して放射されるマイクロ波エネルギーが強め合う干渉を生じさせる、重要な界面の近くの、高誘電性／高伝導性の組織に位置し得る。
【００９６】
（電磁放射線の特性）
本発明の１つの実施形態において、皮膚は、特定の特性（より具体的には、特定の電場特性）を有する電磁放射線により照射される。本発明の１つの実施形態において、皮膚は、電磁放射線の電場成分が皮膚の外側表面に対して実質的に平行である、電磁放射線で照射される。本発明の１つの実施形態において、皮膚は、電磁放射線の電場成分が皮膚内の組織層間の少なくとも１つの界面に対して実質的に平行である電磁放射線で照射される。本発明の１つの実施形態において、皮膚は、電磁放射線の電場成分が重要な界面に対して実質的に平行である電磁放射線で照射される。本発明の１つの実施形態において、皮膚は、電磁放射線の電場成分が真皮と皮下組織との間の界面に対して実質的に平行である電磁放射線で照射される。本発明の１つの実施形態において、皮膚は、電磁放射線の電場成分が腺層と真皮の一部との間の界面に対して実質的に平行である電磁放射線で照射される。
【００９７】
本発明の１つの実施形態において、皮膚は、特定の特性（より具体的には、特定の偏光特性）を有する電磁放射線により照射される。本発明の１つの実施形態において、皮膚は、電磁放射線の電場成分が皮膚の外側表面に対して実質的に平行になるように電磁放射線が偏光された電磁放射線で照射される。本発明の１つの実施形態において、皮膚は、電磁放射線の電場成分が皮膚内の組織層間の少なくとも１つの界面に対して実質的に平行になるように電磁放射線が偏光された電磁放射線で照射される。本発明の１つの実施形態において、皮膚は、電磁放射線の電場成分が真皮と皮下組織との間の界面に対して実質的に平行になるように電磁放射線が偏光された電磁放射線で照射される。本発明の１つの実施形態において、皮膚は、電磁放射線の電場成分が腺層と皮下組織との間の界面に対して実質的に平行になるように電磁放射線が偏光された電磁放射線で照射される。
【００９８】
本発明の１つの実施形態において、皮膚は、特定の特性（より具体的には、特定の周波数特性）を有する電磁放射線により照射される。本発明の１つの実施形態において、皮膚は、約５．８ＧＨｚの周波数を有する電磁放射線により照射される。本発明の１つの実施形態において、皮膚は、５ＧＨｚ〜６．５ＧＨｚの周波数を有する電磁放射線により照射される。本発明の１つの実施形態において、皮膚は、４．０ＧＨｚ〜１０ＧＨｚの周波数を有する電磁放射線により照射される。
【００９９】
本発明の１つの実施形態において、皮膚は、特定の特性（より具体的には、組織内での特定の特性）を有する電磁放射線により照射される。本発明の１つの実施形態において、皮膚は、皮膚内にピークを有する強め合う干渉パターンを生じさせる電磁放射線により照射される。本発明の１つの実施形態において、皮膚は、真皮に強め合う干渉パターンを生じさせる電磁放射線により照射され、この強め合う干渉パターンは、真皮の第一の層より下の真皮の領域にピークを有し、そして弱め合う干渉が真皮の第一の層に生じる。本発明の１つの実施形態において、皮膚は、強め合う干渉パターンを生じさせる電磁放射線により照射され、この強め合う干渉パターンは、重要な界面に隣接するピークを有する。本発明の１つの実施形態において、皮膚は、腺層にピークを有する強め合う干渉パターンを生じさせる電磁放射線により照射される。本発明の１つの実施形態において、皮膚は、特定の特性（より具体的には、皮膚内での特定の特性）を有する電磁放射線により照射される。本発明の１つの実施形態において、皮膚は、皮膚内に弱め合う干渉パターンを生じさせる電磁放射線により照射される。本発明の１つの実施形態において、皮膚は、真皮に弱め合う干渉パターンを生じさせる電磁放射線により照射され、この弱め合う干渉パターンは、真皮の深層の上の真皮の領域にピークを有する。本発明の１つの実施形態において、皮膚は、弱め合う干渉パターンを生じさせる電磁放射線により照射され、この弱め合う干渉パターンは、重要な界面に隣接するピークを有する。本発明の１つの実施形態において、皮膚は、腺層にピークを有する弱め合う干渉パターンを生じさせる電磁放射線により照射される。本発明の１つの実施形態において、電磁放射線で照射される皮膚は、組織層にピーク電場を生じさせる強め合う干渉パターンを生じさせる。本発明の１つの実施形態において、電磁放射線で照射される皮膚は、局在した高電力損失密度の領域を生じさせる強め合う干渉パターンを生じさせる。本発明の１つの実施形態において、電磁放射線で照射される皮膚は、組織層に最小電場を生じさせる弱め合う干渉パターンを生じさせる。本発明の１つの実施形態において、電磁放射線で照射される皮膚は、局在した低電力損失密度の領域を生じさせる弱め合う干渉パターンを生じさせる。
【０１００】
本発明の１つの実施形態において、皮膚は、特定の特性（より具体的には、組織内での特定の特性）を有する電磁放射線により照射される。本発明の１つの実施形態において、皮膚は、皮膚内に定常波パターンを生じさせる電磁放射線により照射される。本発明の１つの実施形態において、皮膚は、真皮の第一の層より下の真皮にピークを有する定常波パターンを生じさせる電磁放射線により照射される。本発明の１つの実施形態において、皮膚は、重要な界面に隣接するピークを有する定常波パターンを生じさせる電磁放射線により照射される。本発明の１つの実施形態において、皮膚は、腺層にピークを有する定常波パターンを生じさせる電磁放射線により照射される。本発明の１つの実施形態において、電磁放射線で照射される皮膚は、ピーク電場を生じさせる定常波パターンを生じさせる。本発明の１つの実施形態において、電磁放射線で照射される皮膚は、局在化した高電力損失密度の領域を生じさせる定常波パターンを生じさせる。
【０１０１】
（アンテナ）
本発明の１つの実施形態において、皮膚は、特定の特性（より具体的には、電磁放射線を放射するアンテナの位置から生じる特定の特性）を有する電磁放射線により照射される。本発明の１つの実施形態において、皮膚は、皮膚表面の近くに配置されたアンテナにより発生される電磁放射線により照射される。本発明の１つの実施形態において、皮膚は、隣接する皮膚の表面に対して放射近距離場領域に位置するアンテナにより照射される。本発明の１つの実施形態において、皮膚は、隣接する皮膚の表面に対して実質的に放射近距離場領域内に位置するアンテナにより照射される。本発明の１つの実施形態において、皮膚は、隣接する皮膚の表面から１波長の半分未満の距離に位置するアンテナにより照射される。本発明の１つの実施形態において、皮膚は、隣接する皮膚の表面から１波長の半分未満の距離に位置するアンテナにより照射され、この波長は、このアンテナをこの皮膚表面から分離する誘電材料内で測定される。本発明の１つの実施形態において、皮膚は、隣接する皮膚の表面から１波長の半分未満の距離に位置するアンテナにより照射され、この波長は、このアンテナをこの皮膚表面から分離する冷却流体内で測定される。本発明の１つの実施形態において、皮膚は、皮膚表面から約２．６５ミリメートル未満の距離に位置するアンテナにより照射される。本発明の１つの実施形態において、放射される信号の波長は、空気中での波長を、アンテナを皮膚表面から分離する材料の誘電率の平方根で除算したものである。本発明の１つの実施形態において、放射される信号の波長は、空気中での波長を、アンテナを皮膚表面から分離する冷却流体の誘電率の平方根で除算したものである。
【０１０２】
本発明の１つの実施形態において、皮膚は、特定の特性（より具体的には、電磁放射線を放射するアンテナの出力の位置から生じる特定の特性）を有する電磁放射線により照射される。本発明の１つの実施形態において、皮膚は、隣接する皮膚の表面に対する放射近距離場領域に出力を有するアンテナにより照射される。本発明の１つの実施形態において、皮膚は、隣接する皮膚の表面に対する反応性近距離場領域の外側に出力を有するアンテナにより照射される。本発明の１つの実施形態において、皮膚は、隣接する皮膚の表面に対する遠距離場領域内にはない出力を有するアンテナにより照射される。
【０１０３】
本発明の１つの実施形態において、皮膚は、特定の特性（より具体的には、電磁放射線を放射するアンテナの放射開口部分の位置に関連する特定の特性）を有する電磁放射線により照射される。本発明の１つの実施形態において、皮膚は、隣接する皮膚の表面に関する放射近距離場領域に放射開口部分を有するアンテナにより照射される。本発明の１つの実施形態において、皮膚は、隣接する皮膚の表面に対する反応性近距離場の外側に放射開口部分を有するアンテナにより照射される。本発明の１つの実施形態において、皮膚は、隣接する皮膚の表面に関して遠距離場領域内にはない放射開口部分を有するアンテナにより照射される。
【０１０４】
本発明の１つの実施形態において、反応性近距離場領域は、例えば、アンテナのすぐ近くを囲む近距離場領域の、近距離反応性場が優先的である部分であり得る。本発明の１つの実施形態において、アンテナは、皮膚表面から、Ｄ２／λの平方根の約０．６２倍であり得る距離に位置し得、ここでＤは、アンテナ開口部分の最大物理寸法であり、そしてλは、アンテナにより伝達される電磁放射線の、アンテナ出力と皮膚表面との間に位置する媒体中で測定された波長である。本発明の１つの実施形態において、放射近距離場領域は、例えば、反応性近距離場領域と、遠距離場領域との間の放射電磁界が優先的であるアンテナの場の領域であり得る。本発明の１つの実施形態において、アンテナは、皮膚表面から、Ｄ２／λの約２倍であり得る最大距離に位置し得、ここでＤは、アンテナ開口部分の最大物理寸法であり、そしてλは、アンテナにより伝達される電磁放射線の、アンテナ出力と皮膚表面との間に位置する媒体中で測定された波長である。本発明の１つの実施形態において、遠距離場領域は、例えば、場の角分布がアンテナからの距離に本質的に無関係であるアンテナの場の領域であり得る。
【０１０５】
本発明の１つの実施形態において、皮膚は、特定の特性（より具体的には、電磁放射線を放射するアンテナの構成から生じる特定の特性）を有する電磁放射線により照射される。本発明の１つの実施形態において、皮膚は、主としてＴＥ１０モードで電磁界パターンを放射するように構成されたアンテナにより照射される。本発明の１つの実施形態において、皮膚は、ＴＥ１０モードのみで電磁界パターンを放射するように構成されたアンテナにより照射される。本発明の１つの実施形態において、皮膚は、ＴＥＭモードで電磁界パターンを放射するように構成されたアンテナにより照射される。本発明の１つの実施形態において、皮膚は、ＴＥＭモードのみで電磁界パターンを放射するように構成されたアンテナにより照射される。本発明の実施形態において、ＴＥＭおよびＴＥ１０は、放射される電磁エネルギーが横方向の電場を含むモードであるので、特に有用である。従って、アンテナが適切に配置される場合、電磁エネルギーをＴＥＭモードまたはＴＥ１０モードで伝達するアンテナは、このアンテナに隣接する皮膚表面または重要な界面（例えば、真皮と皮下組織との間の界面）に対して平行または実質的に平行であり得る電場を生じさせる。
【０１０６】
本発明の１つの実施形態において、皮膚は、特定の特性（より具体的には、電磁放射線を放射するアンテナの構成から生じる特定の特性）を有する電磁放射線により照射される。本発明の１つの実施形態において、皮膚は、主としてＴＥＭモードで電磁界パターンを放射するように構成されたアンテナにより照射される。本発明の１つの実施形態において、皮膚は、ＴＥＭモードのみで電磁界パターンを放射するように構成されたアンテナにより照射される。
【０１０７】
本発明の１つの実施形態において、皮膚は、特定の特性（より具体的には、電磁放射線を放射するアンテナの構成から生じる特定の特性）を有する電磁放射線により照射される。本発明の１つの実施形態において、皮膚は、皮膚の表面に対して実質的に平行な電場成分を有する電磁エネルギーを放射するように構成されたアンテナにより照射される。本発明の１つの実施形態において、皮膚は、重要な界面に対して実質的に平行な電場成分を有する電磁エネルギーを放射するように構成されたアンテナにより照射される。本発明の１つの実施形態において、皮膚は、真皮と皮下組織との間の界面に対して実質的に平行な電場成分を有する電磁エネルギーを放射するように構成されたアンテナにより照射される。本発明の１つの実施形態において、皮膚は、腺領域と皮下組織の一部との間の界面に対して実質的に平行な電場成分を有する電磁エネルギーを放射するように構成されたアンテナにより照射される。
【０１０８】
本発明の１つの実施形態において、皮膚は、特定の特性（より具体的には、電磁放射線を放射するアンテナの構成から生じる特定の特性）を有する電磁放射線により照射される。本発明の１つの実施形態において、皮膚は、隣接する組織に定常波を生じさせるように構成されたアンテナにより照射される。本発明の１つの実施形態において、皮膚は、隣接する組織に定常波を生じさせるように構成されたアンテナにより照射され、この定常波は、重要な界面に隣接するピークを有する。
【０１０９】
本発明の１つの実施形態において、皮膚は、特定の特性（より具体的には、電磁放射線を放射するアンテナの構成から生じる特定の特性）を有する電磁放射線により照射される。本発明の１つの実施形態において、皮膚は、隣接する組織に強め合う干渉を生じさせるように構成されたアンテナにより照射される。本発明の１つの実施形態において、皮膚は、隣接する組織に強め合う干渉を生じさせるように構成されたアンテナにより照射され、この強め合う干渉は、重要な界面に隣接するピークを有する。
【０１１０】
（組織／組織構造の加熱）
本発明の１つの実施形態において、組織は、外傷において発生した熱を特定の組織に伝導することにより、加熱される。本発明の１つの実施形態において、組織は、外傷において発生した熱を中間組織を介して伝導することにより加熱され、この外傷の熱は主として、誘電加熱により発生する。本発明の１つの実施形態において、重要な界面より下に位置する組織は、外傷において発生した熱をこの重要な界面を横切って伝導させることにより加熱される。本発明の１つの実施形態において、重要な界面の上に位置する外傷において発生した熱を伝導させることによって、重要な界面より下に位置する組織を加熱するための方法が記載され、この外傷において発生した熱は主として、誘電加熱により発生し、そして重要な界面より下の熱は主として、外傷から中間組織を通して誘電障壁より下に位置する組織への熱の伝導により発生する。
【０１１１】
本発明の１つの実施形態において、重要な界面の近くの皮膚の領域に位置する組織構造（例えば、汗腺または毛包）が加熱される。本発明の１つの実施形態において、重要な界面の近くに位置する組織構造は、外傷からの熱の伝導により加熱され、この外傷は、誘電加熱により作製される。本発明の１つの実施形態において、第一の組織層に位置する組織構造は、重要な界面からの反射により第一の組織層に生じる定常波の結果として、第一の組織層において発生する熱により加熱される。
【０１１２】
本発明の１つの実施形態において、真皮と皮下組織との層が出会う皮膚の領域に位置する組織構造が加熱される。本発明の１つの実施形態において、腺層に位置する組織構造が加熱される。本発明の１つの実施形態において、真皮と皮下組織層が出会う皮膚の領域に位置する組織構造が損傷される。本発明の１つの実施形態において、腺層に位置する組織構造が損傷される。本発明の１つの実施形態において、真皮と皮下組織層とが出会う皮膚の領域に位置する組織構造が破壊される。本発明の１つの実施形態において、腺層に位置する組織構造が破壊される。本発明の１つの実施形態において、組織要素は、外傷において発生した熱を中間組織を介して組織要素に伝導することにより加熱され、この外傷における熱は主として、誘電加熱により発生する。本発明の１つの実施形態において、重要な界面より下に位置する組織構造は、重要な界面より上の外傷において主として誘電加熱により発生した熱を、中間組織を通して重要な界面より下に位置する組織構造へと伝導することにより、加熱される。
【０１１３】
本発明の１つの実施形態において、重要な界面に隣接する領域は、周囲の組織よりも多くのエネルギーをこの領域に蓄積させることにより加熱され得る。
【０１１４】
本発明の１つの実施形態において、皮膚層と皮下組織層との間の界面の近くの皮膚層の組織が優先的に加熱される。
【０１１５】
（冷却）
本発明の１つの実施形態において、皮膚の表面より下の組織において発生した熱は、この熱を皮膚の表面から除去することにより、皮膚の表面に隣接する組織を損傷することを防止される。本発明の１つの実施形態において、皮膚の表面より下の組織において発生した熱は、この皮膚の表面を冷却することによって、皮膚の表面に隣接する組織を損傷することを防止される。
【０１１６】
本発明の１つの実施形態において、誘電加熱により外傷において発生した熱が、この外傷と皮膚の表面との間に位置する皮膚層の組織を損傷することを防止する方法が記載される。本発明の１つの実施形態において、皮膚表面から熱を除去することによって、誘電加熱により外傷において発生した熱がこの外傷と皮膚の表面との間に位置する皮膚層の組織を損傷することを防止する方法が記載される。本発明の１つの実施形態において、皮膚表面を冷却することによって、誘電加熱により外傷において発生した熱がこの外傷と皮膚の表面との間に位置する皮膚層の組織を損傷することを防止する方法が記載される。
【０１１７】
本発明の１つの実施形態において、組織の層に始点を有する外傷において発生した熱が、この外傷の始点と皮膚の表面との間に位置する組織の層の組織を損傷することを防止する方法が記載される。本発明の１つの実施形態において、皮膚表面から熱を除去することによって、組織の層に始点を有する外傷において発生した熱が、この外傷と皮膚の表面との間に位置する皮膚層の組織を損傷することを防止する方法が記載される。本発明の１つの実施形態において、皮膚表面を冷却することによって、組織の層に始点を有する外傷において発生した熱が、この外傷と皮膚の表面との間に位置する皮膚層の組織を損傷することを防止する方法が記載される。
【０１１８】
本発明の１つの実施形態において、外傷が皮膚の表面に向かって成長することを防止する方法が記載される。本発明の１つの実施形態において、皮膚表面から熱を除去することによって、外傷が皮膚の表面に向かって成長することを防止する方法が記載される。本発明の１つの実施形態において、皮膚表面を冷却することによって、外傷が皮膚の表面に向かって成長することを防止する方法が記載される。
【０１１９】
本発明の１つの実施形態において、冷却は、エネルギーが送達された後のある時間にわたってオフにされ得、その後、再開され得る。本発明の１つの実施形態において、冷却は、エネルギーが送達された後に、例えば約２秒間オフにされ得る。本発明の１つの実施形態において、冷却は、皮膚表面を通して除去される熱の量を制御するために、パルス化された様式でオンおよびオフにされ得る。
【０１２０】
（アンテナシステム）
（アンテナ型）
本発明の実施形態において、アンテナ３５８は、例えば、同軸単一スロットアンテナ；同軸複数スロットアンテナ；印刷スロットアンテナ；導波管アンテナ；ホーンアンテナ；パッチアンテナ；パッチトレースアンテナ；Ｖｉｖａｌｄｉアンテナ；または導波管アンテナであり得る。本発明の実施形態において、アンテナは、例えば、アンテナのアレイであり得る。本発明の実施形態において、アンテナは、例えば、１つ以上のアンテナが同時に電磁エネルギーを放射するアンテナのアレイであり得る。本発明の実施形態において、アンテナは、例えば、少なくとも１つであるが全てではないアンテナが同時に電磁エネルギーを放射するアンテナのアレイであり得る。本発明の実施形態において、アンテナは、例えば、２つ以上の異なる型のアンテナであり得る。本発明の実施形態において、アレイ内の特定のアンテナが、選択的に活性化または不活性化され得る。
【０１２１】
（反射減衰量／帯域幅）
本発明の１つの実施形態において、アンテナは、５．８ＧＨｚを中心とする最適化反射減衰量（Ｓ１１）プロフィールを有する。散乱パラメータまたは反射減衰量（ｄＢで表したＳ１１の大きさ）は、アンテナフィードにおいて測定された反射電力の測定値をアンテナフィード内への電力で除算したものであり、効率の尺度として使用され得る。本発明の１つの実施形態において、アンテナは、例えば、−１５ｄＢ以下であり得る最適カップリング値を有し、これは、９７％電力カップリングに対応する。９７％電力カップリングにおいて、（例えばマイクロ波発生器から）アンテナへの利用可能な入力電力のうちの９７％が、このアンテナの入力ポートにカップリングされる。あるいは、本発明の１つの実施形態において、アンテナは、例えば、−１０ｄＢ以下の最適カップリング値を有し、これは、９０％電力カップリングに対応する。あるいは、本発明の１つの実施形態において、アンテナは、例えば、−７ｄＢ以下であり得る最適カップリング値を有し、これは、８０％電力カップリングに対応する。本発明の１つの実施形態において、アンテナ（例えば、導波管アンテナ）は、調整ねじを備え得る。本発明の１つの実施形態において、調整ねじは、例えば、予測される負荷について反射減衰量（Ｓ１１の大きさ）を適合させるために使用され得る。
【０１２２】
本発明の１つの実施形態において、アンテナは、最適な周波数帯域にわたって−１０ｄＢ以上の反射で、アンテナにカップリングされる電力を維持するように最適化される。最適帯域幅は、例えば、目的の周波数（例えば、５．８ＧＨｚ）において、例えば約０．２５ＧＨｚ（搬送周波数の各側において０．１２５ＧＨｚ）であり得る。最適帯域幅は、目的の周波数（例えば、５．８ＧＨｚ）において、例えば約１．０ＧＨｚ（搬送周波数の各側において０．５ＧＨｚ）であり得る。
【０１２３】
（誘電フィルタ）
本発明の実施形態において、誘電フィルタ３６８は、約１０の誘電率を有し得る。本発明の実施形態において、誘電フィルタは、約９．７〜約１０．３の誘電率を有し得る。本発明の実施形態において、誘電フィルタは、流体（冷却チャンバ内の冷却流体を含む）に対して不浸透性であり得る。本発明の実施形態において、誘電フィルタは、液体が導波管配管に入ることを防ぐように構成され得る。本発明の実施形態において、誘電フィルタは、アンテナフィードからのエネルギーを組織内に効率的にカップリングさせるように構成され得る。本発明の実施形態において、誘電フィルタは、導波管配管、冷却剤チャンバ（冷却流体を含む）および皮膚を、所定の周波数（例えば、約４ＧＨｚ〜１０ＧＨｚ、約５ＧＨｚ〜６．５ＧＨｚの範囲の周波数、または約５．８ＧＨｚの周波数）に一致させるように構成され得る。本発明の実施形態において、誘電フィルタは、組織表面に対して垂直な最小電場を有する場を生じさせるように構成され得る。本発明の実施形態において、誘電フィルタは、標的組織において、例えば、約４ＧＨｚ〜１０ＧＨｚ、約５ＧＨｚ〜６．５ＧＨｚの範囲の周波数、または約５．８ＧＨｚの周波数でＴＥ１０場を生じさせるように構成され得る。
【０１２４】
本発明の１つの実施形態において、導波管の断面内側形状（例えば、１５．８ミリメートルの幅および７．９ミリメートルの高さを有するＷＲ６２）は、適切な誘電フィルタを選択することによって、所定の周波数において最適化される。本発明の１つの実施形態において、アンテナ（例えば、ＷＲ６２）は、適切なフィルタ材料を選択することによって、所定の周波数において最適化される。本発明の１つの実施形態において、アンテナ（例えば、ＷＲ６２）は、３〜１２の範囲の誘電率を有するフィルタ材料を選択することによって、所定の周波数において最適化される。本発明の１つの実施形態において、アンテナ（例えば、ＷＲ６２）は、約１０の誘電率を有するフィルタ材料を選択することによって、所定の周波数において最適化される。本発明の１つの実施形態において、アンテナ（例えば、ＷＲ６２）は、流体（例えば、冷却流体）に対して不浸透性である誘電フィルタ材料を選択することによって、所定の周波数において最適化される。本発明の１つの実施形態において、アンテナ（例えば、ＷＲ６２）は、例えばＥｃｃｏｓｔｏｃｋである誘電フィルタ材料を選択することによって、所定の周波数において最適化される。本発明の１つの実施形態において、アンテナは、例えばポリカーボネート、Ｔｅｆｌｏｎ（登録商標）、プラスチックまたは空気である誘電フィルタ材料を選択することによって、所定の周波数において最適化され得る。
【０１２５】
（フィールドスプレッダ）
本発明の１つの実施形態において、アンテナは、フィールドスプレッダと称され得る誘電素子を、アンテナ出力において備え得、この誘電素子は、電場がより広い領域にわたって組織に印加されるような様式でマイクロ波信号をかき乱すかまたは散乱させる。本発明の１つの実施形態において、フィールドスプレッダは、電場がアンテナを出る際に、電場を発散させる。本発明の１つの実施形態において、フィールドスプレッダは、１〜８０の誘電率を有し得る。本発明の１つの実施形態において、フィールドスプレッダは、１〜１５の誘電率を有し得る。本発明の１つの実施形態において、フィールドスプレッダは、例えば、組織においてピークＳＡＲ領域、ピーク温度領域またはピーク電力損失密度領域を広げて平坦にするために使用され得る。本発明の実施形態において、フィールドスプレッダは、例えば、組織の外傷を広げて平坦にするために使用され得る。
【０１２６】
本発明の１つの実施形態において、フィールドスプレッダは、誘電素子であり得る。本発明の１つの実施形態において、フィールドスプレッダは、電場を広げるように構成され得る。本発明の１つの実施形態において、フィールドスプレッダは、アンテナの出力から冷却プレートまで延びるように構成され得る。本発明の１つの実施形態において、フィールドスプレッダは、誘電フィルタから冷却プレートまで延びるように構成され得る。本発明の１つの実施形態において、フィールドスプレッダは、少なくとも部分的に冷却チャンバ内に配置され得る。本発明の１つの実施形態において、フィールドスプレッダは、少なくとも部分的に冷却流体中に配置され得る。本発明の１つの実施形態において、フィールドスプレッダは、丸みを帯びたフィーチャーを有するように構成され得る。本発明の１つの実施形態において、フィールドスプレッダは、楕円形であり得る。本発明の１つの実施形態において、少なくとも部分的に冷却流体中に配置されるフィールドスプレッダは、輪郭付けられた形状を有し得る。本発明の１つの実施形態において、少なくとも部分的に冷却流体中に配置されるフィールドスプレッダは、冷却流体中での渦電流を防止するように構成され得る。本発明の１つの実施形態において、少なくとも部分的に冷却流体中に配置されるフィールドスプレッダは、冷却流体中で気泡が形成されることを防止するように構成され得る。本発明の１つの実施形態において、システムは、複数のフィールドスプレッダを有し得る。
【０１２７】
本発明の１つの実施形態において、フィールドスプレッダは、誘電フィルタと一致する誘電率を有するように構成され得る。本発明の１つの実施形態において、フィールドスプレッダは、誘電フィルタとは異なる誘電率を有するように構成され得る。本発明の１つの実施形態において、フィールドスプレッダは、導波管の中心において場の強度を低下させることによって、有効な場のサイズ（ＥＦＳ）を増加させるように構成され得る。本発明の１つの実施形態において、フィールドスプレッダは、導波管の中心において場の強度を低下させることによって、標的組織中の深さにおける５０％ＳＡＲ等高線面積と放射開口部分の表面積との比を増加させるように構成され得る。本発明の１つの実施形態において、フィールドスプレッダは、アンテナから放出される信号をフィールドスプレッダの周りで発散させて、局所電場ピークを作製させ、この局所電場ピークが再度結合して、より大きいＳＡＲ領域を形成するように構成され得る。本発明の１つの実施形態において、フィールドスプレッダは、導波管アンテナの内面の約２％〜５０％の断面を有し得る。本発明の１つの実施形態において、フィールドスプレッダは、矩形の断面を有し得る。本発明の１つの実施形態において、フィールドスプレッダは、６ミリメートル×１０ミリメートルの矩形の断面を有し得る。本発明の１つの実施形態において、フィールドスプレッダは、１５．８ミリメートル×７．９ミリメートルの内面を有する導波管と共に使用される場合、６ミリメートル×１０ミリメートルの矩形の断面を有し得る。本発明の１つの実施形態において、フィールドスプレッダは、約６０平方ミリメートルの矩形の断面を有し得る。本発明の１つの実施形態において、フィールドスプレッダは、約１２４平方ミリメートルの面積を有する内面を有する導波管と共に使用される場合、約６０平方ミリメートルの矩形断面を有し得る。本発明の１つの実施形態において、フィールドスプレッダは、例えば１０の誘電率を有する、例えばアルミナから構成され得る。本発明の１つの実施形態において、フィールドスプレッダは、導波管に埋め込まれた誘電領域からなるように構成され得る。本発明の１つの実施形態において、フィールドスプレッダは、冷却チャンバ内に配置された誘電領域からなるように構成され得る。本発明の１つの実施形態において、フィールドスプレッダは、誘電フィルタの切り欠きからなるように構成され得る。本発明の１つの実施形態において、フィールドスプレッダは、冷却流体（例えば、水）が切り欠き内に流れることを可能にするように構成された、誘電フィルタの切り欠きからなるように構成され得る。本発明の１つの実施形態において、フィールドスプレッダは、冷却流体からなるように構成され得る。本発明の１つの実施形態において、フィールドスプレッダは、１つ以上の空気ギャップからなるように構成され得る。
【０１２８】
（効率／フリンジ）
本発明の１つの実施形態において、アンテナ（例えば、導波管アンテナ）は、フリンジ電界に起因する自由空間放射を減少または排除するように最適化される。本発明の１つの実施形態において、アンテナ（例えば、導波管アンテナ）は、フリンジ電界を組織の方へと再指向するように最適化される。本発明の１つの実施形態において、アンテナ（例えば、導波管アンテナ）は、アンテナの効率を改善するように最適化され、この効率は、例えば、アンテナの入力において利用可能なエネルギーを、隣接する組織にカップリングされるエネルギーを比較することにより測定され得る。本発明の１つの実施形態において、アンテナ（例えば、導波管アンテナ）は、アンテナの入力において利用可能なエネルギーのうちの少なくとも７０％が、このアンテナの出力に隣接する組織に蓄積するように、アンテナの効率を改善するように最適化される。本発明の１つの実施形態において、アンテナ（例えば、導波管アンテナ）は、導波管アンテナの外側縁部が流体と接触するように、アンテナの出力を配置することによって最適化され得る。本発明の１つの実施形態において、アンテナ（例えば、導波管アンテナ）は、アンテナの出力が流体と接触するようにこのアンテナの出力を配置することにより最適化され得る。本発明の１つの実施形態において、アンテナ（例えば、導波管アンテナ）は、アンテナの出力を流体から分離する絶縁体によりアンテナの出力が覆われるように、このアンテナの出力を配置することにより最適化され得る。この絶縁体は、導波管の出力のフリンジ電界に起因する自由空間放射を減少させる厚さを有する。本発明の１つの実施形態において、アンテナ（例えば、導波管アンテナ）は、アンテナの出力を流体（例えば、冷却流体）から分離する絶縁体によりアンテナの出力が覆われるように、アンテナの出力を配置することにより最適化され得る。この絶縁体は、０．００５インチ未満の厚さを有する。本発明の１つの実施形態において、アンテナ（例えば、導波管アンテナ）から冷却流体を通して隣接する組織内への電力の移動は、アンテナの出力と冷却流体との間の絶縁層の厚さを減少させることにより最適化される。本発明の１つの実施形態において、アンテナ（例えば、導波管アンテナ）から冷却流体を通して隣接する組織内への電力の移動は、アンテナの出力を冷却流体内に配置することにより最適化される。本発明の１つの実施形態において、アンテナ（例えば、導波管アンテナ）は、アンテナの出力を、アンテナ充填材料の誘電率より低い誘電率を有する絶縁体（例えば、ポリカーボネート）で覆うことにより最適化され得る。本発明の１つの実施形態において、アンテナ（例えば、導波管アンテナ）は、アンテナの出力を、アンテナ充填材料の誘電率より低い誘電率を有する絶縁体（例えば、ポリカーボネート）で覆うことにより最適化され得、この絶縁体の厚さは、約０．０００１インチ〜０．００６インチである。本発明の１つの実施形態において、アンテナ（例えば、導波管アンテナ）は、このアンテナの出力を絶縁体で覆うことにより最適化され得、この絶縁体は、約０．０１５インチの厚さである。本発明の１つの実施形態において、アンテナ（例えば、導波管アンテナ）は、このアンテナの出力を、アンテナ充填材料の誘電率より低い誘電率を有する絶縁体（例えば、ポリカーボネート）で覆うことにより最適化され得、この絶縁体の厚さは、約０．０００１インチ〜０．００４インチである。本発明の１つの実施形態において、アンテナ（例えば、導波管アンテナ）は、このアンテナの出力を、アンテナ充填材料の誘電率より低い誘電率を有する絶縁体（例えば、ポリカーボネート）で覆うことにより最適化され得、この絶縁体の厚さは、約０．００２インチである。本発明の１つの実施形態において、アンテナ（例えば、導波管アンテナ）は、アンテナの出力を、アンテナ充填材料の誘電率に実質的に等しい誘電率を有する絶縁体（例えば、アルミナ）で覆うことにより最適化され得る。
【０１２９】
（偏光／ＴＥ１０）
本発明の１つの実施形態において、アンテナ（例えば、導波管アンテナ）は、例えば、このアンテナが実質的に純粋なＴＥ１０モードで放送することを確実にするようにアンテナの設計を最適化することにより、最適化され得る。
【０１３０】
（冷却システム）
本発明の１つの実施形態において、冷却システムは、電磁放射線を放出するように適合されたデバイスと皮膚との間に配置される。本発明の１つの実施形態において、冷却システムは、冷却流体および冷却プレートを備える。本発明の１つの実施形態において、冷却システムは、冷却プレートを通過して流れる冷却流体を備える。本発明の１つの実施形態において、冷却流体は、冷却チャンバを通って流れる。本発明の１つの実施形態において、冷却流体は、電磁放射線を放出するように適合されたデバイスと冷却プレートとの間に位置する冷却チャンバを通って流れる。本明細書中に記載されるシステムおよびデバイスと一緒に使用され得る他の冷却システムおよび種々の構成要素は、例えば、米国仮出願番号６０／９１２，８９９の図３３〜図３６および第４０頁〜第４５頁；ならびに米国仮出願番号６１／０１３，２７４の図１１Ａ〜図１１Ｂおよび第２１頁〜第２４頁に記載および図示されており、これらの両方は、その全体が参考として援用される。
【０１３１】
（温度）
本発明の１つの実施形態において、冷却システムは、皮膚表面を所定の温度に維持するように最適化される。本発明の１つの実施形態において、冷却システムは、皮膚表面を４５℃未満の温度に維持するように最適化される。本発明の１つの実施形態において、冷却システムは、皮膚表面を４０℃未満の温度に維持するように最適化される。本発明の１つの実施形態において、冷却システムは、皮膚表面を約２２℃の温度に維持するように最適化される。本発明の１つの実施形態において、冷却システムは、冷却プレートを４０℃未満の温度に維持するように最適化される。本発明の１つの実施形態において、冷却システムは、皮膚表面を４５℃未満の温度に維持するように最適化される。本発明の１つの実施形態において、冷却流体は、この冷却システムから熱を除去するために使用される。
【０１３２】
（冷却流体）
本発明の１つの実施形態において、移動する冷却流体は、冷却システムから熱を除去するために使用される。本発明の１つの実施形態において、冷却流体は、冷却システムの冷却チャンバに入る際に、−５℃〜４０℃の温度を有する。本発明の１つの実施形態において、冷却流体は、冷却システムの冷却チャンバに入る際に、１０℃〜２５℃の温度を有する。本発明の１つの実施形態において、冷却流体は、冷却システムの冷却チャンバに入る際に、約２２℃の温度を有する。本発明の１つの実施形態において、冷却流体は、冷却チャンバを通って移動する際に、１秒間あたり少なくとも１００ミリリットルの流量を有する。本発明の１つの実施形態において、冷却流体は、冷却チャンバを通って移動する際に、１秒間あたり２５０ミリリットル〜４５０ミリリットルの流量を有する。本発明の１つの実施形態において、冷却流体は、冷却チャンバを通って移動する際に、１秒間あたり０．１８メートル〜０．３２メートルの速度を有する。本発明の１つの実施形態において、冷却チャンバ内の冷却剤の流れは、非層流である。本発明の１つの実施形態において、冷却チャンバ内の冷却剤の流れは、熱移動を容易にするために、渦流である。本発明の１つの実施形態において、冷却流体は、冷却チャンバに入る前に、約１２３２〜２０５７のレイノルズ数を有する。本発明の１つの実施形態において、冷却流体は、冷却チャンバに入る前に、約５１４４〜９２５６のレイノルズ数を有する。
【０１３３】
本発明の１つの実施形態において、冷却流体は、マイクロ波エネルギーに対して実質的に透明であるように最適化される。本発明の１つの実施形態において、冷却流体は、電磁エネルギーの吸収を最小にするように最適化される。本発明の１つの実施形態において、冷却流体は、アンテナを組織に適合させるように最適化される。本発明の１つの実施形態において、冷却流体は、マイクロ波エネルギーの組織への効率的な移動を容易にするように最適化される。本発明の１つの実施形態において、冷却流体は、皮膚の表面から熱を伝導により除去するように最適化される。本発明の１つの実施形態において、冷却流体は、高い誘電率を有する流体からなる。本発明の１つの実施形態において、冷却流体は、７０〜９０という高い誘電率を有するように最適化される。本発明の１つの実施形態において、冷却流体は、約８０という高い誘電率を有するように最適化される。本発明の１つの実施形態において、冷却流体は、２〜１０という低い誘電率を有するように最適化される。本発明の１つの実施形態において、冷却流体は、約２という低い誘電率を有するように最適化される。本発明の１つの実施形態において、冷却流体は、約８０の誘電率を有するように最適化される。本発明の１つの実施形態において、冷却流体は、少なくとも部分的に、脱イオン水からなる。本発明の１つの実施形態において、冷却流体は、少なくとも部分的に、アルコールからなる。本発明の１つの実施形態において、冷却流体は、少なくとも部分的に、エチレングリコールからなる。本発明の１つの実施形態において、冷却流体は、少なくとも部分的に、グリセロールからなる。本発明の１つの実施形態において、冷却流体は、少なくとも部分的に、殺菌剤からなる。本発明の１つの実施形態において、冷却流体は、少なくとも部分的に、植物油からなる。本発明の１つの実施形態において、冷却流体は、低い誘電率を有する流体からなる。本発明の１つの実施形態において、冷却流体は、１メートルあたり約０．５ジーメンス未満の導電率を有する流体からなる。
【０１３４】
（冷却プレート）
本発明の実施形態において、冷却プレートは、例えば、皮膚と接触するように；皮膚組織を冷却するように；皮膚組織をマイクロ波アンテナから物理的に分離するように；ヒトの腋窩の毛を有する領域に適合するように；熱電冷却機を構築するように；熱伝導性であるように；マイクロ波エネルギーに対して実質的に透明であるように；マイクロ波の反射を最小にするために充分に薄いように；セラミックからなるように；またはアルミナからなるように、構成され得る。
【０１３５】
本発明の１つの実施形態において、冷却プレートは、電磁エネルギーを組織に伝導するように最適化される。本発明の１つの実施形態において、冷却プレートは、熱を皮膚の表面から冷却流体へと伝導するように最適化される。本発明の１つの実施形態において、冷却プレートは、０．００３５インチ〜０．０２５インチの厚さを有するように最適化され、そして０．２２５インチまでの厚さを有し得る。本発明の１つの実施形態において、冷却プレートは、２〜１５の誘電率を有するように最適化される。本発明の１つの実施形態において、冷却プレートは、約１０の誘電率を有するように最適化される。本発明の１つの実施形態において、冷却プレートは、低い導電率を有するように最適化される。本発明の１つの実施形態において、冷却プレートは、１メートルあたり０．５ジーメンス未満の導電率を有するように最適化される。本発明の１つの実施形態において、冷却プレートは、高い熱伝導率を有するように最適化される。本発明の１つの実施形態において、冷却プレートは、室温で１メートル・ケルビンあたり１８ワット〜５０ワットの熱伝導率を有するように最適化される。本発明の１つの実施形態において、冷却プレートは、室温で１メートル・ケルビンあたり１０ワット〜１００ワットの熱伝導率を有するように最適化される。本発明の１つの実施形態において、冷却プレートは、室温で１メートル・ケルビンあたり０．１ワット〜５ワットの熱伝導率を有するように最適化される。本発明の１つの実施形態において、冷却プレートは、少なくとも部分的に、セラミック材料からなる。本発明の１つの実施形態において、冷却プレートは、少なくとも部分的に、アルミナからなる。
【０１３６】
本発明の１つの実施形態において、冷却プレートは、例えば、薄膜ポリマー材料であり得る。本発明の１つの実施形態において、冷却プレートは、例えば、ポリイミド材料であり得る。本発明の１つの実施形態において、冷却プレートは、例えば、１メートル・ケルビンあたり約０．１２ワットの伝導率および約０．００２インチ〜０．０１０インチの厚さを有する材料であり得る。
【０１３７】
（冷却チャンバ）
本発明の１つの実施形態において、冷却チャンバは、電磁放射線周波数、冷却流体組成および冷却プレート組成のために最適化された厚さを有する。本発明の１つの実施形態において、冷却チャンバは、高誘電性の冷却流体のために最適化された厚さを有する。本発明の１つの実施形態において、冷却チャンバは、約８０の誘電率を有する冷却流体（例えば、脱イオン水）のために最適化された厚さを有する。本発明の１つの実施形態において、冷却チャンバは、０．５ミリメートル〜１．５ミリメートルの厚さを有する。本発明の１つの実施形態において、冷却チャンバは、約１．０ミリメートルの厚さを有する。本発明の１つの実施形態において、冷却チャンバは、低誘電性の冷却流体のために最適化された厚さを有する。本発明の１つの実施形態において、冷却チャンバは、約２の誘電率を有する冷却流体（例えば、植物油）のために最適化された厚さを有する。低誘電性の低伝導性の冷却流体は、損失を制限すること、または要素に適合することが望ましい場合、有利であり得る。本発明の１つの実施形態において、冷却チャンバは、流体が冷却チャンバを通って流れる際に渦電流が最小になるように最適化される。本発明の１つの実施形態において、冷却チャンバは、流体が冷却チャンバを通って流れる際に気泡が最小にされるように最適化される。本発明の１つの実施形態において、冷却チャンバ内に位置するフィールドスプレッダは、冷却チャンバを通る冷却流体の層流を最適にするように配置および設計される。本発明の１つの実施形態において、冷却チャンバ内に位置するフィールドスプレッダは、形状が実質的に楕円形である。本発明の１つの実施形態において、冷却チャンバ内に位置するフィールドスプレッダは、形状が実質的に円形である。本発明の１つの実施形態において、冷却チャンバ内に位置するフィールドスプレッダは、形状が実質的に矩形である。
【０１３８】
（熱電モジュール）
本発明の１つの実施形態において、皮膚表面を所定の温度に維持するように最適化された冷却システムは、例えば、熱伝モジュールであり得る。本発明の１つの実施形態において、冷却システムは、熱電冷却機（ＴＥＣ）の冷プレート側を、導波管アンテナに隣接する冷却プレートの面に取り付けることによって、皮膚表面を所定の温度に維持するように最適化される。ＴＥＣの熱い側は、フィン付き熱だめに取り付けられ、このフィン付き熱だめは、ＴＥＣの熱い側を低温に維持してＴＥＣの冷却性能を最適化する目的で、軸流ファンにより作動される。冷却プレートおよび熱だめへのＴＥＣの取り付けは、セラミック熱接着性エポキシを利用する。例えば、ＴＥＣは、部品番号０６３１１−５Ｌ３１−０３ＣＦＬ（Ｃｕｓｔｏｍ  Ｔｈｅｒｍｏｅｌｅｃｔｒｉｃから入手可能）であり得、熱だめは、部品番号６５５−５３ＡＢ（Ｗａｋｅｆｉｅｌｄ  Ｅｎｇｉｎｅｅｒｉｎｇから入手可能）であり得、セラミック熱接着性エポキシは、Ａｒｃｔｉｃ  Ｓｉｌｖｅｒから入手可能であり得、そして軸流ファンは、部品番号１６０８ＫＬ−０４Ｗ−Ｂ５９−Ｌ００（ＮＭＢ−ＭＡＴから入手可能）であり得る。
【０１３９】
本発明の１つの実施形態において、冷却システムは、熱電冷却機（ＴＥＣ）の冷プレート側を、導波管アンテナに隣接するかまたは囲む冷却プレートとして構築し、ＴＥＣの熱い側に開口部（ここに導波管アンテナが存在する）を備えることによって、皮膚表面を所定の温度に維持するように最適化される。ＴＥＣの熱い側は、フィン付き熱だめに取り付けられ、このフィン付き熱だめは、ＴＥＣの熱い側を低温に維持してＴＥＣの冷却性能を最適化する目的で、軸流ファンにより作動される。熱だめへのＴＥＣの取り付けは、セラミック熱接着性エポキシを利用する。例えば、ＴＥＣは、Ｌａｉｒｄ  Ｔｅｃｈｎｏｌｏｇｙから入手可能であり得、熱だめは、部品番号６５５−５３ＡＢ（Ｗａｋｅｆｉｅｌｄ  Ｅｎｇｉｎｅｅｒｉｎｇから入手可能）であり得、セラミック熱接着性エポキシは、Ａｒｃｔｉｃ  Ｓｉｌｖｅｒから入手可能であり得、そして軸流ファンは、部品番号１６０８ＫＬ−０４Ｗ−Ｂ５９−Ｌ００（ＮＭＢ−ＭＡＴから入手可能）であり得る。
【０１４０】
本発明の１つの実施形態において、冷却システムは、熱電冷却機（ＴＥＣ）の冷プレート側を、導波管アンテナの面に取り付けることによって、皮膚表面を所定の温度に維持するように最適化される。ＴＥＣの熱い側は、フィン付き熱だめに取り付けられ、このフィン付き熱だめは、ＴＥＣの熱い側を低温に維持してＴＥＣの冷却性能を最適化する目的で、軸流ファンにより作動される。導波管アンテナおよび熱だめへのＴＥＣの取り付けは、セラミック熱接着性エポキシを利用する。例えば、ＴＥＣは、部品番号０６３１１−５Ｌ３１−０３ＣＦＬ（Ｃｕｓｔｏｍ  Ｔｈｅｒｍｏｅｌｅｃｔｒｉｃから入手可能）であり得、熱だめは、部品番号６５５−５３ＡＢ（Ｗａｋｅｆｉｅｌｄ  Ｅｎｇｉｎｅｅｒｉｎｇから入手可能）であり得、セラミック熱接着性エポキシは、Ａｒｃｔｉｃ  Ｓｉｌｖｅｒから入手可能であり得、そして軸流ファンは、部品番号１６０８ＫＬ−０４Ｗ−Ｂ５９−Ｌ００（ＮＭＢ−ＭＡＴから入手可能）であり得る。
【０１４１】
（エネルギー）
本発明の１つの実施形態において、エネルギーは、所望の組織効果を最適にする時間にわたって皮膚に送達される。本発明の１つの実施形態において、エネルギーは、３秒〜４秒の時間にわたって皮膚に送達される。本発明の１つの実施形態において、エネルギーは、１秒〜６秒の時間にわたって皮膚に送達される。本発明の１つの実施形態において、エネルギーは、組織の標的領域に送達される。本発明の１つの実施形態において、エネルギーは、標的組織において１立方ミリメートルあたり０．１ジュール〜０．２ジュールのエネルギー密度を生じさせるために充分な時間にわたって、標的領域に送達される。本発明の１つの実施形態において、エネルギーは、標的組織を少なくとも７５℃の温度まで加熱するために充分な時間にわたって、標的領域に送達される。本発明の１つの実施形態において、エネルギーは、標的組織を５５℃〜７５℃の温度まで加熱するために充分な時間にわたって、標的領域に送達される。本発明の１つの実施形態において、エネルギーは、標的組織を少なくとも４５℃の温度まで加熱するために充分な時間にわたって、標的領域に送達される。
【０１４２】
（冷却）
本発明の１つの実施形態において、皮膚表面は、所望の組織効果を最適にする時間にわたって冷却される。本発明の１つの実施形態において、皮膚表面は、エネルギーが皮膚に送達されている間に冷却される。本発明の１つの実施形態において、皮膚表面は、エネルギーが皮膚に送達される時間より前の時間にわたって冷却される。本発明の１つの実施形態において、皮膚表面は、エネルギーが皮膚に送達される時間の１秒〜５秒前の時間にわたって冷却される。本発明の１つの実施形態において、皮膚表面は、エネルギーが皮膚に送達される時間の約２秒前の時間にわたって冷却される。本発明の１つの実施形態において、皮膚表面は、エネルギーが皮膚に送達される時間より後の時間にわたって冷却される。本発明の１つの実施形態において、皮膚表面は、エネルギーが皮膚に送達される時間の後の１０秒〜２０秒の時間にわたって冷却される。本発明の１つの実施形態において、皮膚表面は、エネルギーが皮膚に送達される時間の後の約２０秒の時間にわたって冷却される。
【０１４３】
（出力電力）
本発明の１つの実施形態において、電力は、電磁エネルギーを放射するように適合されたデバイスに送達される。本発明の１つの実施形態において、電力は、アンテナへの入力（例えば、導波管アンテナへのフィード）に送達される。本発明の１つの実施形態において、アンテナの入力ポートにおいて利用可能な電力は、５０ワット〜６５ワットである。本発明の１つの実施形態において、アンテナの入力ポートにおいて利用可能な電力は、４０ワット〜７０ワットである。本発明の１つの実施形態において、アンテナの入力ポートにおいて利用可能な電力は、経時的に変動する。
【０１４４】
（組織の収集）
本発明の１つの実施形態において、皮膚は、エネルギー送達デバイスに対して最適な位置に保持される。本発明の１つの実施形態において、皮膚は、減圧を使用して、エネルギー送達デバイスに対して最適な位置に保持される。本発明の１つの実施形態において、皮膚は、４００ミリメートル水銀〜７５０ミリメートル水銀の減圧を使用して、エネルギー送達デバイスに対して最適な位置に保持される。本発明の１つの実施形態において、皮膚は、約６５０ミリメートル水銀の減圧を使用して、エネルギー送達デバイスに対して最適な位置に保持される。皮膚を適所に保持し、そして／または非標的組織構造を保護するために、本発明の実施形態と共に使用され得る他の組織収集システム、方法およびデバイスは、例えば、米国仮出願番号６０／９１２，８９９の図３８〜図５２Ｃおよび第４６頁〜第５７頁；ならびに米国仮出願番号６１／０１３，２７４の図１２〜図１６Ｂおよび第２４頁〜第２９頁に見出され得、これらの両方は、その全体が参考として援用される。
【０１４５】
（組織インターフェース）
（組織チャンバ）
本発明の１つの実施形態において、組織チャンバは、例えば、吸引チャンバであり得る。本発明の１つの実施形態において、組織チャンバは、皮膚組織の少なくとも一部分を収集するように構成され得る。本発明の１つの実施形態において、組織チャンバは、減圧源に作動可能に結合され得る。本発明の１つの実施形態において、組織チャンバは、少なくとも１つのテーパ状の壁を有するように構成され得る。本発明の１つの実施形態において、組織チャンバは、皮膚組織を少なくとも部分的に収集し、そして皮膚組織を冷却プレートに接触させるように構成され得る。本発明の１つの実施形態において、組織チャンバ３３８は、少なくとも１つの吸引要素を備えるように構成され得る。本発明の１つの実施形態において、組織チャンバ３３８は、皮膚を上昇させ、そして皮膚を冷却要素に接触させて配置するように構成され得る。本発明の１つの実施形態において、組織チャンバ３３８は、皮膚を上昇させ、そして皮膚を冷却要素に接触させて配置するように構成され得る。本発明の１つの実施形態において、組織チャンバ３３８は、皮膚を上昇させ、そして皮膚を吸引チャンバに接触させて配置するように構成され得る。本発明の１つの実施形態において、組織チャンバ３３８は、皮膚を上昇させ、そして皮膚を吸引開口部と接触させて配置するように構成され得る。本発明の１つの実施形態において、吸引開口部は、少なくとも１つのチャネルを備え得、このチャネルは、丸みを帯びた縁部を有し得る。本発明の１つの実施形態において、組織チャンバ３３８は、卵円形または競技場トラックの形状を有し得、この組織チャンバは、冷却流体の流れの方向に対して垂直な、直線の縁部を備える。本発明の１つの実施形態において、組織チャンバ３３８は、皮膚を上昇させ、皮膚組織を下にある筋肉組織から分離するように構成され得る。本発明の１つの実施形態において、組織チャンバ３３８は、少なくとも１つの温度センサを備えるように構成され得る。本発明の１つの実施形態において、組織チャンバ３３８は、少なくとも１つの温度センサを備えるように構成され得、この温度センサは、熱電対であり得る。本発明の１つの実施形態において、組織チャンバ３３８は、少なくとも１つの温度センサを備えるように構成され得、この温度センサは、皮膚表面の温度を監視するように構成される。本発明の１つの実施形態において、組織チャンバ３３８は、少なくとも１つの温度センサを備えるように構成され得、この温度センサは、マイクロ波信号を有意に摂動させないように構成される。
【０１４６】
本発明の１つの実施形態において、組織インターフェースは、皮膚を下にある筋肉から分離するように最適化された組織チャンバを備え得る。本発明の１つの実施形態において、組織インターフェースは、皮膚が例えば減圧により組織チャンバに引き込まれる場合に、皮膚を下にある筋肉から分離するように最適化された減圧チャンバを備え得る。本発明の１つの実施形態において、組織チャンバは、約１ミリメートル〜約３０ミリメートルの深さを有するように最適化され得る。本発明の１つの実施形態において、組織チャンバは、約７．５ミリメートルの深さを有するように最適化され得る。本発明の１つの実施形態において、組織チャンバの壁は、約２°〜４５°の角度を有するように最適化され得る。本発明の１つの実施形態において、組織チャンバの壁は、５°〜２０°のチャンバ角Ｚを有するように最適化され得る。本発明の１つの実施形態において、組織チャンバの壁は、約２０°のチャンバ角Ｚを有するように最適化され得る。本発明の１つの実施形態において、組織チャンバは、卵円形の形状を有するように最適化され得る。本発明の１つの実施形態において、組織チャンバは、競技場トラックの形状を有するように最適化され得る。本発明の１つの実施形態において、組織チャンバは、アスペクト比を有するように最適化され得、このアスペクト比は、組織インターフェース表面の最小寸法対減圧チャンバの高さとして定義され得る。図８に図示される本発明の実施形態において、アスペクト比は、例えば、最少寸法１０と組織深さＹとの間の比であり得る。本発明の１つの実施形態において、組織チャンバは、約１：１〜約３：１のアスペクト比を有するように最適化され得る。本発明の１つの実施形態において、組織チャンバは、約２：１のアスペクト比を有するように最適化され得る。
【０１４７】
（段階的処置）
いくつかの実施形態において、処置を段階ごとに実施することが望ましくあり得る。さらに、処置は、標的組織のセクションが最初の段階で処置され、一方で他のセクションが引き続く段階において処置されるように実施され得る。本明細書中に開示されるシステムおよびデバイスを使用する処置は、例えば、米国仮出願番号６０／９１２，８９９の図５４〜図５７および第６１頁〜第６３頁；ならびに米国仮出願番号６１／０１３，２７４の図１７〜図１９および第３２頁〜第３４頁に開示されるような段階で処置され得、これらの両方は、その全体が参考として援用される。
【０１４８】
（診断）
本発明の実施形態はまた、多汗症を罹患する患者を識別および診断するための方法および装置を包含する。このような診断は、主観的な患者データ（例えば、観察される発汗に関する質問に対する患者の返答）または客観的な試験に基づいてなされ得る。客観的試験の１つの実施形態において、ヨウ素溶液が患者に塗布されて、皮膚表面で患者が発汗している箇所および発汗していない箇所を識別し得る。さらに、特定の患者は、処置されるべき領域を具体的に識別する目的で、身体の様々な部分での過剰な発汗に基づいて診断され得る。従って、処置は、処置を必要とする身体の様々な部分に対して選択的にのみ（例えば、手、腋窩、足および／または顔において選択的に）適用され得る。
【０１４９】
（処置の成功の定量）
上記処置のいずれか、または処置の任意の段階の完了後、成功が患者により定性的に評価され得るか、または多数の様式により定量的に評価され得る。例えば、処置された単位表面積あたりの障害または破壊された汗腺の数の測定が行われ得る。このような評価は、処置された領域を画像化すること、または処置される領域に施された処置の量（例えば、送達されたエネルギーの量、標的組織の測定された温度など）を決定することにより、実施され得る。上記ヨウ素溶液試験もまた、処置の効果の程度を決定するために使用され得る。さらに、処置は、患者により経験される発汗の量が、規定された試験基準下で、処置前と比較して所望の百分率だけ減少し得るように、開始または改変され得る。例えば、多汗症の特に重篤な症例を罹患すると診断された患者について、発汗の量は、約１０％、２０％、３０％、４０％、５０％、６０％、７０％、８０％、９０％、またはそれより多く減少され得る。さほど重篤ではないか、またはより正常な発汗プロフィールを有すると診断された患者については、発汗の段階的減少が達成され得るが、解決はより少ない。例えば、このような患者は、２５％の増分での部分的な無発汗症を達成し得るのみであり得る。
【０１５０】
（システム、方法、およびデバイスの概要）
本発明の１つの実施形態において、エネルギーを組織に適用する方法が記載される。本発明の１つの実施形態において、この方法は、局在した高電力損失密度の領域を皮膚に有する放射パターンを生じさせる工程を包含する。本発明の１つの実施形態において、この方法は、局在した高電力損失密度の領域を重要な界面に隣接する真皮の領域に有する放射パターンを生じさせる工程を包含する。本発明の１つの実施形態において、この方法は、局在した高電力損失密度の領域を腺層に有する放射パターンを生じさせる工程を包含する。本発明の１つの実施形態において、この方法は、局在した高電力損失密度の第一の領域および第二の領域を皮膚に有する放射パターンを生じさせる工程を包含し、この第一の領域およびこの第二の領域は、低電力損失密度の領域により分離されている。本発明の１つの実施形態において、この方法は、局在した高電力損失密度の複数の領域を皮膚に有する放射パターンを生じさせる工程を包含し、第一の領域および第二の領域は、低電力損失密度の領域により分離されている。本発明の１つの実施形態において、この方法は、局在した高電力損失密度の複数の領域を皮膚に有する放射パターンを生じさせる工程を包含し、この高電力損失密度の隣接する領域は、低電力損失密度の領域により分離されている。
【０１５１】
本発明の１つの実施形態において、エネルギーを組織に適用する方法が記載される。本発明の１つの実施形態において、この方法は、局在した高比吸収率（ＳＡＲ）の領域を皮膚に有する放射パターンを生じさせる工程を包含する。本発明の１つの実施形態において、この方法は、局在した高比吸収率（ＳＡＲ）の領域を、重要な界面に隣接する真皮の領域に有する放射パターンを生じさせる工程を包含する。本発明の１つの実施形態において、この方法は、局在した高比吸収率（ＳＡＲ）の領域を腺層に有する放射パターンを生じさせる工程を包含する。本発明の１つの実施形態において、この方法は、局在した比吸収率（ＳＡＲ）の第一の領域および第二の領域を皮膚に有する放射パターンを生じさせる工程を包含し、この第一の領域およびこの第二の領域は、低比吸収率（ＳＡＲ）の領域により分離されている。本発明の１つの実施形態において、この方法は、局在した高比九州率（ＳＡＲ）の複数の領域を皮膚に有する放射パターンを生じさせる工程を包含し、第一の領域および第二の領域は、低比吸収率（ＳＡＲ）の領域により分離されている。本発明の１つの実施形態において、この方法は、局在した比吸収率（ＳＡＲ）の複数の領域を皮膚に有する放射パターンを生じさせる工程を包含し、高比吸収率（ＳＡＲ）の隣接する領域は、低比吸収率（ＳＡＲ）の領域により分離されている。
【０１５２】
本発明の１つの実施形態において、エネルギーを組織に適用する方法が記載される。本発明の１つの実施形態において、この方法は、局在した高温の領域を皮膚に有する放射パターンを生じさせる工程を包含する。本発明の１つの実施形態において、この方法は、局在した高温の領域を重要な界面に隣接する真皮の領域に有する放射パターンを生じさせる工程を包含する。本発明の１つの実施形態において、この方法は、局在した高温の領域を腺層に有する放射パターンを生じさせる工程を包含する。本発明の１つの実施形態において、この方法は、局在した温度の第一の領域および第二の領域を皮膚に有する放射パターンを生じさせる工程を包含し、この第一の領域およびこの第二の領域は、低温の領域により分離されている。本発明の１つの実施形態において、この方法は、局在した高温の複数の領域を皮膚に有する放射パターンを生じさせる工程を包含し、第一の領域および第二の領域は、低温の領域により分離されている。本発明の１つの実施形態において、この方法は、局在した温度の複数の領域を皮膚に有する放射パターンを生じさせる工程を包含し、隣接する高温の領域は、低温の領域により分離されている。
【０１５３】
本発明の１つの実施形態において、電磁場を整列させて比較的高い含水量を有する組織を優先的に処置する方法が記載される。本発明の１つの実施形態において、この方法は、組織を皮膚の表面と整列させた電磁電場で照射する工程を包含する。本発明の１つの実施形態において、この方法は、組織をＴＥ１０モードの電磁放射線で照射する工程を包含する。本発明の１つの実施形態において、この方法は、組織を、皮膚の表面の少なくとも一部分に対して垂直な方向に最小電場を有する電磁放射線で照射する工程を包含する。本発明の１つの実施形態において、この方法は、電磁波の電場成分を整列させて、高い含水量を有する組織を、横方向の電波（ＴＥ）または横方向の電磁波（ＴＥＭ）で照射することにより優先的に加熱する工程を包含する。
【０１５４】
本発明の１つの実施形態において、組織へのエネルギーの送達を制御する方法が記載される。本発明の１つの実施形態において、エネルギーを送達する方法は、約５．８ＧＨｚの周波数のエネルギーを送達する工程を包含する。本発明の１つの実施形態において、エネルギーを送達する方法は、約４０ワットより大きい電力を有するエネルギーを送達する工程を包含する。本発明の１つの実施形態において、エネルギーを送達する方法は、約２秒〜約１０秒の時間にわたってエネルギーを送達する工程を包含する。本発明の１つの実施形態において、エネルギーを送達する方法は、皮膚表面を約２秒の時間にわたって予冷する工程を包含する。本発明の１つの実施形態において、エネルギーを送達する方法は、約２０秒の時間にわたって事後冷却する工程を包含する。本発明の１つの実施形態において、エネルギーを送達する方法は、約２２秒より長時間にわたって組織の係合を維持する工程を包含する。本発明の１つの実施形態において、エネルギーを送達する方法は、約６００ミリメートル水銀の減圧を使用して組織を係合する工程を包含する。本発明の１つの実施形態において、エネルギーを送達する方法は、皮膚の温度を測定する工程を包含する。本発明の１つの実施形態において、エネルギーを送達する方法は、エネルギー送達持続時間；予冷持続時間；事後冷却持続時間；出力電力；周波数；減圧を、組織パラメータ（例えば、皮膚の温度）のフィードバックの結果として調整する工程を包含する。本発明の１つの実施形態において、エネルギーを送達する方法は、エネルギー送達持続時間；予冷持続時間、事後冷却持続時間；出力電力；周波数；減圧を、組織パラメータ（例えば、冷却流体の温度）のフィードバックの結果として調整する工程を包含する。
【０１５５】
本発明の１つの実施形態において、熱を組織から除去する方法が記載される。本発明の１つの実施形態において、組織を冷却する方法が記載され、この方法は、皮膚の表面を係合する工程を包含する。本発明の１つの実施形態において、この方法は、冷却要素を皮膚表面と接触させて配置する工程を包含する。本発明の１つの実施形態において、この方法は、皮膚表面を伝導により冷却する工程を包含する。本発明の１つの実施形態において、この方法は、皮膚表面を対流により冷却する工程を包含する。本発明の１つの実施形態において、この方法は、皮膚表面を伝導および対流により冷却する工程を包含する。
【０１５６】
本発明の１つの実施形態において、組織構造を損傷または破壊する方法が記載される。本発明の１つの実施形態において、腺を損傷または破壊する方法が記載される。本発明の１つの実施形態において、この方法は、組織構造に高温を誘導する工程を包含する。本発明の１つの実施形態において、高温は、組織を例えば、約４２℃〜４５℃の温度まで穏やかに加熱することにより、達成され得る。本発明の１つの実施形態において、この方法は、組織構造を剥離する工程を包含し、この工程は、組織を約４７℃を超える温度まで加熱することにより達成され得る。
【０１５７】
本発明の１つの実施形態において、電磁放射線を使用して組織を処置する方法が記載される。本発明の１つの実施形態において、組織を処置する方法は、組織において二次的効果を生じさせる工程を包含する。本発明の１つの実施形態において、組織を処置する方法は、組織において二次的効果を生じさせる工程を包含し、この二次的効果としては、例えば、細菌のコロニー形成を減少させることが挙げられる。本発明の１つの実施形態において、組織を処置する方法は、組織において二次的効果を生じさせる工程を包含し、この二次的効果としては、皮膚の斑点をきれいにするかまたは減少させることが挙げられる。本発明の１つの実施形態において、組織を処置する方法は、組織において二次的効果を生じさせる工程を包含し、この二次的効果としては、例えば、尋常性ざ瘡から生じる皮膚の斑点をきれいにするかまたは減少させることが挙げられる。本発明の１つの実施形態において、組織を処置する方法は、皮脂腺を損傷する工程を包含する。本発明の１つの実施形態において、組織を処置する方法は、皮脂線を障害する工程を包含する。本発明の１つの実施形態において、組織を処置する方法は、皮脂腺を一時的に障害する工程を包含する。
【０１５８】
本発明の１つの実施形態において、選択された組織にエネルギーを送達する方法が記載される。本発明の１つの実施形態において、この方法は、マイクロ波エネルギー送達アプリケータを介してエネルギーを送達する工程を包含する。本発明の１つの実施形態において、この方法は、皮膚組織内の標的組織に熱効果を生じさせるために充分なエネルギーを送達する工程を包含する。本発明の１つの実施形態において、この方法は、誘電加熱に供される組織にエネルギーを送達する工程を包含する。本発明の１つの実施形態において、この方法は、高誘電モーメントを有する組織にエネルギーを送達する工程を包含する。本発明の１つの実施形態において、この方法は、コラーゲン、毛包、脂肪性浮腫、エクリン腺、アポクリン腺、皮脂腺、クモ状静脈およびこれらの組み合わせからなる群より選択される、皮膚組織内の標的組織にエネルギーを送達する工程を包含する。本発明の１つの実施形態において、皮膚組織内の標的組織は、皮膚組織の皮膚層と皮下組織層との間の界面を含む。本発明の１つの実施形態において、標的組織において熱効果を生じさせることは、少なくとも１つの汗腺の熱変性を包含する。本発明の１つの実施形態において、標的組織において熱効果を生じさせることは、少なくとも１つの汗腺の剥離を包含する。
【０１５９】
本発明の１つの実施形態において、マイクロ波エネルギーを組織に送達する方法が記載される。本発明の１つの実施形態において、この方法は、冷却要素を皮膚組織に適用する工程を包含する。本発明の１つの実施形態において、この方法は、皮膚組織の真皮層と皮下層との間の界面の近くに外傷を作製するために充分な電力、周波数および持続時間でマイクロ波エネルギーを組織に適用する工程、ならびに温度および持続時間で冷却を適用する工程を包含し、この間、皮膚組織の上皮および真皮層の非標的組織の熱変性を最小にする。本発明の１つの実施形態において、この方法は、汗腺を熱的に変更するために充分なマイクロ波エネルギーを、汗腺を含む皮膚の第二の層に適用する工程を包含する。本発明の１つの実施形態において、この方法は、皮膚の第一の層が保護的に冷却されている間に、マイクロ波エネルギーを適用する工程を包含し、第二の層は、皮膚表面に対して第一の層より深い。本発明の１つの実施形態において、この方法は、冷却要素を介して冷却する工程を包含する。
【０１６０】
本発明の１つの実施形態において、この方法は、１つ以上のフィールドスプレッダを使用してＭＷエネルギーがアンテナから発生する際にＭＷエネルギーを広げる工程を包含する。本発明の１つの実施形態において、この方法は、１つの導波管外傷より大きい連続的な外傷を作製する工程を包含する。本発明の１つの実施形態において、この方法は、複数のアンテナを使用する工程を包含する。本発明の１つの実施形態において、この方法は、１つの導波管外傷より大きい連続的な外傷を作製する工程を包含する。本発明の１つの実施形態において、この方法は、導波管のアレイを使用する工程を包含する。本発明の１つの実施形態において、この方法は、複数の導波管を直列で活性化させる工程を包含する。本発明の１つの実施形態において、この方法は、複数のアンテナを活性化する工程を包含する。本発明の１つの実施形態において、この方法は、アレイ内の全てではないアンテナを活性化する工程を包含する。本発明の１つの実施形態において、この方法は、アレイ内の全てではないアンテナを連続的に冷却する工程を包含する。
【０１６１】
本発明の１つの実施形態において、エネルギーを組織に適用する方法が記載される。本発明の１つの実施形態において、この方法は、皮膚表面より深い深さでエネルギーを適用する工程を包含する。本発明の１つの実施形態において、この方法は、神経組織または筋肉組織ほどには深くない位置にエネルギーを適用する工程を包含する。本発明の１つの実施形態において、この方法は、エネルギーを標的組織に集中させる周波数で電磁放射線を適用する工程を包含する。
【０１６２】
本発明の１つの実施形態において、組織を選択的に加熱する方法が記載される。本発明の１つの実施形態において、この方法は、誘電加熱により組織を選択的に加熱する工程を包含する。本発明の１つの実施形態において、この方法は、腺を選択的に加熱する工程を包含する。本発明の１つの実施形態において、この方法は、汗腺を選択的に加熱する工程を包含する。本発明の１つの実施形態において、この方法は、腺液（ｇｌａｎｄｕｌａｒ  ｆｌｕｉｄ）を損傷するために充分な温度まで組織を加熱する工程を包含する。本発明の１つの実施形態において、この方法は、病的状態を生じさせるために充分な温度まで腺を加熱する工程を包含する。本発明の１つの実施形態において、この方法は、死をもたらすために充分な温度まで腺を加熱する工程を包含する。本発明の１つの実施形態において、この方法は、隣接する毛包を損傷するために充分な温度まで腺を加熱する工程を包含する。本発明の１つの実施形態において、この方法は、隣接する毛包を破壊するために充分な温度まで腺を加熱する工程を包含する。本発明の１つの実施形態において、この方法は、皮膚／脂肪界面の組織において高温を誘導するために充分な温度まで腺を加熱する工程を包含する。本発明の１つの実施形態において、この方法は、周囲の組織での高温を最小にしながら、皮膚／脂肪界面の組織において高温を誘導するために充分な温度まで腺を加熱する工程を包含する。本発明の１つの実施形態において、この方法は、少なくとも５０℃まで腺を加熱する工程を包含する。
【０１６３】
本発明の１つの実施形態において、皮膚組織において温度プロフィールを生じさせる方法が記載される。本発明の１つの実施形態において、この方法は、皮膚−脂肪界面のすぐ上の領域にピークを有する温度プロフィールを生じさせる工程を包含する。本発明の１つの実施形態において、この方法は、温度が皮膚表面に向かって低下する温度プロフィールを生じさせる工程を包含する。本発明の１つの実施形態において、この方法は、冷却の非存在下で温度が皮膚表面に向かって低下する温度プロフィールを生じさせる工程を包含する。
【０１６４】
本発明の１つの実施形態において、皮膚を配置する方法が記載される。本発明の１つの実施形態において、この方法は、吸引、つまむことまたは接着剤を使用する工程を包含する。本発明の１つの実施形態において、この方法は、吸引、つまむことまたは接着剤を使用して、皮膚および皮下層を筋肉層から離すように持ち上げる工程を包含する。
【０１６５】
本発明の１つの実施形態において、エネルギーを組織に適用する方法が記載される。本発明の１つの実施形態において、この方法は、マイクロ波エネルギー送達アプリケータを皮膚組織上に配置する工程を包含する。本発明の１つの実施形態において、このマイクロ波アプリケータは、マイクロ波アンテナを備える。本発明の１つの実施形態において、このマイクロ波アンテナは、単一スロットアンテナ；複数スロットアンテナ；導波管アンテナ；ホーンアンテナ；印刷スロットアンテナ；パッチアンテナ；パッチトレースアンテナ；Ｖｉｖａｌｄｉアンテナおよびこれらの組み合わせからなる群より選択される。本発明の１つの実施形態において、この方法は、マイクロ波エネルギー送達アプリケータを、より吸収性の組織要素を有する領域上に配置する工程を包含する。本発明の１つの実施形態において、この方法は、マイクロ波エネルギー送達アプリケータを、集中した汗腺を有する領域上に配置する工程を包含する。本発明の１つの実施形態において、この方法は、マイクロ波エネルギー送達アプリケータを、毛を有する領域上に配置する工程を包含する。本発明の１つの実施形態において、この方法は、マイクロ波エネルギー送達アプリケータを腋窩上に配置する工程を包含する。本発明の１つの実施形態において、この方法は、皮膚を吸引チャンバ内に収集する工程を包含する。本発明の１つの実施形態において、この方法は、真空ポンプを作動させる工程を包含する。本発明の１つの実施形態において、この方法は、減圧ポンプを脱作動させて皮膚を解放する工程を包含する。本発明の１つの実施形態において、この方法は、皮膚組織をマイクロ波エネルギー送達アプリケータの近くに固定する工程を包含する。本発明の１つの実施形態において、この方法は、皮膚組織に吸引を適用することによって、この皮膚組織をマイクロ波エネルギー送達アプリケータの近くに固定する工程を包含する。本発明の１つの実施形態において、この方法は、皮膚組織をマイクロ波エネルギー送達アプリケータの近くに固定する工程を包含し、この皮膚組織をこのエネルギー送達アプリケータに隣接する吸引チャンバ内に少なくとも部分的に収集する工程を包含する。本発明の１つの実施形態において、この方法は、潤滑剤を使用して減圧を増強する工程を包含する。本発明の１つの実施形態において、この方法は、皮膚組織をマイクロ波エネルギー送達アプリケータの近くに固定する工程を包含し、この皮膚組織を上昇させる工程を包含する。本発明の１つの実施形態において、この方法は、皮膚組織をマイクロ波エネルギー送達アプリケータの近くに固定する工程を包含し、皮膚を冷却部に接触させる工程を包含する。本発明の１つの実施形態において、この方法は、減圧ポンプを作動させて皮膚を吸引チャンバ内に収集する工程を包含する。
【０１６６】
１つの実施形態において、本明細書中には、マイクロ波エネルギーを組織に適用するためのシステムが開示され、このシステムは、所定の特性を有するマイクロ波信号を発生させるように適合された信号発生器；この発生器に接続されてマイクロ波エネルギーを組織に適用するように適合されたアプリケータであって、１つ以上のマイクロ波アンテナおよび組織インターフェースを備える、アプリケータ；この組織インターフェースに接続された減圧源；この組織インターフェースに接続された冷却源；ならびにこの信号発生器、この減圧源、およびこの冷却剤源を制御するように適合された制御器を備える。いくつかの実施形態において、このマイクロ波信号は、約４ＧＨｚ〜約１０ＧＨｚの範囲、約５ＧＨｚ〜約６．５ＧＨｚの範囲、または約５．８ＧＨｚの周波数を有する。このシステムは、この信号発生器とこのアプリケータとの間に接続された増幅器をさらに備え得る。このマイクロ波アンテナは、電磁放射線の電場成分が組織の外側表面に対して実質的に平行になるように偏光された電磁放射線を放射するように構成された、アンテナを備え得る。いくつかの実施形態において、このマイクロ波アンテナは、導波管アンテナを備える。このアンテナは、ＴＥ１０モード、および／またはＴＥＭモードで放射するように構成されたアンテナを備え得る。この組織インターフェースは、組織に係合して組織を保持するように構成され得る。この皮膚は、いくつかの実施形態において、腋窩領域の皮膚である。このマイクロ波アンテナは、電磁放射線の電場成分が組織の外側表面に対して平行であるように偏光された電磁放射線を放射するように構成された、アンテナを備え得る。
【０１６７】
いくつかの実施形態において、この組織インターフェースは、冷却プレート、およびこの冷却プレートとマイクロ波アンテナとの間に配置された冷却チャンバを備える。いくつかの実施形態において、この冷却プレートは、約２〜１５の誘電率を有する。減圧源は、組織インターフェースに減圧を供給するように構成され得る。いくつかの実施形態において、この減圧は、約４００ｍｍＨｇ〜約７５０ｍｍＨｇ、またはいくつかの実施形態において、約６５０ｍｍＨｇである。冷却源は、組織インターフェースに冷却剤を供給するように構成され得る。この冷却剤は、冷却流体であり得、この冷却流体は、いくつかの実施形態において、約７０〜９０、約８０、約２〜１０、または約２の誘電率を有する。いくつかの実施形態において、この冷却流体は、約−５℃〜４０℃、１０℃〜２５℃、または約２２℃の温度を有し得る。いくつかの実施形態において、この冷却流体は、組織インターフェースの少なくとも一部を通る、１秒あたり約１００ｍＬ〜６００ｍＬ、または１秒あたり約２５０ｍＬ〜４５０ｍＬの流量を有する。いくつかの実施形態において、この冷却流体は、組織インターフェースを通って、１秒あたり０．１８メートル〜０．３２メートルの速度で流れるように構成される。この冷却流体は、例えば、グリセリン、植物油、イソプロピルアルコール、水、アルコールと混合された水、またはいくつかの実施形態においては他の組み合わせから選択され得る。冷却源は、熱電モジュールを備え得る。いくつかの実施形態において、組織は第一の層および第二の層を備え、この第二の層は第一の層より下にあり、制御器は、ピーク電力損失密度プロフィールが第二の層において生じるようにシステムがエネルギーを送達するように構成される。
【０１６８】
別の実施形態において、マイクロ波エネルギーを標的組織に送達するための装置が開示され、この装置は、組織インターフェース；マイクロ波エネルギー送達デバイス；この組織インターフェースとこのマイクロ波エネルギーデバイスとの間に配置された冷却要素であって、この組織インターフェースに配置された冷却プレートを備える、冷却要素；およびこの冷却要素とこのマイクロ波送達デバイスとの間に配置された冷却流体であって、この冷却要素の誘電率より大きい誘電率を有する、冷却流体を備える。いくつかの実施形態において、この組織インターフェースは、組織収集チャンバを備え、この組織チャンバは、いくつかの実施形態において、減圧チャンバであり得る。この冷却プレートは、セラミックから作製され得る。いくつかの実施形態において、この冷却プレートは、標的組織の周りの皮膚表面と接触し、この皮膚組織を冷却し、そしてこの皮膚組織を冷却流体から物理的に分離するように構成される。いくつかの実施形態において、マイクロ波エネルギー送達デバイスは、マイクロ波アンテナを備え、このマイクロ波アンテナは、いくつかの実施形態において、導波管アンテナであり得る。
【０１６９】
別の実施形態において、マイクロ波エネルギーを組織の標的領域に送達するための装置が開示され、この装置は、組織収集チャンバを有する組織インターフェース；冷却プレートを有する冷却要素；およびマイクロ波アンテナを有するマイクロ波エネルギー送達デバイスを備える。いくつかの実施形態において、この組織収集チャンバは、組織（標的領域を含む）を上昇させ、そしてこの組織を冷却要素と接触させるように適合された減圧チャンバを備える。いくつかの実施形態において、この減圧チャンバは、第一の辺および第二の辺、ならびに第一の端部および第二の端部を有する競技場トラックの形状を有し、この第一の辺と第二の辺とは互いに平行であり、そしてこの第一の端部およびこの第二の端部は、弓形の形状を有する。いくつかの実施形態において、冷却プレートは、標的組織より上の皮膚表面と接触し、この皮膚組織を冷却し、そしてこの皮膚組織をマイクロ波エネルギー送達デバイスから物理的に分離するように構成される。この冷却プレートは、マイクロ波エネルギーに対して実質的に透明であり得る。いくつかの実施形態において、マイクロ波アンテナは、熱効果を生じさせるために充分なエネルギーを標的領域に送達するように構成される。いくつかの実施形態において、このマイクロ波アンテナは、導波管アンテナを備える。
【０１７０】
１つの実施形態において、マイクロ波エネルギーを組織の標的領域に送達するための装置がまた開示され、この装置は、組織（標的領域を含む）を上昇させてこの組織を冷却プレートと接触させるように適合された減圧チャンバであって、この冷却プレートは、標的領域より上の皮膚表面に接触し、この皮膚表面を冷却し、そしてこの皮膚組織をマイクロ波エネルギー送達デバイスから物理的に分離するように適合されている、減圧チャンバ；およびこの標的領域に熱効果を生じさせるために充分なエネルギーを送達するように構成されたマイクロ波アンテナを備える。いくつかの実施形態において、この減圧チャンバは、第一の辺および第二の辺、ならびに第一の端部および第二の端部を有する競技場トラックの形状を有し、この第一の辺と第二の辺とは互いに平行であり、そしてこの第一の端部およびこの第二の端部は、弓形の形状を有する。いくつかの実施形態において、この冷却プレートは、マイクロ波エネルギーに対して実質的に透明である。いくつかの実施形態において、このマイクロ波アンテナは、熱効果を生じさせるために充分なエネルギーを標的領域に送達するように構成される。いくつかの実施形態において、このマイクロ波アンテナは、導波管アンテナを備える。いくつかの実施形態において、このマイクロ波アンテナは、標的領域にピークを有する放射パターンを生じさせるように構成される。
【０１７１】
１つの実施形態において、マイクロ波エネルギーを組織にカップリングさせるためのシステムもまた開示され、このシステムは、マイクロ波アンテナ、このマイクロ波アンテナと組織との間に配置される流体チャンバ、およびこの冷却チャンバと組織との間に配置される冷却プレートを備える。１つの実施形態において、このシステムは、少なくとも１つのフィールドスプレッダをさらに備える。このフィールドスプレッダは、流体チャンバ内で、導波管と冷却プレートとの間に配置され得る。このフィールドスプレッダは、流体チャンバを通る流体の層流を容易にするように構成され得る。１つの実施形態において、このフィールドスプレッダは、冷却流体内での渦電流または気泡のうちの１つ以上を防止するように構成され得る。１つの実施形態において、このシステムは、マイクロ波の反射を最小にしながら熱移動を最大にするように選択された冷却流体をさらに備え得る。この冷却流体は、アルコール、グリセロール、エチレングリコール、脱イオン水、殺菌剤、および植物油からなる群より選択され得る。１つの実施形態において、マイクロ波アンテナは、所定の周波数において組織の表面に対して垂直な最小電場を有する場を生じさせるように選択された誘電フィルタを備える、導波管であり得る。１つの実施形態において、流体チャンバは、この流体チャンバを通る冷却流体の層流を容易にするような構成にされた形状を有する。この流体チャンバは、矩形の形状であり得る。いくつかの実施形態において、この冷却プレートは熱伝導性であり、そしてマイクロ波エネルギーに対して実質的に透明である。
【０１７２】
別の実施形態において、標的組織層において組織効果を生じさせる方法が開示され、この方法は、標的組織層および第一の組織層を、皮膚表面を通して、所定の周波数および電場特性を有する電磁エネルギーで照射する工程であって、この第一の層はこの標的組織層より上にあり、この第一の組織層は皮膚の表面に隣接している、工程；ならびに電力損失密度プロフィールを生じさせる工程であって、この電力損失密度プロフィールは、この標的組織層の領域内にピーク電力損失密度を有する、工程を包含する。１つの実施形態において、この方法は、汗の産生の減少を望む患者を識別する工程をさらに包含する。他の実施形態において、この方法は、脂肪性浮腫の減少を望む患者を識別する工程、多汗症を有する患者を識別する工程、毛細管拡張症を有する患者を識別する工程、静脈瘤の静脈を有する患者を識別する工程、または毛の除去を望む患者を識別する工程をさらに包含する。別の実施形態において、この方法は、第一の組織層から熱を除去する工程をさらに包含する。１つの実施形態において、この方法は、組織層から熱を除去する工程をさらに包含する。１つの実施形態において、組織効果としては、外傷が挙げられる。この外傷は、標的組織層に始点を有し得る。１つの実施形態において、この外傷の始点は、ピーク電力損失密度を有する標的組織層の領域にある。１つの実施形態において、この方法は、外傷が第一の層へと成長することを防止するために充分な熱を第一の層から除去する工程をさらに包含し、この第一の層から熱を除去する工程は、皮膚表面を冷却する工程を包含する。１つの実施形態において、標的組織層は、真皮、真皮の深層、または腺層を含み得る。１つの実施形態において、電磁エネルギーは、皮膚表面の少なくとも一部分に対して実質的に平行な電場成分を有する。この電磁放射線は、皮膚表面の少なくとも一部分に対して平行な電場成分を有し得る。いくつかの実施形態において、電磁エネルギーは、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。１つの実施形態において、電磁エネルギーは、誘電加熱によって、標的組織において熱を発生させる。１つの実施形態において、電力損失密度は、標的組織層および第一の組織層における定常波パターンにより生じる。１つの実施形態において、定常波パターンは、標的組織層の領域に強め合う干渉ピークを有する。定常波パターンは、第一の組織層において強め合う干渉の最小を有し得る。
【０１７３】
別の実施形態において、冷却の非存在下で標的組織層に外傷を作製する方法が開示され、この標的組織層は、第一の組織層より下にあり、この第一の組織層は、皮膚表面に隣接しており、この方法は、標的組織層および第一の組織層を、皮膚表面を通して、所定の周波数および電場特性を有する電磁エネルギーで照射する工程であって、この第一の組織層はこの標的組織層より上にあり、この第一の組織層は皮膚の表面に隣接している、工程；ならびに電力損失密度プロフィールを生じさせる工程であって、この電力損失密度プロフィールは、標的組織層の領域にピーク電力損失密度を有する、工程を包含する。１つの実施形態において、この外傷は、標的組織層に始点を有する。いくつかの実施形態において、この標的組織層は、真皮、真皮の深層、または腺層を含む。１つの実施形態において、電磁エネルギーは、皮膚表面の少なくとも一部分に対して実質的に平行な電場成分を有する。１つの実施形態において、電磁エネルギーは、皮膚表面の少なくとも一部分に対して実質的に平行な電場成分を有する。１つの実施形態において、電磁エネルギーは、皮膚の表面の少なくとも一部分に対して平行な電場成分を有する。いくつかの実施形態において、電磁エネルギーは、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。電磁エネルギーは、誘電加熱によって、標的組織において熱を発生させ得る。１つの実施形態において、電力損失密度は、標的組織層および第一の組織層における定常波パターンにより生じる。定常波パターンは、標的組織層または第一の組織層の領域に、強め合う干渉ピークを有し得る。１つの実施形態において、外傷の始点は、ピーク電力損失密度を有する標的組織層の領域内にある。
【０１７４】
別の実施形態において、標的組織層において熱を発生させる方法が開示され、この熱は、標的組織層の内部または近くに外傷を作製するために充分であり、この標的組織層は、第一の組織層より下にあり、この第一の組織層は、皮膚表面に隣接しており、この方法は、標的組織層および第一の組織層を、皮膚表面を通して、所定の周波数および電場特性を有する電磁エネルギーで照射する工程；ならびに電力損失密度プロフィールを生じさせる工程であって、この電力損失密度プロフィールは、標的組織層の領域にピーク電力損失密度を有する、工程を包含する。１つの実施形態において、この外傷は、標的組織層に始点を有する。いくつかの実施形態において、標的組織層は、真皮、真皮の深層または腺層を含む。１つの実施形態において、この方法は、第一の組織層から熱を除去する工程をさらに包含する。１つの実施形態において、この方法は、外傷が第一の層に成長することを防止するために充分な熱を第一の層から除去する工程をさらに包含し、この第一の層から熱を除去する工程は、皮膚表面を冷却する工程を包含する。いくつかの実施形態において、電磁エネルギーは、皮膚表面の少なくとも一部分に対して実質的に平行な電場成分を有し、一方で他の実施形態において、電場成分は、皮膚表面の少なくとも一部分に対して平行である。いくつかの実施形態において、電磁エネルギーは、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。１つの実施形態において、電磁エネルギーは、誘電加熱によって、標的組織において熱を発生させる。１つの実施形態において、電力損失密度は、標的組織層および第一の組織層における定常波パターンにより生じる。１つの実施形態において、電力損失密度は、標的組織層および第一の組織層における定常波パターンにより生じる。いくつかの実施形態において、定常波パターンは、標的組織層または第一の組織層の領域に強め合う干渉ピークを有する。１つの実施形態において、外傷の始点は、ピーク電力損失密度を有する標的組織層の領域にある。１つの実施形態において、熱は、標的組織内の細菌を破壊するために充分である。いくつかの実施形態において、この方法は、ざ瘡を有する患者を識別する工程、または汗の産生の減少を望む患者を識別する工程をさらに包含する。
【０１７５】
別の実施形態において、冷却の非存在下で標的組織層において熱を発生させる方法が開示され、この熱は、この標的組織層の内部または近くで組織効果を生じさせるために充分であり、この標的組織層は、第一の組織層より下にあり、この第一の組織層は、皮膚表面に隣接しており、この方法は、標的組織層および第一の組織層を、皮膚表面を通して、所定の周波数および電場特性を有する電磁エネルギーで照射する工程；ならびに電力損失密度プロフィールを生じさせる工程であって、この電力損失密度プロフィールは、標的組織層の領域にピーク電力損失密度を有する、工程を包含する。１つの実施形態において、この熱は、標的組織層に始点を有する外傷を作製するために充分である。いくつかの実施形態において、この標的組織層は、真皮、真皮の深層、または腺層を含む。１つの実施形態において、電磁エネルギーは、皮膚表面の少なくとも一部分に対して実質的に平行な電場成分を有し、一方で別の実施形態において、この電場成分は、皮膚表面の少なくとも一部分に対して平行である。いくつかの実施形態において、電磁エネルギーは、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。１つの実施形態において、電磁エネルギーは、誘電加熱によって、標的組織において熱を発生させる。１つの実施形態において、電力損失密度は、標的組織層および第一の組織層における定常波パターンにより生じる。いくつかの実施形態において、定常波パターンは、標的組織層または第一の組織層の領域に、強め合う干渉ピークを有する。１つの実施形態において、定常波パターンは、第一の組織層に強め合う干渉の最小を有する。１つの実施形態において、外傷の始点は、ピーク電力損失密度を有する標的組織層の領域にある。
【０１７６】
別の実施形態において、組織に温度プロフィールを生じさせる方法もまた本明細書中に開示され、この温度プロフィールは、標的組織層にピークを有し、この標的組織層は、第一の組織層より下にあり、この第一の組織層は、皮膚表面に隣接しており、この方法は、標的組織層および第一の組織層を、皮膚表面を通して、所定の周波数および電場特性を有する電磁エネルギーで照射する工程；ならびに電力損失密度プロフィールを生じさせる工程であって、この電力損失密度プロフィールは、標的組織層の領域にピーク電力損失密度を有する、工程を包含する。いくつかの実施形態において、標的組織層は、真皮、真皮の深層または腺層を含む。１つの実施形態において、この方法は、第一の組織層から熱を除去する工程をさらに包含する。１つの実施形態において、電磁エネルギーは、皮膚表面の少なくとも一部分に対して実質的に平行な電場成分を有する。１つの実施形態において、電磁エネルギーは、皮膚表面の少なくとも一部分に対して平行な電場成分を有する。いくつかの実施形態において、電磁エネルギーは、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。１つの実施形態において、電磁エネルギーは、誘電加熱によって、標的組織において熱を発生させる。１つの実施形態において、電力損失密度は、標的組織層および第一の組織層における定常波パターンにより生じる。定常波パターンは、標的組織層の領域に強め合う干渉ピークを有し得る。定常波パターンは、第一の組織層に強め合う干渉の最小を有し得る。１つの実施形態において、ピーク温度は、ピーク電力損失密度を有する標的組織層の領域にある。
【０１７７】
別の実施形態において、冷却の非存在下で組織に温度プロフィールを生じさせる方法が本明細書中に開示され、この温度プロフィールは、標的組織層にピークを有し、この標的組織層は、第一の組織層より下にあり、この第一の組織層は、皮膚表面に隣接しており、この方法は、標的組織層および第一の組織層を、皮膚表面を通して、所定の周波数特性および電場特性を有する電磁エネルギーで照射する工程；ならびに電力損失密度プロフィールを生じさせる工程であって、この電力損失密度プロフィールは、標的組織層の領域にピーク電力損失密度を有する、工程を包含する。いくつかの実施形態において、標的組織層は、真皮、真皮の深層または腺層を含む。いくつかの実施形態において、電磁エネルギーは、皮膚表面の少なくとも一部分に対して実質的に平行な電場成分、または皮膚表面の少なくとも一部分に対して平行な電場成分を有する。いくつかの実施形態において、電磁放射線は、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。１つの実施形態において、電磁エネルギーは、誘電加熱によって、標的組織において熱を発生させる。１つの実施形態において、電力損失密度は、標的組織層および第一の組織層における定常波パターンにより生じる。定常波パターンは、標的組織層の領域に強め合う干渉ピークを有し得る。定常波パターンは、第一の組織層に強め合う干渉の最小を有し得る。１つの実施形態において、ピーク温度は、ピーク電力損失密度を有する標的組織層の領域にある。
【０１７８】
別の実施形態において、組織の第一の層に外傷を作製する方法が開示され、この第一の層は、皮膚の外側表面に隣接する上部、および皮膚の第二の層に隣接する下部を有し、この方法は、この皮膚の外側表面を所定の電力、周波数、および電場配向を有するマイクロ波エネルギーに曝露する工程；第一の層の下部にピークを有するエネルギー密度プロフィールを生じさせる工程；ならびに外傷を作製するために充分な時間にわたって、この皮膚の外側表面をマイクロ波エネルギーに曝露し続ける工程であって、この外傷は、ピークエネルギー密度領域で開始する、工程を包含する。１つの実施形態において、皮膚の第一の層は、第一の誘電率を有し、そして皮膚の第二の層は、第二の誘電率を有し、この第一の誘電率は、この第二の誘電率より大きい。１つの実施形態において、第一の層は、約２５より大きい誘電率を有し、そして第二の層は、約１０以下の誘電率を有する。１つの実施形態において、第一の層は、真皮層の少なくとも一部を含む。いくつかの実施形態において、第二の層は、皮下層の少なくとも一部または腺層の少なくとも一部を含む。
【０１７９】
皮膚に外傷を作製する方法もまた、本明細書中に開示され、この皮膚は、少なくとも外側表面、この外側表面より下の第一の層、および第二の層を有し、この方法は、電磁エネルギーを放射するように適合されたデバイスを外側表面に隣接させて配置する工程；電磁エネルギーをこのデバイスから放射する工程であって、このマイクロ波エネルギーは、外側表面の領域に対して実質的に平行な電場成分を有する、工程；および第一の層において定常波パターンを生じさせる工程であって、この定常波パターンは、第一の層に強め合う干渉ピークを有し、この強め合う干渉ピークから皮膚表面までの距離は、この強め合う干渉ピークから第一の層と第二の層との間の界面までの距離より大きい、工程を包含する。１つの実施形態において、電磁エネルギーは、マイクロ波エネルギーを含む。１つの実施形態において、強め合う干渉ピークは、この界面に隣接している。１つの実施形態において、第一の層は、第一の誘電率を有し、そして第二の層は、第二の誘電率を有し、この第一の誘電率は、この第二の誘電率より大きい。１つの実施形態において、第一の層は、約２５より大きい誘電率を有し、そして第二の層は、約１０以下の誘電率を有する。１つの実施形態において、第一の層は、真皮層の少なくとも一部を含む。いくつかの実施形態において、第二の層は、皮下層の少なくとも一部または腺層の少なくとも一部を含む。
【０１８０】
別の実施形態において、皮膚に温度勾配を生じさせる方法が開示され、この皮膚は、少なくとも外側表面、この外側表面より下の第一の層、および第二の層を有し、この方法は、電磁エネルギーを放射するように適合されたデバイスを外側表面に隣接させて配置する工程；電磁エネルギーをこのデバイスから放射する工程であって、このマイクロ波エネルギーは、外側表面の領域に対して実質的に平行な電場成分を有する、工程；および第一の層において定常波パターンを生じさせる工程であって、この定常波パターンは、第一の層において強め合う干渉ピークを有し、この強め合う干渉ピークから皮膚表面までの距離は、この強め合う干渉ピークから第一の層と第二の層との間の界面までの距離より大きい、工程を包含する。
【０１８１】
別の実施形態において、皮膚の皮膚層に外傷を作製する方法が開示され、この皮膚層は、皮膚の外側表面に隣接する上部、および皮膚の皮下層に隣接する下部を有し、この方法は、外側表面を所定の電力、周波数および電場配向を有するマイクロ波エネルギーに曝露する工程；皮膚層の下部にピークエネルギー密度領域を生じさせる工程；ならびに外傷を作製するために充分な時間にわたって皮膚にマイクロ波エネルギーを放射し続ける工程であって、この外傷は、ピークエネルギー密度領域で開始する、工程を包含する。
【０１８２】
別の実施形態において、皮膚の皮膚層に外傷を作製する方法が本明細書中に開示され、この皮膚は、少なくとも皮膚層および皮下層を有し、この方法は、マイクロ波エネルギーを放射するように適合されたデバイスを皮膚の外側表面に隣接させて配置する工程；および皮膚層の皮膚の外側表面の領域に対して実質的に平行な電場成分を有するマイクロ波エネルギーを放射する工程であって、このマイクロ波エネルギーは、皮膚層において定常波パターンを生じさせる周波数を有し、この定常波パターンは、皮膚層に、皮膚層と皮下層との間の界面の近くに強め合う干渉ピークを有する、工程を包含する。
【０１８３】
別の実施形態において、皮膚の皮膚層に外傷を作製する方法が開示され、この皮膚は、少なくとも皮膚層および皮下層を有し、この方法は、マイクロ波エネルギーを放射するように適合されたデバイスを皮膚の外側表面に隣接させて配置する工程；皮膚層より上の皮膚の外側表面の領域に対して実質的に平行な電場成分を有するマイクロ波エネルギーを放射する工程であって、このマイクロ波エネルギーは、皮膚層において定常波パターンを生じさせる周波数を有し、この定常波パターンは、皮膚層の、皮膚層と皮下層との間の界面の近くに強め合う干渉ピークを有する、工程；ならびに放射されたマイクロ波エネルギーを使用して皮膚領域の下部を加熱し、外傷を作製する工程を包含する。１つの実施形態において、この外傷の中心は、強め合う干渉ピークに位置する。
【０１８４】
別の実施形態において、標的組織層の内部または近くに位置する組織構造を加熱する方法が開示され、この標的組織層は、第一の組織層より下にあり、この第一の組織層は、皮膚表面に隣接しており、この方法は、標的組織層および第一の組織層を、皮膚表面を通して、所定の周波数および電場特性を有する電磁エネルギーで照射する工程；ならびに電力損失密度プロフィールを生じさせる工程であって、この電力損失密度プロフィールは、標的組織層の領域にピーク電力損失密度を有する、工程を包含する。１つの実施形態において、この組織構造は、汗腺を含む。１つの実施形態において、組織構造を加熱することは、この組織構造の内部または近くに位置する病原体を破壊するために充分である。この病原体は、細菌であり得る。いくつかの実施形態において、この組織構造は、皮脂層または毛包の少なくとも一部分である。いくつかの実施形態において、この組織構造は、毛細管拡張症、脂肪性浮腫、静脈瘤の静脈、および神経終末からなる群より選択され得る。１つの実施形態において、組織構造を加熱することは、この組織構造を損傷するために充分である。１つの実施形態において、熱は、標的組織層に始点を有する外傷を作製する。この外傷は、組織構造を含むように成長する。１つの実施形態において、この方法は、外傷が第一の層へと成長することを防止するために充分な熱を第一の層から除去する工程をさらに包含する。第一の層から充分な熱を除去する工程は、皮膚表面を冷却する工程を包含し得る。いくつかの実施形態において、標的組織層は、真皮の深層または腺層を含み得る。いくつかの実施形態において、電磁エネルギーは、皮膚表面の少なくとも一部分に対して実質的に平行であるか、または皮膚表面の少なくとも一部分に対して平行な電場成分を有する。いくつかの実施形態において、電磁エネルギーは、ＴＥ１０モードまたはＴＥＭモードで放射する。いくつかの実施形態において、電磁エネルギーは、約４ＧＨｚ〜１０ＧＨｚの範囲、５ＧＨｚ〜６．５ＧＨｚの範囲、または約５．８ＧＨｚの周波数を有する。１つの実施形態において、電磁エネルギーは、誘電加熱によって、標的組織において熱を発生させる。１つの実施形態において、電力損失密度は、標的組織層および第一の組織層における定常波パターンにより生じる。定常波パターンは、標的組織層の領域に強め合う干渉ピークを有し得る。定常波パターンは、第一の組織層に強め合う干渉の最小を有し得る。１つの実施形態において、外傷の始点は、ピーク電力損失密度を有する標的組織層の領域にある。１つの実施形態において、外傷は、電磁エネルギーがもはや適用されなくなった後に、伝導加熱により成長し続ける。１つの実施形態において、標的組織構造は、主として、伝導加熱の結果として加熱される。
【０１８５】
別の実施形態において、皮膚の皮膚層と皮下層との間の界面より下に位置する組織構造の少なくとも一部分の温度を上昇させる方法が本明細書中に開示され、この皮膚層は、皮膚の外側表面に隣接する上部、および皮膚の皮下領域に隣接する下部を有し、この方法は、皮膚に所定の電力、周波数および電場配向を有するマイクロ波エネルギーを放射する工程；皮膚層の下部にピークエネルギー密度領域を生じさせる工程；ピークエネルギー密度領域の組織を誘電加熱することによって、ピークエネルギー密度領域で外傷を開始させる工程；外傷を拡大する工程であって、この外傷は、少なくとも部分的に、ピークエネルギー密度領域から周囲の組織への熱の伝導により拡大する、工程；皮膚表面および皮膚層の上部の少なくとも一部分から熱を除去する工程；ならびに外傷を界面を越えて皮下層まで延ばすために充分な時間にわたって、皮膚にマイクロ波エネルギーを放射し続ける工程を包含する。１つの実施形態において、この組織構造は、汗腺を含む。
【０１８６】
別の実施形態において、皮膚の皮膚層と皮下層との間の界面より下に位置する組織構造の少なくとも一部分の温度を上昇させる方法もまた本明細書中に開示され、この皮膚層は、皮膚の外側表面に隣接する上部、および皮膚の皮下領域に隣接する下部を有し、この方法は、マイクロ波エネルギーを放射するように適合されたデバイスを皮膚の外側表面に隣接させては位置する工程；皮膚層より上の外側表面の領域に対して実質的に平行な電場成分を有するマイクロ波エネルギーを放射する工程であって、このマイクロ波エネルギーは、皮膚層において定常波パターンを生じさせる周波数を有し、この定常波パターンは、皮膚層の下部に強め合う干渉ピークを有する、工程；放射されたマイクロ波エネルギーを使用して、皮膚領域の下部の組織を加熱することにより、皮膚領域の下部に外傷を作製する工程；皮膚表面および皮膚層の上部の少なくとも一部分から熱を除去して、外傷が皮膚層の上部まで広がることを防止する工程；ならびに第一の所定の時間の後に放射を止める工程であって、この所定の時間は、組織構造の温度を上昇させるために充分である、工程を包含する。いくつかの実施形態において、第一の所定の時間は、外傷が皮膚領域まで広がることを可能にするために充分なエネルギーを皮膚層の下部に堆積させるために充分な時間、または放射により発生した熱が組織構造に広がることを可能にするために充分な時間を含む。１つの実施形態において、熱を除去する工程は、上記放射を止める工程後の所定の時間にわたって、熱を除去し続ける工程をさらに包含する。１つの実施形態において、強め合う干渉ピークは、皮膚層と皮下層との間の界面の皮膚側に位置する。１つの実施形態において、外傷は、強め合う干渉ピークで開始する。
【０１８７】
別の実施形態において、組織へのマイクロ波エネルギーの適用を制御する方法が本明細書中に開示され、この方法は、所定の特性を有するマイクロ波信号を発生させる工程；マイクロ波アンテナ、およびこのマイクロ波アンテナに作動可能に接続された組織インターフェースを介して、このマイクロ波エネルギーを組織に適用する工程；組織インターフェースに減圧を適用する工程；ならびに組織インターフェースに冷却流体を供給する工程を包含する。いくつかの実施形態において、マイクロ波信号は、約４ＧＨｚ〜１０ＧＨｚの範囲、５ＧＨｚ〜６．５ＧＨｚの範囲、または約５．８ＧＨｚの周波数を有する。１つの実施形態において、マイクロ波アンテナは、電磁放射線の電場成分が組織の外側表面に対して実質的に平行になるように偏光された電磁放射線を放射するように構成された、アンテナを備える。マイクロ波アンテナは、導波管アンテナを備え得る。いくつかの実施形態において、マイクロ波アンテナは、ＴＥ１０モードまたはＴＥＭモードで放射するように構成されたアンテナを備える。１つの実施形態において、組織インターフェースは、皮膚に係合して皮膚を保持するように構成される。皮膚は、腋窩領域の組織であり得る。１つの実施形態において、マイクロ波アンテナは、電磁放射線の電場成分が組織の外側表面に対して平行になるように偏光された電磁放射線を放射するように構成されたアンテナを備える。１つの実施形態において、組織インターフェースは、冷却プレート、およびこの冷却プレートとマイクロ波アンテナとの間に配置される冷却チャンバを備える。１つの実施形態において、冷却プレートは、約２〜１５の誘電率を有する。１つの実施形態において、減圧源は、組織インターフェースに減圧を供給するように構成される。いくつかの実施形態において、減圧は、約４００ｍｍＨｇ〜約７５０ｍｍＨｇ、または約６５０ｍｍＨｇである。１つの実施形態において、冷却源は、冷却剤を組織インターフェースに供給するように構成される。１つの実施形態において、冷却剤は、冷却流体である。いくつかの実施形態において、冷却流体は、約７０〜９０、または約８０、または約２〜１０、または約２の誘電率を有する。いくつかの実施形態において、冷却流体は、約−５℃〜４０℃、または約１０℃〜２５℃の温度を有する。１つの実施形態において、冷却流体は、約２２℃の温度を有する。いくつかの実施形態において、冷却流体は、組織インターフェースの少なくとも一部分を通る、１秒あたり約１００ｍＬ〜６００ｍＬ、または１秒あたり約２５０ｍＬ〜４５０ｍＬの流量を有する。１つの実施形態において、冷却流体は、１秒あたり約０．１８メートル〜０．３２メートルの速度で組織インターフェースを通って流れるように構成される。１つの実施形態において、冷却流体は、グリセリン、植物油、イソプロピルアルコール、および水からなる群より選択され、一方で別の実施形態において、冷却流体は、水、およびアルコールと混合された水からなる群より選択される。
【０１８８】
別の実施形態において、放射された電磁エネルギーを使用して組織を処置する前に、組織を配置する方法もまた開示され、この方法は、組織インターフェースを皮膚表面に隣接させて配置する工程；皮膚表面を組織インターフェースの組織チャンバ内に係合させる工程；皮膚の少なくとも１つの層を含む層をこの皮膚より下の筋肉層から実質的に分離する工程；および皮膚表面を組織チャンバ内に保持する工程を包含する。１つの実施形態において、組織インターフェースは、組織チャンバを備え、この組織チャンバは、少なくとも１つの壁および組織接触表面を有する。１つの実施形態において、組織接触表面の少なくとも一部は、組織チャンバ内に配置された冷却プレートを備える。１つの実施形態において、組織チャンバは、約１：１〜３：１の範囲のアスペクト比を有し、一方で別の実施形態において、組織チャンバは、約２：１のアスペクト比を有する。１つの実施形態において、組織チャンバは、壁と組織接触表面との間に組織収集角度を有し、この組織収集角度は、約２°〜約４５°の範囲であり、一方で別の実施形態において、この組織収集角度は、約５°〜約２０°の範囲である。１つの実施形態において、組織チャンバは、壁と組織接触表面との間に組織収集角度を有し、この組織収集角度は、約２０°である。
【０１８９】
本明細書中に記載された種々の実施形態はまた、組み合わせられてさらなる実施形態を提供し得る。マイクロ波および他の型の治療（他の形態の電磁放射線が挙げられる）を利用する関連する方法、装置およびシステム、ならびにこのような治療を用いてなされ得る処置に関するさらなる詳細は、本願が優先権を主張する上記仮出願に記載されており、これらの各々の全体は、本明細書中に参考として援用される。米国仮特許出願番号６０／９１２，８９９（発明の名称「Ｍｅｔｈｏｄｓ  ａｎｄ  Ａｐｐａｒａｔｕｓ  ｆｏｒ  Ｒｅｄｕｃｉｎｇ  Ｓｗｅａｔ  Ｐｒｏｄｕｃｔｉｏｎ」、２００７年４月１９日出願）；米国仮特許出願番号６１／０１３，２７４（発明の名称「Ｍｅｔｈｏｄｓ，Ｄｅｌｉｖｅｒｙ  ａｎｄ  Ｓｙｓｔｅｍｓ  ｆｏｒ  Ｎｏｎ−Ｉｎｖａｓｉｖｅ  Ｄｅｌｉｖｅｒｙ  ｏｆ  Ｍｉｃｒｏｗａｖｅ  Ｔｈｅｒａｐｙ」、２００７年１２月１２日出願）；および米国仮特許出願番号６１／０４５，９３７（発明の名称「Ｓｙｓｔｅｍｓ  ａｎｄ  Ｍｅｔｈｏｄｓ  ｆｏｒ  Ｃｒｅａｔｉｎｇ  ａｎ  Ｅｆｆｅｃｔ  Ｕｓｉｎｇ  Ｍｉｃｒｏｗａｖｅ  Ｅｎｅｒｇｙ  ｉｎ  Ｓｐｅｃｉｆｉｅｄ  Ｔｉｓｓｕｅ」、２００８年４月１７日出願）。上に列挙された出願は、本願において先に記載されるように、特定の主題について参照により援用され得るが、出願人は、これらの参考により援用される出願の開示の任意の全てのものが本願に記載される実施形態と組み合わせられ、組み込まれ得る点で、上記出願の全開示が、本願に参考として援用されることを意図する。
【０１９０】
本発明は、その実施形態に関して具体的に図示および記載されたが、形式および細部における様々な変更が、本発明の範囲から逸脱することなくなされ得ることが、当業者により理解される。上記実施形態の全てに関して、方法の工程はその順番で実施される必要はない。
【図１】
0005543332.tif 000002
【図２】
0005543332.tif 000003
【図３】
0005543332.tif 000004
【図４】
0005543332.tif 000005
【図５】
0005543332.tif 000006
【図６】
0005543332.tif 000007
【図７】
0005543332.tif 000008
【図８】
0005543332.tif 000009
【図９】
0005543332.tif 000010
【図１０】
0005543332.tif 000011
【図１１】
0005543332.tif 000012
【図１２】
0005543332.tif 000013
【図１３】
0005543332.tif 000014
【図１４】
0005543332.tif 000015
【図１５】
0005543332.tif 000016
【図１６】
0005543332.tif 000017
【図１７】
0005543332.tif 000018
【図１８】
0005543332.tif 000019
【図１９】
0005543332.tif 000020
【図２０】
0005543332.tif 000021
【図２１】
0005543332.tif 000022
【図２２】
0005543332.tif 000023
【図２３】
0005543332.tif 000024
【図２４】
0005543332.tif 000025
【図２５】
0005543332.tif 000026
【図２６】
0005543332.tif 000027
【図２７】
0005543332.tif 000028
【図２８】
0005543332.tif 000029
【図２９】
0005543332.tif 000030
【図３０】
0005543332.tif 000031
【図３１】
0005543332.tif 000032
【図３２】
0005543332.tif 000033
【図３３】
0005543332.tif 000034
【図３４】
0005543332.tif 000035
【図３５】
0005543332.tif 000036
【図３６】
0005543332.tif 000037
【図３７】
0005543332.tif 000038
【図３８】
0005543332.tif 000039
【図３９】
0005543332.tif 000040
【図４０】
0005543332.tif 000041
【図４１】
0005543332.tif 000042
【図４２】
0005543332.tif 000043
【図４３】
0005543332.tif 000044
【図４４】
0005543332.tif 000045
【図４５】
0005543332.tif 000046
【図４６】
0005543332.tif 000047
【図４７】
0005543332.tif 000048
【図４８】
0005543332.tif 000049
【図４９】
0005543332.tif 000050
【図５０】
0005543332.tif 000051
【図５１】
0005543332.tif 000052